(57)【要約】【課題】本発明は、植物の生長を有意に促進する方法および組成物を提供することを目的とする。【解決手段】本発明は、植物またはその栽培地を、有効量の３−（ジフルオロメチル）−１−メチル−Ｎ−［１，１，３−トリメチルインダン−４−イル］ピラゾール−４−カルボキサミド（３−（ジフルオロメチル）−１−メチル−Ｎ−［（３Ｒ）−１，１，３−トリメチルインダン−４−イル］ピラゾール−４−カルボキサミドを含む）またはその農学的に許容される塩で処理することを含む、植物の生長を促進する方法；および、上記化合物等を含有する、植物の生長を促進するための組成物を提供する。【選択図】なし【特許請求の範囲】
【請求項１】
植物またはその栽培地を有効量の３−（ジフルオロメチル）−１−メチル−Ｎ−［１，１，３−トリメチルインダン−４−イル］ピラゾール−４−カルボキサミドまたはその農学的に許容される塩で処理することを含む、植物の生長を促進する方法。
【請求項２】
有効成分が３−（ジフルオロメチル）−１−メチル−Ｎ−［（３Ｒ）−１，１，３−トリメチルインダン−４−イル］ピラゾール−４−カルボキサミド又はその農学的に許容される塩である、請求項１に記載の方法。
【請求項３】
植物が非生物的ストレスに暴露された又は暴露されるであろう植物である、請求項１または２に記載の方法。
【請求項４】
植物への処理が散布処理、土壌処理、種子処理、苗処理、又は球根処理である、請求項１から３のいずれか１つに記載の方法。
【請求項５】
植物がイネ、トウモロコシ、コムギ、ダイズ、ソルガム、ワタ、ジャガイモ、テンサイ、又はセイヨウアブラナである、請求項１から４のいずれか１つに記載の方法。
【請求項６】
植物が遺伝子組換え植物である、請求項１から５のいずれか１つに記載の方法。
【請求項７】
非生物的ストレスが高温ストレス、低温ストレス、乾燥ストレス、加湿ストレス、および塩ストレスからなる群から選ばれる少なくとも１つのストレスである、請求項１から６のいずれか１つに記載の方法。
【請求項８】
植物の生長を促進するための、有効量の３−（ジフルオロメチル）−１−メチル−Ｎ−［１，１，３−トリメチルインダン−４−イル］ピラゾール−４−カルボキサミド又はその農学的に許容される塩の使用。
【請求項９】
有効成分が３−（ジフルオロメチル）−１−メチル−Ｎ−［（３Ｒ）−１，１，３−トリメチルインダン−４−イル］ピラゾール−４−カルボキサミド又はその農学的に許容される塩である、請求項８に記載の使用。
【請求項１０】
３−（ジフルオロメチル）−１−メチル−Ｎ−［１，１，３−トリメチルインダン−４−イル］ピラゾール−４−カルボキサミド又はその農学的に許容される塩、及び不活性成分を含有する、植物の生長を促進するための組成物。
【請求項１１】
有効成分が３−（ジフルオロメチル）−１−メチル−Ｎ−［（３Ｒ）−１，１，３−トリメチルインダン−４−イル］ピラゾール−４−カルボキサミド又はその農学的に許容される塩である、請求項１０に記載の組成物。
【発明の詳細な説明】
【技術分野】
【０００１】
本発明は、植物の生長を促進する方法および組成物に関する。
【背景技術】
【０００２】
化学物質の中には、植物に処理することによって植物の生長を促進する効果を示すものが知られている（例えば、特許文献１および非特許文献１参照）。
【先行技術文献】
【特許文献】
【０００３】
【特許文献１】特開２０１２−２５７３５号
【非特許文献】
【０００４】
【非特許文献１】「Biosynthesis, biotechnological production and applications of 5-aminolevulinic acid」, K. Sasaki et al., (2002) Applied Microbial Biotechnology 58: pp. 23-29
【発明の概要】
【発明が解決しようとする課題】
【０００５】
本発明は、より優れた植物、より高い収穫量、より良い作物品質および農作業のより良い条件を得るために、植物の生長を促進する方法および組成物等を提供することを目的とする。
【課題を解決するための手段】
【０００６】
本発明者は、鋭意検討した結果、特定の化合物を植物に処理することによってその植物の生長が促進されることを見出し、本発明に到達した。
【０００７】
即ち、本発明は次の通りである。
［１］  植物またはその栽培地を有効量の３−（ジフルオロメチル）−１−メチル−Ｎ−［１，１，３−トリメチルインダン−４−イル］ピラゾール−４−カルボキサミドまたはその農学的に許容される塩で処理することを含む、植物の生長を促進する方法（以下、本発明方法と記す）。
［２］  有効成分が３−（ジフルオロメチル）−１−メチル−Ｎ−［（３Ｒ）−１，１，３−トリメチルインダン−４−イル］ピラゾール−４−カルボキサミド又はその農学的に許容される塩である、項［１］に記載の方法。
［３］  植物が非生物的ストレスに暴露された又は暴露されるであろう植物である、項［１］または［２］に記載の方法。
［４］  植物への処理が散布処理、土壌処理、種子処理、苗処理、又は球根処理である、前項［１］から［３］のいずれか１つに記載の方法。
［５］  植物がイネ、トウモロコシ、コムギ、ダイズ、ソルガム、ワタ、ジャガイモ、テンサイ、又はセイヨウアブラナである、項［１］から［４］のいずれか１つに記載の方法。［６］  植物が遺伝子組換え植物である、項［１］から［５］のいずれか１つに記載の方法。
［７］  非生物的ストレスが高温ストレス、低温ストレス、乾燥ストレス、加湿ストレス、および塩ストレスからなる群から選ばれる少なくとも１つのストレスである、項［１］から［６］のいずれか１つに記載の方法。
［８］  植物の生長を促進するための、有効量の３−（ジフルオロメチル）−１−メチル−Ｎ−［１，１，３−トリメチルインダン−４−イル］ピラゾール−４−カルボキサミド又はその農学的に許容される塩の使用。
［９］  有効成分が３−（ジフルオロメチル）−１−メチル−Ｎ−［（３Ｒ）−１，１，３−トリメチルインダン−４−イル］ピラゾール−４−カルボキサミド又はその農学的に許容される塩である、項［８］に記載の使用。
［１０］  有効量の３−（ジフルオロメチル）−１−メチル−Ｎ−［１，１，３−トリメチルインダン−４−イル］ピラゾール−４−カルボキサミド又はその農学的に許容される塩によって処理されてなる植物種子。
［１１］  有効成分が３−（ジフルオロメチル）−１−メチル−Ｎ−［（３Ｒ）−１，１，３−トリメチルインダン−４−イル］ピラゾール−４−カルボキサミド又はその農学的に許容される塩である、項［１０］に記載の植物種子。
［１２］  ３−（ジフルオロメチル）−１−メチル−Ｎ−［１，１，３−トリメチルインダン−４−イル］ピラゾール−４−カルボキサミド又はその農学的に許容される塩、及び不活性成分を含有する、植物の生長を促進するための組成物（以下、本発明組成物と記す）。
［１３］  有効成分が３−（ジフルオロメチル）−１−メチル−Ｎ−［（３Ｒ）−１，１，３−トリメチルインダン−４−イル］ピラゾール−４−カルボキサミド又はその農学的に許容される塩である、項［１２］に記載の組成物。
【発明の効果】
【０００８】
本発明方法により、植物生長を促進することができる。
【発明を実施するための形態】
【０００９】
本発明において、植物の生長を促進する（以下、「生長促進」と記すことがある。）とは、発芽率の増加、苗立ち率の増加、葉面積増加、葉色の改善、草丈の増加、植物体重量の増加、種子数又は重量の増加、果実の数又は重量の増加、着花数又は着果数の増加、果実の糖度の増加、根の断面の直径又は長さ又は分岐の数の増加をいう。
【００１０】
本発明において、生長促進は、以下にあげるパラメーターを用いて定量化が可能である。
（１）発芽率・苗立ち率
植物の種子を、例えば土壌中、ろ紙上、寒天培地上、砂上などに播種し、一定期間栽培する。その後、本葉を２枚以上展開した幼植物の割合を調査する。
（２）葉面積
植物をデジタルカメラで撮影し、写真の緑色の部分の面積を、R（ver 3.2.4）を用いたランダムフォレスト法や、画像解析ソフト例えばWin ROOF（三谷商事社製）で定量することにより、植物の葉面積を求める。
（３）葉色
植物の葉をサンプリングし、葉緑素計（例えばＳＰＡＤ−５０２、コニカミノルタ製）を用いて葉緑素量を測定することにより、葉色を求める。また、植物をデジタルカメラで撮影し、写真の緑色の部分の面積を、R（ver 3.2.4）を用いたランダムフォレスト法や、画像解析ソフト例えばWin ROOF（三谷商事社製）で色抽出を行い定量することにより、植物の葉の緑色部分の面積を求める。
（４）草丈
各植物について地上部分の茎の根元から先端の枝葉までの長さを測定する。
（５）植物体重量
各植物の地上部を切り取り、重量を測定して、植物の新鮮重量を求める、あるいは切り取ったサンプルを乾燥させた後に重量を測定して、植物の乾燥重量を求める。
（６）種子あるいは果実の数又は重量
植物を種子あるいは果実が結実あるいは登熟するまで栽培した後、植物当りの果実数を計測あるいは植物当りの総果実重量を測定する。また、種子が登熟するまで栽培した後、例えば穂数、登熟歩合、千粒重などの収量構成要素を調査する。
（７）着花率・着果率・結実率・種子充填率
植物を着果するまで栽培した後、着花数と着果数を数え着果率％（着果数/着花数×100）を求める。種子登熟後に結実数と種子充填数を数え、結実率％（結実数/着花数×100）、種子充填率％（種子充填数/結実数×100）を求める。
（８）果実の糖度
糖用屈折計（糖度計またはBrix計）、旋光計、およびHigh Performance Liquid Chromatography（HPLC）によるショ糖濃度の測定、サッカロメーター（比重を利用した糖度測定）によるブドウ糖濃度の測定、または近赤外分光分析計によるBrix値またはショ糖濃度の推定等により、果実を絞って得られた果汁の糖度を測定する。
（９）根の断面の直径又は長さ又は分岐の数
植物の根を、細根が切れないように土中から取り出し、根についた土壌を洗浄等により取り除く。次に、WinRHIZO（Regent Instruments Inc.社製）等の根部解析システムにより、根の長さ、分岐、断面の直径を測定する。
【００１１】
本発明方法において使用する、３−（ジフルオロメチル）−１−メチル−Ｎ−［１，１，３−トリメチルインダン−４−イル］ピラゾール−４−カルボキサミド（以下、本化合物（１）と記す。）は、下記式（１）：
【化１】
2019062760.tif 000002
で示される化合物であり、特開２０１２−２５７３５号に記載された方法によって製造することができる。また、本化合物（１）には、光学活性体として、下記式（２）：
【化２】
2019062760.tif 000003
で示される、３−（ジフルオロメチル）−１−メチル−Ｎ−［（３Ｒ）−１，１，３−トリメチルインダン−４−イル］ピラゾール−４−カルボキサミド（以下、本化合物（２）と記す）、および下記式（３）：
【化３】
2019062760.tif 000004
で示される、３−（ジフルオロメチル）−１−メチル−Ｎ−［（３Ｓ）−１，１，３−トリメチルインダン−４−イル］ピラゾール−４−カルボキサミド（以下、本化合物（３）と記す）が存在する。本明細書中、特に断らない限り、「本化合物（１）」とは、任意の比率の本化合物（２）および本化合物（３）を含みうることを意図する。本発明方法において使用する有効成分としての本化合物（１）としては、本化合物（２）を優位な比率で含有する本化合物（２）と本化合物（３）の混合物が好ましく、該混合物における本化合物（２）と本化合物（３）との比率は８対２以上であることが好ましい。
【００１２】
有効性成分である本化合物（１）（本化合物（２）を含む）は、遊離の形態でも、それらの農学的に許容し得る塩の形態でも農薬用途に供することができる。例えば、農学的に許容される塩としては、酸付加塩を形成する場合、無機酸塩（例えば、塩酸塩、硫酸塩、またはリン酸塩）または有機酸塩（例えば、酢酸塩、または炭酸塩）が挙げられ、また塩基付加塩を形成する場合、無機塩基塩（例えば、アルカリ金属塩、またはアルカリ土類塩）または有機塩基塩（例えば、ジメチルアミン、トリエチルアミン、またはベンジルアミン）を挙げられる。
【００１３】
本発明方法において、植物、またはそれらが生長する場所に本化合物（１）（例えば、本化合物（２））を処理する場合、通常、本化合物（１）（例えば、本化合物（２））と不活性成分、例えば固体担体、液体担体等の担体とを混合し、必要に応じて界面活性剤、その他の製剤用補助剤を添加して、組成物（以下、本発明組成物とも記す）を得て、該組成物を乳剤、液剤、油剤、粉剤、粒剤、水和剤、顆粒水和剤、フロアブル剤、またはマイクロカプセル剤等に製剤化して用いる。製剤は、本化合物（１）（例えば、本化合物（２））を通常０．０１〜９５重量％含有する。製剤は、農薬分野の当業者において公知な調製方法により得ることが出来る。具体的には、特開２０１２−２５７３５号又は特開２０１４−０１９６８１号に記載の方法が挙げられる。
【００１４】
製剤化の際に用いられる固体担体としては、例えばカオリンクレー、アッタパルジャイトクレー、ベントナイト、モンモリロナイト、酸性白土、パイロフィライト、タルク、珪藻土、方解石等の鉱物、トウモロコシ穂軸粉、クルミ殻粉等の天然有機物、尿素等の合成有機物、炭酸カルシウム、硫酸アンモニウム等の塩類、合成含水酸化珪素等の合成無機物等からなる微粉末又は粒状物等が挙げられ、液体担体としては、例えばキシレン、アルキルベンゼン、メチルナフタレン等の芳香族炭化水素類、２−プロパノール、エチレングリコール、プロピレングリコール、エチレングリコールモノエチルエーテル等のアルコール類、アセトン、シクロヘキサノン、イソホロン等のケトン類、ダイズ油、綿実油等の植物油、石油系脂肪族炭化水素類、エステル類、ジメチルスルホキシド、及びアセトニトリルが挙げられる。
【００１５】
液体担体としては、例えば水、アルコール類（メタノール、エタノール、イソプロピルアルコール、ブタノール、ヘキサノール、ベンジルアルコール、エチレングリコール、プロピレングリコール、フェノキシエタノール等）、ケトン類（アセトン、メチルエチルケトン、シクロヘキサノン等）、芳香族炭化水素類（トルエン、キシレン、エチルベンゼン、ドデシルベンゼン、フェニルキシリルエタン、メチルナフタレン等）、脂肪族炭化水素類（ヘキサン、シクロヘキサン、灯油、軽油等）、エステル類（酢酸エチル、酢酸ブチル、ミリスチン酸イソプロピル、オレイン酸エチル、アジピン酸ジイソプロピル、アジピン酸ジイソブチル、プロピレングリコールモノメチルエーテルアセテート等）、ニトリル類（アセトニトリル、イソブチロニトリル等）、エーテル類（ジイソプロピルエーテル、１，４−ジオキサン、１，２−ジメトキシエタン、ジエチレングリコールジメチルエーテル、ジエチレングリコールモノメチルエーテル、プロピレングリコールモノメチルエーテル、ジプロピレングリコールモノメチルエーテル、３−メトキシ−３−メチル−１−ブタノール等）、アミド類（ＤＭＦ、N,N-ジメチルアセトアミド等）、スルホキシド類（ジメチルスルホキシド等）、炭酸プロピレン及び植物油（大豆油、綿実油等）が挙げられる。
【００１６】
界面活性剤としては、例えばアルキル硫酸エステル塩、アルキルアリールスルホン酸塩、ジアルキルスルホコハク酸塩、ポリオキシエチレンアルキルアリールエーテルリン酸エステル塩、リグニンスルホン酸塩、ナフタレンスルホネートホルモアルデヒド重縮合物等の陰イオン界面活性剤、ポリオキシエチレンアルキルアリールエーテル、ポリオキシエチレンアルキルポリオキシプロピレンブロックコポリマー、ソルビタン脂肪酸エステル等の非イオン界面活性剤、及びアルキルトリメチルアンモニウム塩等の陽イオン界面活性剤が挙げられる。
【００１７】
その他の製剤用補助剤としては、例えばポリビニルアルコール、ポリビニルピロリドン等の水溶性高分子、アラビアガム、アルギン酸及びその塩、ＣＭＣ（カルボキシメチルセルロース）、ザンサンガム等の多糖類、アルミニウムマグネシウムシリケート、アルミナゾル等の無機物、防腐剤、着色剤、及びＰＡＰ（酸性リン酸イソプロピル）、ＢＨＴ等の安定化剤が挙げられる。
【００１８】
本発明方法において、本化合物（１）（例えば、本化合物（２））を用いて植物を処理する場合、本化合物（１）（例えば、本化合物（２））の有効量を植物又はその栽培地に施用して処理することにより行われる。植物又は植物の栽培地に処理する場合は、本化合物（１）（例えば、本化合物（２））は１回もしくは複数回処理する。
本発明方法における処理方法としては、具体的には、例えば、茎葉散布等の植物の茎葉、花器又は穂への処理（つまり、散布処理）、植物を植えつける前または植えつけた後の土壌（栽培地）への処理（つまり、土壌処理）、種子消毒・種子浸漬・種子コート等の種子への処理（つまり、種子処理）、苗への処理（つまり、苗処理）（育苗箱処理、育苗トレイ処理等）、球根への処理（つまり、球根処理）等が挙げられる。
【００１９】
本発明方法において、本化合物（１）を植物に処理する場合、当該植物の全体であっても一部分（例えば、茎葉、芽、花、果実、穂、種子、球根、塊茎、根等）であっても良く、又当該植物の種々の生育ステージ（例えば、播種時前、播種時、播種後出芽前後などの発芽期、育苗時、苗移植時、挿し木又は挿し苗時、定植後の生育時などの栄養生長期、開花前、開花中、開花後、出穂直前又は出穂期などの生殖生長期、収穫予定前、成熟予定前、果実の着色開始期などの収穫期）であって良い。ここで球根とは、鱗茎、球茎、根茎、塊根、および担根体を意味する。また、苗としては、挿し木、種黍等を含むものとする。
【００２０】
本発明方法における植物の茎葉、花器又は穂への散布処理の方法としては、具体的には、例えば、茎葉散布、樹幹散布等の植物の表面に処理する方法が挙げられる。また、開花前、開花中、開花後を含む開花時期における花器あるいは植物全体に散布処理する方法が挙げられる。また、穀物等おいては出穂時期の穂あるいは植物全体に散布する方法が挙げられる。
【００２１】
本発明方法における土壌処理の方法としては、例えば、土壌への散布、土壌混和、土壌への薬液潅注（薬液潅水、土壌注入、薬液ドリップ等）が挙げられ、処理する場所としては例えば、植穴、作条、植穴付近、作条付近、栽培地の全面、植物地際部、株間、樹幹下、主幹畦、培土、育苗箱、育苗トレイ、苗床等が挙げられ、処理時期としては播種前、播種時、播種直後、育苗期、定植前、定植時、及び定植後の生育期等が挙げられる。また、上記土壌処理において、本化合物を含有するペースト肥料等の固形肥料を土壌へ処理してもよい。また、本化合物を潅水液に混合してもよく、例えば、潅水設備（潅水チューブ、潅水パイプ、スプリンクラー等）への注入、条間湛水液への混入、水耕液へ混入等が挙げられる。また、あらかじめ潅水液と本化合物を混合し、例えば、上記潅水方法やそれ以外の散水、湛水等のしかるべき潅水方法を用いて処理することができる。
【００２２】
本発明方法における種子処理の方法としては、対象とする植物の種子、球根等に本化合物を処理する方法であって、具体的には、例えば、本化合物の懸濁液を霧状にして種子表面もしくは球根表面に吹きつける吹きつけ処理、本化合物の水和剤、乳剤、またはフロアブル剤等に少量の水を加えるか、またはそのままで種子もしくは球根に塗付する塗沫処理、本化合物の溶液に一定時間種子を浸漬する浸漬処理、フィルムコート処理、ペレットコート処理が挙げられる。
【００２３】
本発明方法における苗への処理の方法としては、例えば、本化合物（１）（例えば、本化合物（２））を水で適当な有効成分濃度に希釈調製した希釈液を苗全体に散布する散布処理、その希釈液に苗を浸漬する浸漬処理、粉剤に調製した本化合物を苗全体に付着させる塗布処理が挙げられる。また、苗を植えつける前または植えつけた後の土壌への処理としては、例えば、本化合物（１）（例えば、本化合物（２））を水で適当な有効成分濃度に希釈調製した希釈液を、苗を植えつけた後に苗及び周辺土壌に散布する方法、粒剤または粒剤等の固形剤に調製した本化合物（１）（例えば、本化合物（２））を、苗を植えつけた後周辺土壌に散布する方法が挙げられる。
また、本化合物（１）（例えば、本化合物（２））は水耕栽培における水耕液に混合して用いてもよい。水耕栽培に使用する場合は、通常用いられる園試等の水耕栽培用の培地に培地中濃度として０．１ｐｐｍ〜３０ｐｐｍの範囲で溶解又は懸濁して用いることができる。
【００２４】
本化合物（１）（例えば、本化合物（２））を、植物または植物の生育場所に処理する場合、その処理量は、処理する植物の種類、製剤形態、処理時期、気象条件等によって変化させ得るが、１０，０００ｍ2あたり有効成分量として、通常１〜１，６００ｇ、好ましくは１０〜１，０００ｇ、より好ましくは５０〜８００ｇの範囲である。
育苗箱処理または土壌に全面混和する場合は、その処理量は、１０，０００ｍ2あたり有効成分量として、通常０．１〜１００ｋｇ、好ましくは１〜５０ｋｇである。
乳剤、水和剤、フロアブル剤、マイクロカプセル剤等は、通常水で希釈して散布または土壌灌注することにより処理する。この場合、有効成分の濃度は、通常０．０１〜１０，０００ｐｐｍ、好ましくは１〜３００ｐｐｍの範囲である。粉剤、粒剤等は通常希釈することなくそのまま処理する。
種子への処理においては、種子１ｋｇに対する本化合物（１）（例えば、本化合物（２））の処理量としては、通常０．００１〜５ｇ、好ましくは０．０１〜０．５ｇの範囲である。
【００２５】
本発明方法が適用可能な植物としては、下記の植物が挙げられるが、これらに限定されるものではない。
農作物：トウモロコシ、イネ、コムギ、オオムギ、ライムギ、エンバク、ソルガム、ワタ、ダイズ、ラッカセイ、ソバ、テンサイ、セイヨウアブラナ、ヒマワリ、サトウキビ、タバコ、ホップ等。
【００２６】
野菜：ナス科野菜（ナス、トマト、ジャガイモ、トウガラシ、ピーマン等）、ウリ科野菜（キュウリ、カボチャ、ズッキーニ、スイカ、メロン、マクワウリ等）、アブラナ科野菜（ダイコン、カブ、セイヨウワサビ、コールラビ、ハクサイ、キャベツ、カラシナ、ブロッコリー、カリフラワー等）、キク科野菜（ゴボウ、シュンギク、アーティチョーク、レタス等）、ユリ科野菜（ネギ、タマネギ、ニンニク、アスパラガス等）、セリ科野菜（ニンジン、パセリ、セロリ、アメリカボウフウ等）、アカザ科野菜（ホウレンソウ、フダンソウ等）、シソ科野菜（シソ、ミント、バジル等）、マメ科作物（エンドウ、インゲンマメ、アズキ、ソラマメ、ヒヨコマメ等）、イチゴ、サツマイモ、ヤマノイモ、サトイモ、コンニャク、ショウガ、オクラ等。
【００２７】
果樹：仁果類（リンゴ、ナシ、セイヨウナシ、カリン、マルメロ等）、核果類（モモ、スモモ、ネクタリン、ウメ、オウトウ、アンズ、プルーン等）、カンキツ類（ウンシュウミカン、オレンジ、レモン、ライム、グレープフルーツ等）、堅果類（クリ、クルミ、ハシバミ、アーモンド、ピスタチオ、カシューナッツ、マカダミアナッツ等）、液果類（ブルーベリー、クランベリー、ブラックベリー、ラズベリー等）、ブドウ、カキ、オリーブ、ビワ、バナナ、コーヒー、ナツメヤシ、ココヤシ、アブラヤシ等。
【００２８】
果樹以外の樹木：チャ、クワ、花木類（サツキ、ツバキ、アジサイ、サザンカ、シキミ、サクラ、ユリノキ、サルスベリ、キンモクセイ等）、街路樹（トネリコ、カバノキ、ハナミズキ、ユーカリ、イチョウ、ライラック、カエデ、カシ、ポプラ、ハナズオウ、フウ、プラタナス、ケヤキ、クロベ、モミノキ、ツガ、ネズ、マツ、トウヒ、イチイ、ニレ、トチノキ等）、サンゴジュ、イヌマキ、スギ、ヒノキ、クロトン、マサキ、カナメモチ、等。
【００２９】
芝生：シバ類（ノシバ、コウライシバ等）、バミューダグラス類（ギョウギシバ等）、ベントグラス類（コヌカグサ、ハイコヌカグサ、イトコヌカグサ等）、ブルーグラス類（ナガハグサ、オオスズメノカタビラ等）、フェスク類（オニウシノケグサ、イトウシノケグサ、ハイウシノケグサ等）、ライグラス類（ネズミムギ、ホソムギ等）、カモガヤ、オオアワガエリ等。
その他：花卉類（バラ、カーネーション、キク、トルコギキョウ、カスミソウ、ガーベラ、マリーゴールド、サルビア、ペチュニア、バーベナ、チューリップ、アスター、リンドウ、ユリ、パンジー、シクラメン、ラン、スズラン、ラベンダー、ストック、ハボタン、プリムラ、ポインセチア、グラジオラス、カトレア、デージー、シンビジューム、ベゴニア等）、バイオ燃料植物（ヤトロファ、ベニバナ、アマナズナ類、スイッチグラス、ミスカンサス、クサヨシ、ダンチク、ケナフ、キャッサバ、ヤナギ等）、観葉植物等。
【００３０】
本発明に適用可能な植物として、好ましくは、チャ、リンゴ、ナシ、ブドウ、オウトウ、モモ、ネクタリン、カキ、ウメ、スモモ、ダイズ、レタス、キャベツ、トマト、ナス、キュウリ、スイカ、メロン、インゲンマメ、エンドウ、アズキ、シバ、セイヨウアブラナ、イチゴ、アーモンド、トウモロコシ、ソルガム、ソラマメ、ハクサイ、ジャガイモ、ラッカセイ、イネ、コムギ、サトイモ、コンニャク、ヤマノイモ、ダイコン、カブ、パセリ、マクワウリ、オクラ、ショウガ、レモン、オレンジ、グレープフルーツ、ライム、ブルーベリー、クリ、ホップ、バジルが挙げられ、より好ましくはイネ、トウモロコシ、セイヨウアブラナ、コムギ、バジル、ダイズ、ソルガム、インゲンマメなどが挙げられる。
【００３１】
前記した植物とは、自然交配で作出しうる植物、突然変異により発生しうる植物、F1ハイブリッド植物、トランスジェニック植物（本明細書中、遺伝子組換え植物とも言う）であってもよい。これらの植物は、一般に、除草剤に対する耐性の付与、害虫に対する毒性物質の蓄積、病害に対する感性抑制、収量ポテンシャルの増加、生物的及び非生物的ストレス因子に対する抵抗性の向上、物質の蓄積、保存性や加工性の向上等の特性を有する。
【００３２】
F1ハイブリッド植物とは、２つの異なった系統の品種を交配して得られる一代雑種であり、一般に、両親のどちらよりも優れた形質を持つ雑種強勢の特性を有す植物である。トランスジェニック植物とは、微生物等の他の生物などから外来遺伝子を導入し、自然環境下においては交雑育種、突然変異誘発または自然組換えによっては容易に取得することが出来ないような特性を有する植物である。
【００３３】
上記の植物を作出するための技術としては、例えば、従来型の品種改良技術；遺伝子組換え技術；ゲノム育種技術；新育種技術（new breeding technigues）；ゲノム編集技術が挙げられる。従来型の品種改良技術とは、すなわち突然変異や交配により望ましい性質を有する植物を得る技術である。遺伝子組換え技術とは、ある生物（例えば、微生物）から目的とする遺伝子（DNA）を取り出し、別のターゲット生物のゲノムに導入することで、その生物に新しい性質を付与する技術、および植物に存在する他の遺伝子をサイレントすることによって、新しいまたは改良された特性を付与するアンチセンス技術またはRNA干渉技術である。ゲノム育種技術とは、ゲノム情報を用いて育種を効率化するための技術であり、DNAマーカー（ゲノムマーカーまたは遺伝子マーカーとも呼ぶ）育種技術及びゲノミックセレクションを含む。例えば、DNAマーカー育種は、特定の有用形質遺伝子のゲノム上の存在位置の目印となるDNA配列であるDNAマーカーを用いて、多数の交配後代から目的の有用形質遺伝子を持つ後代を選抜する方法である。交配後代を幼植物の時にDNAマーカーを用いて解析することで、育種に要する時間を効果的に短縮することができる特徴を持つ。
また、ゲノミックセレクションは、事前に入手した表現型とゲノム情報から予測式を作成し、予測式とゲノム情報から表現型の評価を行わずに特性を予測する手法であり、育種の効率化に寄与しうる技術である。新育種技術とは、分子生物学的な手法を組み合わせた品種改良（育種）技術の総称である。例えば、シスジェネシス／イントラジェネシス、オリゴヌクレオチド指向型突然変異導入、RNA依存性DNAメチル化、ゲノム編集、JM台木または穂木への接ぎ木、逆育種、アグロインフィルトレーション、種子生産技術（Seed Production Technology, SPT）などの技術がある。ゲノム編集技術とは、配列特異的に遺伝情報を変換する技術であり、塩基配列の欠失、アミノ酸配列の置換、外来遺伝子の導入等が可能である。例えば、そのツールとして、配列特異的なDNA切断が可能なジンクフィンガーヌクレアーゼ（Zinc-Finger、ZFN）、ターレン（TALEN）、クリスパー・キャスナイン（CRISPR/Cas9）、クリスパー・シーピーエフ1（CRISPER/Cpf1）、メガヌクレアーゼ（Meganuclease）や、前述のツールを改変して作成されたCAS9ニッカーゼやTarget-AID等の配列特異的なゲノム修飾技術がある。
【００３４】
前記した植物は、例えば、国際アグリバイオ事業団（INTERNATINAL SERVICE for the ACQUISITION of AGRI−BIOTECH APPLICATIONS, ISAAA）の電子情報サイト中（http://www.isaaa.org/）の遺伝子組換え作物の登録データベース（GM APPROVAL DATABASE）に収載された植物が挙げられる。より具体的には、除草剤耐性植物、害虫耐性植物、病害耐性植物、生産物（例えば、デンプン、アミノ酸、脂肪酸など）の品質（例えば、含有量増減あるいは組成の変化）改変植物、稔性形質改変植物、非生物的ストレス耐性植物、又は、生長や収量に関する形質の改変植物がある。
【００３５】
除草剤耐性を付与された植物の例を以下に挙げるが、これらに限定されるものではない。
除草剤に対する耐性の機構は、薬剤とその標的との親和性を低下させる、薬剤を不活性化する酵素の発現による薬剤の速やかな代謝（分解・修飾など）あるいは薬剤の植物体への取り込み又は植物体中での移行の阻害などにより得られる。
【００３６】
遺伝子組換え技術により除草剤耐性を付与された植物には、フルミオキサジン等のプロトポルフィリノーゲンオキシダーゼ（以後PPOと略する）除草剤、イソキサフルトール、メソトリオン等の４-ヒドロキシフェニルピルビン酸ジオキシゲナーゼ（以後HPPDと略する）阻害剤、イマゼタピルを含むイミダゾリノン系除草剤およびチフェンスルフロンメチルを含むスルホニルウレア系除草剤等のアセト乳酸合成酵素（以後ALSと略する）阻害剤、グリホサート等の５-エノールピルビルシキミ酸-３-リン酸シンターゼ（以後EPSPと略する）阻害剤、グルホシネート等のグルタミン合成酵素阻害剤、2,4-D、ジカンバ等のオーキシン型除草剤、ブロモキシニルを含むオキシニル系除草剤に対する耐性が遺伝子組換え技術により付与された植物も含まれる。好ましい除草剤耐性トランスジェニック植物は、コムギ、オオムギ、ライムギ、エンバクなどの穀物類、カノーラ、ソルガム、ダイズ、イネ、ナタネ、テンサイ、サトウキビ、グレープ、レンズマネ、ヒマワリ、アルファルファ、仁果類、核果類、コーヒー、チャ、ストロベリー、シバ、トマト、ポテト、キュウリ、レタスなどの野菜類、より好ましくは、コムギ、オオムギ、ライムギ、エンバクなどの穀物類、ダイズ、イネ、つる植物（Vine）、トマト、ポテト、仁果類である。
【００３７】
以下に、具体的な除草剤耐性植物について示すが、これらに限定されるものではない。
グリホサート除草剤耐性植物；例えば、アグロバクテリウム・トメファシエンスCP4株（Agrobacterium tumefaciens strain CP4）由来のグリホサート耐性型EPSPS遺伝子（CP4 epsps）、バチルス・リケニフォミス（Bacillus licheniformis）由来のグリホサート代謝酵素（グリホサートＮ−アセチルトランスフェアーゼ）遺伝子をシャッフリング技術によって代謝活性を強化したグリホサート代謝酵素遺伝子（gat4601、gat4621）、オクロバクテリウムアンスロピLBAA株（Ochrobacterum anthropi strain LBAA）由来のグリホサート代謝酵素（グリホサートオキシダーゼ遺伝子、goxv247）、又は、トウモロコシ由来のグリホサート耐性変異を有するEPSPS遺伝子（mepsps、2mepsps）を1つ以上導入することにより得られる。主な植物は、アルファルファ（Medicago sativa）、アルゼンチンカノーラ（Brassica napus）、コットン（Gossypium hirsutum L.）、クリーピングベントグラス（Agrostis stolonifera）、トウモロコシ（Zea mays L.）ポリッシュカノーラ（Brassica rapa）、ポテト（Solanum tubeHDDrosum L.）、ダイズ（Glycine max L.）、テンサイ（Beta vulgaris）、コムギ（Triticum aestivum）が挙げられる。いくつかのグリホサート耐性のトランスジェニック植物は市販されている。例えば、アグロバクテリウム菌由来のグリホサート耐性型EPSPSを発現する遺伝子組換え植物は「Roundup Ready（登録商標）」を含む商標名で販売され、シャッフリング技術によって代謝活性を強化したバチルス菌由来のグリホサート代謝酵素を発現する遺伝子組換え植物は「Optimum（登録商標）GAT（商標）」、「Optimum（登録商標）Gly canola」等の商標名で販売され、トウモロコシ由来のグリホサート耐性変異を有するEPSPSを発現する遺伝子組換え植物は「GlyTol（商標）」の商標名で販売されている。
【００３８】
グリホシネート除草剤耐性植物；例えば、ストレプトマイセス・ヒグロスコピクス（Streptomyces hygroscopicus）由来のグルホシネート代謝酵素であるホスフィノスリシン  Ｎ−アセチルトランスフェラーゼ（Phosphinothricin N-acetyltransferase、PAT）遺伝子（bar）、ストレプトマイセス・ビリドクロモゲネス（Streptomyes viridochromogenes）由来のグルホシネート代謝酵素であるホスフィノトリシンＮ−アセチルトランスフェラーゼ（PAT）酵素遺伝子（pat）、又は、ストレプトマイセス・ビリドクロモゲネスTu494株（Streptomyes viridochromogenes strain Tu494）由来の合成されたpat遺伝子（pat syn）を1つ以上導入することにより得られる。主な植物は、アルゼンチンカノーラ（Brassica napus）、チコリー（Cichorium intybus）、コットン（Gossypium hirsutum L.）、トウモロコシ（Zea mays L.）、ポリッシュカノーラ（Brassica rapa）、イネ（Oryza sativa L.）、ダイズ（Glycine max L.）、テンサイ（Beta vulgaris）が挙げられる。いくつかのグルホシネート耐性の遺伝子組換え植物は市販されている。ストレプトマイセス・ヒグロスコピクス由来のグルホシネート代謝酵素（bar）およびストレプトマイセス・ビリドクロモゲネス（Streptomyes viridochromogenes）由来の遺伝子組換え植物は「LibertyLink（商標）」、「InVigor(商標)」、「WideStrike（商標）」を含む商標名で販売されている。
オキシニル系除草剤（例えばブロモキシニル）耐性植物；例えば、クレブシエラ・ニューモニエ亜種オゼネ（Klebsiella pneumoniae subsp． Ozaenae）由来のオキシニル系除草剤（例えばブロモキシニル）代謝酵素であるニトリラーゼ遺伝子（bxn）を導入したオキシニル系除草剤、例えばブロモキシニル耐性のトランスジェニック植物がある。主な植物は、アルゼンチンカノーラ（Brassica napus）、コットン（Gossypium hirsutum L.）、タバコ（Nicotiana tabacum L.）が挙げられる。「Navigator（商標）canola」、又は、「BXN（商標）」を含む商標名で販売されている。
ALS除草剤耐性植物；例えば、選抜マーカーとしてタバコ（Nicotiana tabacum）由来のALS除草剤耐性のALS遺伝子（surB）を導入したカーネーション（Dianthus caryophyllus）「Moondust(商標)」、「Moonshadow(商標)」、「Moonshade(商標)」、「Moonlite(商標)」、「Moonaqua(商標)」、「Moonvista(商標)」、「Moonique(商標)」、「Moonpearl(商標)」、「Moonberry(商標)」、「Moonvelvet(商標)」；シロイズナズナ（Arabidopsis thaliana）由来のALS除草剤耐性のALS遺伝子（als）を導入したアマ（Linum usitatissumum L.）「CDC Triffid Flax」；トウモロコシ由来のALS除草剤耐性のALS遺伝子（zm-hra）を導入したスルホニルウレア系及びイミダゾリノン系除草剤に耐性を有するトウモロコシ（Zea mays L.）「Optimum(商標) GAT(商標)」；シロイヌナズナ由来のALS除草剤耐性型ALS遺伝子（csr1-2）を導入したイミダゾリノン系除草剤に耐性を有するダイズ「Cultivance」；ダイズ（Glycine max）由来のALS除草剤耐性型ALS遺伝子（gm-hra）を導入したスルホニルウレア系除草剤に耐性を有するダイズ「Treus（商標）」、「Plenish（商標）」および「Optimum GAT（商標）」の商標名で販売されている。また、タバコ（Nicotiana tabacum cv. Xanthi）由来のALS除草剤耐性のALS遺伝子（S4-HrA）を導入したコットンがある。
HPPD除草剤耐性植物；例えば、エンバク（Avena sativa）由来のメソトリオンに耐性のHPPD遺伝子（avhppd-03）およびストレプトマイセス・ビリドクロモゲネス（Streptomyes viridochromogenes）由来のグルホシネート代謝酵素であるホメソトリオンに耐性を示しフィノトリシンＮ−アセチルトランスフェラーゼ（PAT）酵素遺伝子（pat）を同時に導入したダイズが「Herbicide-tolerant Soybean line」の商標名で販売されている。
【００３９】
2,4-D耐性植物；例えば、スフィンゴビウム・ハービシドボランス（Sphingobium herbicidovorans）由来の2,4-D代謝酵素であるアリルオキシアルカノエートジオキゲナーゼ（aryloxyalkanoate dioxygenase）遺伝子（aad-1）を導入したトウモロコシが、Enlist(商標)Maizeの商標名で販売されている。デルフチア・アシドボランス（Delftia acidovorans）由来の2,4-D代謝酵素であるアリルオキシアルカノエートジオキゲナーゼ遺伝子（aad-12）を導入したダイズおよびコットンがあり、「Enlist（商標）Soybean」の商標名で販売されている。
【００４０】
ジカンバ耐性植物；例えば、ステノトロホモナス・マルトフィリアDI-6株（Stenotrophomonas maltophilia strain DI-6）由来のジカンバ代謝酵素であるジカンバモノオキシゲナーゼ（Dicamba monooxygenase）遺伝子（dmo）を導入したダイズ、コットンがある。上記遺伝子と同時に、アグロバクテリウム・トメファシエンス菌CP4株（Agrobacterium tumefaciens strain CP4）由来のグリホサート耐性型EPSPS遺伝子（CP4 epsps）を導入したダイズ（Glycine max L. ）が「Genuity (登録商標)Roundup Ready(商標) 2 Xtend(商標)」として販売されている。
【００４１】
除草剤耐性が付与された市販されているトランスジェニック植物の例は、グリホサートに対して耐性を有するトウモロコシ「Roundup Ready Corn」、「Roundup Ready 2」、「Agrisure GT」、「Agrisure GT/CB/LL」、「Agrisure GT/RW」、「Agrisure 3000GT」、「YieldGard VT Rootworm/RR2」及び「YieldGard VT Triple」；グリホサートに対して耐性を有するダイズ「Roundup Ready Soybean」及び「Optimum GAT」；グリホサートに対して耐性を有するコットン「Roundup Ready Cootton」、「Roundup Ready Flex」；グリホサート耐性を有するカノーラ「Roundup Ready Canola」；グリホサート耐性を有するアルファルファ「Roundup Ready Alfalfa」、グリホサート耐性を有するイネ「Roundup Ready Rice」；グルホシナートに対して耐性を有するトウモロコシ「Roundup Ready 2」、「Liberty Link」、「Herculex 1」、「Herculex RW」、「Herculex Xtra」、「Agrisure GT/CB/LL」、「Agrisure CB/LL/RW」及び「Bt10」；グルホシナートに対して耐性を有するコットン「FiberMax Liberty Link」；グルホシナート耐性を有するイネ「Liberty Link Rice」；グルホシナートに対して耐性を有するカノーラ「in Vigor」；グルホシナート耐性を有するイネ「Liberty Link Rice」（Bayer製品）；ブロモキシニルに対して耐性を有するコットン「BXN」；ブロモキシニル耐性を有するカノーラ「Navigator」、「Compass」；グルホシナート耐性を有するカノーラ「InVigor」である。除草剤に関して改変されたさらなる植物が広く知られており、例としてはグリホサートに対して耐性を有するアルファルファ、リンゴ、オオムギ、ユーカリ、アマ、ブドウ、ヒラマメ、ナタネ、エンドウマメ、ジャガイモ、イネ、テンサイ、ヒマワリ、タバコ、トマトムシバクサ及びコムギ（例えば、US5188642、US4940835、US5633435、US5804425、US5627061を参照）；ジカンバに対して耐性を有するマメ、コットン、ダイズ、エンドウマメ、ジャガイモ、ヒマワリ、トマト、タバコ、トウモロコシ、ソルガム及びサトウキビ（例えば、WO2008051633、US7105724およびUS5670454を参照)；グルホシナートに対して耐性を有するダイズ、テンサイ、ジャガイモ、トマト及びタバコ（例えば、US6376754、US5646024、US5561236を参照）；2,4-Dに対して耐性を有するコットン、ペッパー類、リンゴ、トマト、ヒマワリ、タバコ、ジャガイモ、トウモロコシ、キュウリ、コムギ、ダイズ、ソルガム及び雑穀類（例えば、US6153401、US6100446、WO2005107437、US5608147、及びUS5670454を参照)；アセトラクタートシンターゼ（ALS）阻害除草剤（例えば、スルホニルウレア系除草剤、及びイミダゾリノン系除草剤に対して耐性を有するカノーラ、トウモロコシ、ヒエ（millet）、オオムギ、コットン、カラシナ、レタス、レンズマメ、メロン、アワ、オートムギ、ナタ、ジャガイモ、イネ、ライムギ、ソルガム、ダイズ、テンサイ、ヒマワリ、タバコ、トマト及びコムギ（例えば、US5013659、WO2006060634、US4761373、US5304732、US6211438、US6211439、及びUS6222100を参照）、特にイミダゾリノン系除草剤に耐性を有するイネが知られており、アセト乳酸合成遺伝子（acetohydroxyacid synthase gene）に特定の変異（例えば、S653N、S654K、A122T、S653(At)N、S654(At)K、A122(At)Tを有するイネ等が知られている（例えば、US 2003/0217381、WO200520673参照）；HPPD阻害除草剤（例えば、イソキサフルトールなどのイソキサゾール系除草剤、スルコトリオン及びメソトリオンなどのトリケトン系除草剤、ピラゾリネートなどのピラ���ール系除草剤及びイソキサフルトールの分解産物のジケトニトリル）に対して耐性があるオオムギ、サトウキビ、イネ、トウモロコシ、タバコ、ダイズ、コットン、ナタネ、テンサイ、コムギ及びジャガイモ（例えば、WO2004/055191、WO199638567、WO1997049816、及びUS6791014を参照）；プロトポルフィリノゲンオキシダーゼ（PPO）阻害除草剤に対して耐性があるコムギ、ダイズ、コットン、テンサイ、ナタネ、イネ、トウモロコシ、ソルガム、サトウキビ及びテンサイ（例えば、US2002/0073443、US2008/0052798、Pest Management Science, 61, 2005, 277-285を参照）である。
【００４２】
古典的育種技術、又は、ゲノム育種技術により除草剤耐性が付与された植物は、例えば、イマゼタピル及びイマザモックス等のイミダゾリノン系ALS阻害型除草剤に耐性を有するイネ「Clearfield Rice」、コムギ「Clearfield Wheat」、ヒマワリ「Clearfield Sunflower」、レンズマメ「Clearfield lentils」及びカノーラ「Clearfield canola」（BASF製品）；チフェンスルフロンメチル等のスルフホニル系ALS阻害型除草剤耐性を有するダイズ「STS soybean」；トリオンオキシム系、アリールオキシフェノキシプロピオン酸系除草剤などのアセチルCoAカルボキシラーゼ阻害剤に耐性を有するセトキシジム耐性トウモロコシ「SR corn」、「Poast Protected(登録商標) corn」；トリベヌロン等のスルホニルウレア系除草剤に耐性を有するヒマワリ「ExpressSun(登録商標)」；キザロホップ等のアセチルCoAカルボキシラーゼ阻害剤に耐性を有するイネ「Rrovisia（商標）Rice」；PSII阻害剤に耐性を有するカノーラ「Triazinon Tolerant Canola」がある。
【００４３】
ゲノム編集技術により除草剤耐性が付与された植物として、迅速な品種開発技術（Rapid Trait Development System、RTDS（登録商標））を用いたスルホニルウレア系除草剤耐性を有するカノーラ「SU Canola（登録商標）」が挙げられる。RTDS（登録商標）とは、ゲノム編集技術のオリゴヌクレオチド指向型突然変異導入に該当し、Gene Repair Oligonucleotide（GRON）、すなわち、DNAとRNAのキメラオリゴヌクレオチドを介して、植物中のDNAを切断することなく変異を導入することが出来る技術である。また、ジンクフィンガーヌクレアーゼを用いて内因性遺伝子IPK1を欠失させることで除草剤耐性およびフィチン酸含有量が低減したトウモロコシ（例えば、Nature 459, 437-441 2009年参照）；クリスパー・キャスナインを用いてコメに除草剤耐性を付与した例などが挙げられる（例えば、Rice, 7, 5 2014年参照）。
【００４４】
新育種技術により除草剤耐性が付与された植物として、接ぎ木を利用した品種改良技術であるJM台木が有する性質を穂木に与える例として、グリホサート耐性を有するRoundup Ready（登録商標）ダイズを台木として用いて、非トランスジェニックダイズ穂木にグリホサート耐性を付与した例が挙げられる（Weed Technology 27:412-416 2013年参照）。
【００４５】
害虫耐性を付与された植物の例を以下に挙げるが、これらに限定されるものではない。
【００４６】
遺伝子組換え技術により鱗翅目昆虫に対する耐性を付与された植物の例として、土壌細菌であるBacillus thuringiensis（以後Bt菌と略す）由来の殺虫性タンパク質であるデルタ−エンドトキシン（δ-endotoxin）をコードする遺伝子を導入したトウモロコシ（Zea mays L.）、ダイズ（Glycine max L.）、コットン（Gossypium hirsutum L.）、イネ（Oryza sativa L.）、ポプラ（Populus sp.）、トマト（Lycopersicon esculentum）、ナス（Solanum melongena）等の植物がある。鱗翅目昆虫に対する耐性を付与するデルタ−エンドトキシンとして、Cry1A、Cry1Ab、改変されたCry1Ab（一部を欠損したCry1Ab）、Cry1Ac、Cry1Ab-Ac（Cry1AbとCry1Acが融合されたハイブリッドタンパク質）、Cry1C、Cry1F、Cry1Fa2（修飾されたcry1F）、moCry1F（修飾されたCry1F）、Cry1A．105（Cry1Ab、Cry1Ac、Cry1Fが融合されたハイブリッドタンパク質）、Cry2Ab2、Cry2Ae、Cry9C、Vip3A、Vip3Aa20等がある。遺伝子組換え技術により鞘翅目昆虫に対する耐性を付与された植物の例として、土壌細菌であるBt菌由来の殺虫性タンパク質であるデルタ−エンドトキシンをコードする遺伝子を導入したトウモロコシ、バレイショ等の植物がある。鞘翅目昆虫に対する耐性を付与するデルタ−エンドトキシンとして、Cry3A、mCry3A（修飾されたCry3A）、Cry3Bb1、Cry34Ab1、Cry35Ab1等がある。遺伝子組換え技術により双翅目の昆虫に対する耐性を付与された植物の例として、土壌細菌であるBt菌由来のCry3AとCry1Abを融合したハイブリッドタンパク質eCry3.1Abをコードする合成遺伝子を導入した遺伝子組換えトウモロコシ（Zea mays L.）、ササゲ（Vigna unguiculata）由来のトリプシン阻害剤CpTIをコードする遺伝子を導入した遺伝子組換えコットン（Gossypium hirsutum L.）がある。さらに、クワイ（Sagittaria sagittifolia）由来のプロテアーゼ阻害剤タンパク質AであるAPIをコードする遺伝子を導入した遺伝子組換えポプラ等があり、広範囲の害虫に対する耐性を示す。
【００４７】
植物に害虫耐性を付与する殺虫性タンパク質は、上記殺虫性タンパク質のハイブリッドタンパク質、一部を欠損したタンパク質、修飾されたタンパク質も含まれる。ハイブリッドタンパク質は遺伝子組換え技術を用いて、複数の殺虫性タンパク質の異なるドメインの組合せによって作製され、Cry1Ab-AcやCry1A．105等が知られている。一部を欠損したタンパク質としては、アミノ酸配列の一部を欠損したCry1Ab等が知られている。修飾されたタンパク質としては、天然型デルタ−エンドトキシンのアミノ酸の1つ又は複数が置換されたタンパク質で、Cry1Fa2、moCry1F、mCry3A等が知られている。また、カテプシンD−認識配列がCry3Aトキシンに挿入されているCry3Ａ055の事例（WO2003/018810を参照）などのように、このようなアミノ酸置換においては、好ましくは、天然には存在しないタンパク分解酵素認識配列がトキシンに挿入されている。
【００４８】
その他に遺伝子組換え技術により植物に害虫耐性を付与する殺虫性タンパク質として、バチルス・セレウス（Bacillus cereus）やバチルス・ポピリエ（Bacillus popilliae）由来の殺虫性タンパク質、Bt菌AB88株由来の植物性殺虫タンパク質Vip1、Vip2、Vip3、Vip3A、フォトラブダスルミネッセンス（Photorhabdus luminescens）、ゼノラブダスネマトフィルス（Xenorhabdus nematophilus）などのフォトラブダス属（Photorhabdus spp.）及びゼノラブダス・ネマトフィルス(Xenorhabdus nematophilus)などのゼノラブダス属（Xenorhabdus spp.）といった線虫共生（線虫にコロニーを作る）バクテリア由来の殺虫性タンパク質、サソリ毒素、クモ毒素、ハチ毒素などの昆虫特異的神経毒素を含む動物によって産生される毒素、ストレプトマイセス(Streptomycetes)毒といった糸状菌類毒素、エンドウレクチン、オオムギレクチン及びスノードロップレクチンなどの植物レクチン、アグルチニン、トリプシン阻害剤、セリンプロテアーゼ阻害剤、パタチン、シスタチン、パパイン阻害剤等のプロテアーゼ阻害剤、リシン、トウモロコシ−RIP、アブリン、ルフィン、サポリン、ブリオジン（bryodin）等のリボゾーム不活性化タンパク（RIP）、３−ヒドロキシステロイドオキシダーゼ、エクジステロイド−UDP−グルコシルトランスフェラーゼ、コレステロールオキシダーゼ等のステロイド代謝酵素、エクダイソン阻害剤、HMG−CoA−リダクターゼ、ナトリウムチャネル又はカルシウムチャネル阻害剤等のイオンチャネル阻害剤、幼若ホルモンエステラーゼ、利尿ホルモン受容体、スチルベンシンターゼ、ビベンジルシンターゼ、キチナーゼ、グルカナーゼ等が挙げられる。
【００４９】
また、１つ又は２つ以上の殺虫性タンパク質遺伝子を導入することで害虫耐性を付与された植物が既に知られており、いくつかの植物は市販されている。害虫耐性を付与されたコットンの例として、Bt菌由来の殺虫性タンパク質Cry1Acを発現する「Bollgard（商標）cotton」、「BXN（商標）Plus Bollgard（商標）Cotton」、「BXN（商標） Plus Bollgard（商標）Cotton」、「JK 1」、「Roundup Ready（商標）Bollgard（商標） Cotton」及び「Ingard（商標）」、Bt菌由来の殺虫性タンパク質改変Cry1F（Cry1Fa2） を発現する「Herculex(商標) I」及び「Herculex(商標) CB」；Bt菌由来の殺虫性タンパク質Vip3Aを発現する「VIPCOT（商標）Cotton」；Bt菌由来の殺虫性タンパク質Cry1AcとCry2Abを発現する「Bollgard II（商標）cotton」、「Roundup Ready（商標） Bollgard II（商標）Cotton」、「Roundup Ready商標） Flex（商標） Bollgard II商標）Cotton」及び「Fivermax（商標） Liberty Link（商標） Bollgard II（商標）」；Bt菌由来の殺虫性タンパク質Cry1Ac、Cry2Ab及びVip3Aを発現する「Bollgard III（登録商標）」及び「Bollgard（登録商標）III x Roundup Ready（商標） Flex（商標）」、Bt菌由来の殺虫性タンパク質Vip3AとCry1Abを発現する「VIPCOT（商標） Roundup Ready Flex（商標） Cotton」；Bt菌由来の殺虫性タンパク質Vip3AとCry1Acを発現する「VIPCOT（登録商標）」；Bt菌由来の殺虫性タンパク質Cry1Ac、Cry1Fを発現する「WideStrike（商標）Cotton」、「WideStrike(商標) Roundup Ready(商標) Cotton」および「Widestrike(商標) Roundup Ready Flex(商標)Cotton」；Bt菌由来の殺虫性タンパク質Vip3Aを発現する「VIPCOT(商標)Cotton」；Bt菌由来の殺虫性タンパク質Cry1AbとCry2Aeを発現する「TwinLink(商標) Cotton」及び「Glytol(商標)x Twinlink(商標)」；Bt菌由来の殺虫性タンパク質Cry1Ac、Cry1F及びVip3Aを発現する「Widestrike(登録商標)3」及び「Widestrike(商標) x Roundup Ready Flex(商標) x VIPCOT(商標) Cotton」；Bt菌由来の殺虫性タンパク質Cry1Ab、Cry2Ae及びVip3Aを発現する「Glytol(商標) x Twinlink(商標) x VIPCOT(商標)Cotton」がある。
【００５０】
害虫耐性を付与されたトウモロコシの例として、Bt菌由来の殺虫性タンパク質Cry3Bb1を発現する「YieldGard（登録商標）Rootworm RW」、「YieldGard(商標) RW + RR」、「YieldGard(商標)VT(商標) Rootworm(商標) RR2」および「MaxGard(商標)」；Bt菌由来の殺虫性タンパク質Cry3Bb1とCry1Abを発現する「YieldGard（登録商標）VT Triple」及び「YieldGard(商標) Plus with RR」；Bt菌由来の殺虫性タンパク質Cry1Acを発現する「Bt Xtra(商標)Maize」；Bt菌由来の殺虫性タンパク質Cry1AbとCry3Bb1を発現する「YieldGard Plus（登録商標）」；Bt菌由来の殺虫性タンパク質Cry1Abを発現する「Bt10」、「Liberty Link(商標)Yieldgard(商標) Maize」、「Agrisure（商標）GT/CB/LL」及び「YieldGard(商標)CB + RR」；Bt菌由来の殺虫性タンパク質Cry1A．105とCry2Ab2を発現する「YieldGard（商標）VT Pro（商標）」および「Genuity（登録商標）VT Double Pro(商標)」；Bt菌由来の殺虫性タンパク質mCry3Aを発現する「Agrisure（登録商標）RW」および「Agrisure(商標)GT/RW」；Bt菌由来の殺虫性タンパク質Cry9Cを発現する「Starlink(商標) Maize」；Bt菌由来の殺虫性タンパク質Cry1Abを発現する「YieldGard(商標)」、「MaizeGard(商標)」、「NaturGard KnockOut（商標）」、「Maximizer(商標)」、「Roundup Ready(商標) YieldGard(商標) maize」、「Agrisure（商標）CB/LL」および「Mavera(商標) YieldGard(商標) Maize」；Bt菌由来の殺虫性タンパク質Cry1Ab、Cry1F、改変Cry3A、Cyr34Ab1及びCyr35Ab1を発現する「Agrisure（登録商標）3122」；Bt菌由来の殺虫性タンパク質Vip3Aa20を発現する「Agrisure（登録商標）Viptera」；Bt菌由来の殺虫性タンパク質Vip3Aa20とCry1Abを発現する「Agrisure（登録商標）Viptera(商標)2100」及び「Agrisure（登録商標）Viptera(商標)3110」；Bt菌由来の殺虫性タンパク質Vip3Aa20、Cry1Ab及び、改変Cry3Aを発現する「Agrisure（登録商標）Viptera(商標)3100」、「Agrisure（登録商標）Viptera（商標) 3111）および「Agrisure（登録商標）Viptera(商標) 4」；Bt菌由来の殺虫性タンパク質Vip3Aa20、Cry1Abおよび改変Cry1Fを発現する「Agrisure（登録商標）Viptera(商標)3220」；Bt菌由来の殺虫性タンパク質eCry3.1Ab（Cry3A-Cry1Abのキメラタンパク質）を発現する「Agrisure（登録商標）Duracade（商標）」；Bt菌由来の殺虫性タンパク質eCry3.1Ab（Cry3A-Cry1Abのキメラタンパク質）、改変Cry3A、Cry1Abおよび改変Cry1Fを発現する「Agrisure（登録商標）Duracade（商標）5122」；Bt菌由来の殺虫性タンパク質eCry3.1Ab（Cry3A-Cry1Abのキメラタンパク質）、改変Cry3A、改変Cry1AbおよびVip3A変異形を発現する「Agrisure（登録商標）Duracade（商標）5222」；Bt菌由来の殺虫性タンパク質Cyr34Ab1とCyr35Ab1を発現する「Herculex（商標）RW」；Bt菌由来の殺虫性タンパク質Cyr34Ab1、Cyr35Ab1およびCry1Fを発現する「Herculex XTRA（商標）」；Bt菌由来の殺虫性タンパク質Cry1A．105、Cry2Ab2およびCry3Bb1を発現する「Genuity（登録商標） VT Triple Pro（商標）」；Bt菌由来の殺虫性タンパク質Cry1F、Cry2Ab、Cyr34Ab1、Cyr35Ab1、Cry3Bb1およびCry1A．105を発現する「Genuity（登録商標）SmartStax(商標)」；Bt菌由来の殺虫性タンパク質改変Cry1F、Cry2AbおよびCry1A．105を発現する「Power Core(商標)」；Bt菌由来の殺虫性タンパク質改変Cry1F、Cyr34Ab1、Cyr35Ab1を発現する「Herculex XTRA(商標) RR」；Bt菌由来の殺虫性タンパク質改変Cry1F、Cyr34Ab1、Cyr35Ab1、Cry1Abおよび改変Cry3Aを発現する「Optimum(登録商標) Intrasect Xtreme」；Bt菌由来の殺虫性タンパク質改変Cry1F、Cyr34Ab1、Cyr35Ab1、Cry1Abを発現する「Optimum(登録商標) Intrasect XTRA」；Bt菌由来の殺虫性���ンパク質改変Cry1F及び改変Cyr3Aを発現する「Optimum(登録商標) TRIsect」が市販されている。
【００５１】
その他の害虫耐性を付与された植物の例として、Bt菌由来の殺虫性タンパク質Cry3Aを発現するバレイショ「Atlantic NewLeaf（商標）potato」、「NewLeaf（商標）Russet Burbank potato」、「Lugovskoi plus」、「Elizaveta plus」、「Hi-Lite NewLeaf（商標）Y potato、Superior NewLeaf(商標) potato」及び「Shepody NewLeaf(商標) Y potato」；Bt菌由来の殺虫性タンパク質Cry1AbとCry1Acを発現するイネ「hanyou 63」および「Huahui-1」；Bt菌由来の殺虫性タンパク質Cry1Acを発現するダイズ「Intacta(商標) Roundup Ready(商標) 2 Pro」；Bt菌由来の殺虫性タンパク質Cry1Acを発現するナス「BARI Bt Begun-1, -2, -3 and -4」が市販されている。
【００５２】
例えば、コーンルートワームに対する抵抗性を有するトウモロコシ「YieldGard corn rootworm」及び「YieldGard VT」、「Herculex RW」及び「Herculex Rootworm」及び「Agrisure CRW」；コーンボーラーに対する抵抗性を有するトウモロコシ「YieldGard corn borer」、「YieldGard plus」及び「YieldGard VT Pro」、「Agrisure CB/LL」及び「Agrisure 3000GT」「Hercules I」及び「Hercules II」、「KnockOut」、「NatureGard」および「StarLink」、ウエスタンビーンカットワーム、コーンボーラー、ブラックカットワームおよびフォールアーミーワームに対する抵抗性を有するトウモロコシ「Herculex I」および「Herculex Xtra」、「NewLeaf」、「NewLeaf Y」および「NewLeaf Plus」；コーンボーラーおよびコーンルートワームに対する抵抗性を有するトウモロコシ「YieldGard Plus」；ニセアメリカタバコガに対する抵抗性を有するコットン「Bollgard I」及び「Bollgard II」；ニセアメリカタバコガ、コットンボールワーム、フォールアーミーワーム、ビートアーミーワーム、キャベツルーパー、ダイズルーパーおよびピンクボールワームに対する抵抗性を有するコットン「Bollgard II」、「WideStrike」および「VipCot」；タバコスズメガ抵抗性を有するジャガイモ「NewLeaf」、「NewLeaf Y」および「NewLeaf Plus」；ナスノメイガ、フルーツボーラーおよびコットンボールワームに対する抵抗性を有するナス「Bt brinjal」、「Dumaguete Long Purple」、「Mara」(例えば、US5128130参照)がある。
【００５３】
殺虫剤抵抗性を有するさらなる植物が一般的に知られており、例えば、サンカメイガ抵抗性イネ(例えば、Molecular Breeding, 第18巻(2006年)、No. 1参照)、鱗翅目抵抗性レタス(例えば、US5349124参照)、抵抗性ダイズ(例えば、US7432421参照)および鱗翅目(例えばニカメイガ、イチモンジセセリ、イネヨトウ、コブノメイガ、ライスケースワーム、およびライスアーミーワーム)に対する抵抗性を有するイネ(例えば、WO2001021821参照)がある。このような植物の作製方法は当業者に一般的に公知であり、例えば、上記の刊行物に記載されている。
【００５４】
RNA干渉技術により害虫耐性を付与された植物として、鱗翅目害虫（例えば、コーンボーラー類、コーンイヤワーム、コーンルートワーム類、ブラックカットワームなどのカットワーム類及びフォールアーミーワームに耐性を有するトウモロコシ「SmartStax(登録商標)、「SmartStax(登録商標) Pro」、「Genuity(登録商標) SmartStax Pro」の商標名で市販あるいは開発されている。
【００５５】
古典的育種技術、又は、ゲノム育種技術により害虫耐性を付与された植物は、例えば、アブラムシ耐性遺伝子であるRag1（Resistance Aphid Gene 1）遺伝子を有するアブラムシに抵抗性を示すダイズ；シストセンチュウ（Cysto nematode）に抵抗性を示すダイズ；ネコブセンチュウ（Root Knot nematode）に抵抗性を示すコットン；トビイロウンカに抵抗性を示すイネ「関東BPH1号」；ハスモンヨトウに抵抗性を示すダイズ「フクノミノリ」が挙げられる。
【００５６】
これらの害虫耐性を付与された植物には、任意の有害昆虫（特に鱗翅目昆虫、鞘翅目昆虫、双翅目の昆虫）、クモ類及びセンチュウ類に対する耐性が付与されている。害虫耐性を付与された植物は、好ましくは、禾穀類(例えばコムギ、オオムギ、ライムギ、カラスムギ)；トウモロコシ、カノーラ、ソルガム、ダイズ、イネ、ナタネ、テンサイ、サトウキビ、ブドウ、レンチル、ヒマワリ、アルファルファ、仁果類；核果類；ピーナッツ類；コーヒー；茶；イチゴ類；芝；野菜(例えばトマト、ジャガイモ、ウリ科植物およびレタス)から選択され、より好ましくは、ダイズ、トウモロコシ、トマト類、イネおよび禾穀類(例えばコムギ、オオムギ、ライムギおよびカラスムギ)から選択され、最も好ましくはダイズ、イネ、トウモロコシおよび禾穀類(例えばコムギ、オオムギ、ライムギおよびカラスムギ)から選択される。
【００５７】
病害耐性を付与された植物の例を以下に挙げるが、これらに限定されるものではない。
【００５８】
遺伝子組換え技術により病害耐性を付与された植物は、例えば、いわゆる「病原性関連タンパク質」(PRP、例えばEP0392225を参照)またはいわゆる「抗真菌タンパク質」(AFP、例えば、US6864068を参照)を発現する植物である。植物病原性真菌に対する活性を有する様々な抗真菌タンパク質が特定の植物種から単離され、常識となっている。このような抗病原性物質およびこのような抗病原性物質を合成することができる植物の例は、例えば、EP0392225、WO1993/05153、WO1995/33818、およびEP0353191から公知である。殺真菌病原体(fungicidal pathogen)、ウイルス性病原体および細菌性病原体に対して抵抗性を有する植物は、植物抵抗性遺伝子を導入することによって作製される。多数の抵抗性遺伝子が同定され、単離されて植物抵抗性を改善するために使用されたが、このような抵抗性遺伝子としては、例えば、タバコモザイクウイルス(TMV)抵抗性タバコ植物を作製するためにTMVに感受性のタバコ系統に導入されたN遺伝子(例えば、US 5571706を参照)、増強された病原抵抗性を得るために植物に導入されたPrf遺伝子(例えば、WO 199802545を参照)、およびシュードモナス・シリンガエ(Pseudomonas syringae)などの細菌性病原体に対する抵抗性を作り出すために使用されたシロイヌナズナ(Arabidopsis thaliana)に由来するRps2遺伝子(例えばWO 199528423を参照)がある。全身獲得抵抗性応答を示す植物は、N遺伝子のTIRドメインをコードする核酸分子を導入することによって得られている(例えば、US 6630618を参照)。公知の抵抗性遺伝子のさらなる例は、多数のイネ品種に導入されているXa21遺伝子(例えば、US5952485、US5977434、WO1999/09151、WO1996/22375を参照)、コレトトリカム属(colletotrichum)抵抗性のためのRcg1遺伝子(例えば、US2006/225152を参照)、prp1遺伝子(例えば、US5859332、WO 2008017706を参照)、プラムポックスウイルスに対する抵抗性を導入するppv-cp遺伝子(例えば、US PP15,154Psを参照)、P1遺伝子(例えば、US5968828を参照)、ジャガイモにおけるジャガイモ疫病菌(フィトフトラ・インフェスタンス(phytophthora infestans))に対する抵抗性を導入するためのBlb1、Blb2、Blb3、RB2及びRpi-vnt1などの遺伝子(例えば、US7148397を参照)、LRPKml遺伝子(例えば、WO1999064600を参照)、ジャガイモウイルスY抵抗性のためのP1遺伝子(例えば、US5968828を参照)、HA5-1遺伝子(例えば、US5877403およびUS6046384を参照)、ジャガイモウイルスX(PVX)、ジャガイモウイルスY(PVY)、ジャガイモ葉巻ウイルス(PLRV)などのウイルスに対する広範な抵抗性を導入するためのPIP遺伝子(例えば、EP0707069を参照)、ならびに真菌抵抗性を得るためのシロイヌナズナ(Arabidopsis)のNI16遺伝子、ScaM4遺伝子およびScaM5遺伝子などの遺伝子(例えば、US6706952およびEP1018553を参照)である。また、ビーン・ゴールデン・モザイク・ウイルス（Bean golden mosaic virus、以下BGMVと称す）に抵抗性を有するインゲンは、RNA干渉（以後RNAiと称す）技術により抵抗性が付与された植物であり、複製タンパク質の二重鎖RNA遺伝子(sense and antisense ac1遺伝子)を導入し、BGMVの複製タンパクの合成が阻害されることによりBGMVに抵抗性を示す。このような植物の作製方法は当業者に一般的に公知であり、例えば、上記の刊行物に記載されている。
【００５９】
このような植物によって発現され得る抗病原性物質としては、例えば、イオンチャネル遮断薬(ナトリウムチャネル遮断薬およびカルシウムチャネル遮断薬など)、例えばウイルス性KP1、KP4またはKP6毒素；スチルベンシンターゼ；ビベンジルシンターゼ；キチナーゼ；グルカナーゼ；いわゆる「病原性関連タンパク質」(PRP；例えば、EP0392225を参照)；微生物によって産生される抗病原性物質、例えばペプチド抗生物質もしくは複素環式抗生物質(例えば、WO1995/33818を参照)または植物病原体防御に関与するタンパク質因子もしくはポリペプチド因子(WO 2003/000906に記載されるいわゆる「植物疾患抵抗性遺伝子」)が挙げられる。
【００６０】
植物によって産生される抗病原性物質は、真菌、ウイルスおよび細菌などの様々な病原体に対して植物を保護することができる。本発明に関連して関心が高まっている有用植物は、禾穀類(例えばコムギ、オオムギ、ライムギおよびカラスムギ)、ダイズ、トウモロコシ、イネ、ナタネ、仁果類、核果類、ピーナッツ、コーヒー、茶、イチゴ、芝；つる植物および野菜(例えばトマト、ジャガイモ)、ウリ科植物、パパイヤ、メロン、ヒラマメ属植物(lenses)およびレタスであり、より好ましくはダイズ、トマト、イネおよび禾穀類(例えばコムギ、オオムギ、ライムギおよびカラスムギ)から選択され、最も好ましくはダイズ、イネおよび禾穀類(例えばコムギ、オオムギ、ライムギおよびカラスムギ)から選択される。
【００６１】
真菌病原体(fungal pathogen)に対する抵抗性を有する植物は、例えば、アジアダイズさび病に対する抵抗性を有するダイズ(例えば、WO 2008017706を参照)；ジャガイモ疫病菌(フィトフトラ・インフェスタンス(phytophthora infestans))に対する抵抗性を有するコットントマトジャガイモなどのナス科植物(例えば、US5859332、US7148397、EP1334979を参照)；コレトトリカム グラミノコラ（Colletotrichum graminicola）などのコレトトリクム属(Colletotrichum)に抵抗性を有するトウモロコシ(例えば、US2006/225152を参照)、リンゴ黒星病（ベンチュリア・イナエクアリス（venturia inaequalis)）に対する抵抗性を有するリンゴ（例えばWO1999064600を参照)；フザリウム病(例えばフザリウム・グラミネアルム(fusarium graminearum)、フザリウム・スポロトリキオイデス(fusarium sporotrichioides)、フザリウム・ラテリチウム(fusarium lateritium)、フザリウム・シュードグラミネアルム(fusarium pseudograminearum)、フザリウム・サムブシヌム(fusarium sambucinum)、フザリウム・クルモルム(fusarium culmorum)、フザリウム・ポアエ(fusarium poae)、フザリウム・アクミナツム(fusarium acuminatum)、フザリウム・エクイセチ(fusarium equiseti))に対する抵抗性を有する植物、例えばイネ、コムギ、オオムギ、ライムギ、トウモロコシ、カラスムギ、ジャガイモ、メロン、ダイズおよびソルガム(例えば、US6646184、EP1477557を参照)；広範な殺真菌抵抗性を有するトウモロコシ、ダイズ、禾穀類(特にコムギ、ライムギ、オオムギ、カラスムギ、ライムギ、イネ)、タバコ、ソルガム、サトウキビおよびジャガイモなどの植物(例えば、US5859332、US5689046、US6706952、EP1018553およびUS6020129を参照)である。
【００６２】
細菌性病原体に対する抵抗性を有する植物、および本発明によって網羅される植物は、例えば、キシレラ・ファスティディオーサ(xylella fastidiosa)(例えばUS6232528を参照)に対する抵抗性を有するイネ；細菌性胴枯病に対する抵抗性を有するイネ、コットン、ダイズ、ジャガイモ、ソルガム、トウモロコシ、コムギ、オオムギ、サトウキビ、トマトおよびペッパーなどの植物(例えば、WO2006/42145、US5952485、US5977434、WO1999/09151、WO1996/22375を参照)；シュードモナス・シリンガエ(pseudomonas syringae)に対する抵抗性を有するトマト(例えば、Can. J. Plant Path., 1983, 5：251-255を参照)が挙げられる。
【００６３】
ウイルス性病原体に対する抵抗性を有する植物は、例えば、プラムポックスウイルス(PPV、例えばUS PP15154Ps、EP0626449を参照)に対する抵抗性を有する核果類(例えばプラム、アーモンド、アンズ、サクランボ、モモ、ネクタリン)；ジャガイモウイルスYに対する抵抗性を有するジャガイモ(例えば、US5968828を参照)；トマト黄化えそウイルス(TSWV、例えば、EP0626449、US5973135を参照)に対して抵抗性のジャガイモ、トマト、キュウリおよびマメ科植物などの植物；トウモロコシ条斑病ウイルス(例えば、US6040496を参照)に対する抵抗性を有するトウモロコシ；パパイヤ輪紋病ウイルス(PRSV、例えば、S5877403、US6046384を参照)に対する抵抗性を有するパパイヤ；キュウリモザイクウイルス(CMV、例えば、US6849780を参照)に対する抵抗性を有するウリ科植物(例えばキュウリ、メロン、スイカおよびパンプキン)ならびにナス科植物(例えばジャガイモ、タバコ、トマト、ナス, パプリカ、トウガラシおよびペッパー)；スイカモザイクウイルス(WMV2, watermelon mosaic potyvirus 2)およびズッキーニ黄色モザイクウイルス(ZYMV, zucchini yellow mosaic potyvirus)に対する抵抗性を有するウリ科植物(例えばキュウリ、メロン、スイカおよびパンプキン)(例えばUS6015942を参照)；ジャガイモ葉巻ウイルス(PLRV、例えば、US5576202を参照)に対する抵抗性を有するジャガイモ；ジャガイモウイルスX(PVX)、ジャガイモウイルスY(PVY)、ジャガイモ葉巻ウイルス(PLRV)などのウイルスに対する広範な抵抗性を有するジャガイモ(例えば、EP0707069を参照)、ビーン・ゴールデン・モザイク・ウイルス（Bean golden mosaic virus）に抵抗性を有するインゲンマメ（例えば、Mol Plant Microbe Interact. 2007 Jun;20(6):717-26.を参照）が挙げられる。
【００６４】
抗生物質(例えば、カナマイシン、ネオマイシンおよびアンピシリン)に抵抗性を有する植物が知られる。天然起源の細菌nptII遺伝子は、抗生物質カナマイシンおよびネオマイシンの作用を遮断する酵素を発現する。アンピシリン抵抗性遺伝子であるampR(blaTEM1としても知られる)は、細菌サルモネラ・パラティフィ(Salmonella paratyphi)に由来し、微生物および植物の形質転換においてマーカー遺伝子として使用される。ampRは、アンピシリンを含むペニシリン群の抗生物質を中和する酵素であるベータラクタマーゼの合成に関与する。抗生物質に対する抵抗性を有する植物は、例えば、ジャガイモ、トマト、アマ、カノーラ、ナタネ、アブラナ種子およびトウモロコシが挙げられる(例えば、Plant Cell Reports, 20, 2001年, 610-615、Trends in Plant Science, 11, 2006年, 317-319、Plant Molecular Biology, 37, 1998年, 287-296、Mol Gen Genet., 257, 1998年, 606-13。Plant Cell Reports, 6, 1987年, 333-336、Federal Register (USA), 第60巻, No.113, 1995年, 31139頁。Federal Register (USA), 第67巻, No.226, 2002, 70392頁、Federal Register (USA), 第63巻, No.88, 1998年, 25194頁、Federal Register (USA), 第60巻, No.141, 1995年, 37870頁、Canadian Food Inspection Agency, FD/OFB-095-264-A, 1999年10月, FD/OFB-099-127-A, 1999年10月を参照)。好ましくは、上記の植物は、ダイズ、トマト類および禾穀類(例えば、コムギ、オオムギ、ライムギおよびカラスムギ)から選択され、最も好ましくはダイズおよび禾穀類(例えばコムギ、オオムギ、ライムギおよびカラスムギ)から選択される。
【００６５】
入手可能な植物ウイルス病に耐性を付与された植物は、例えば、パパイヤ・リングスポット・ウイルス（Papaya ringspot virus）に抵抗性を付与されたパパイヤ「Rainbow」、「SunUp」及び「Huanong No. 1」；ジャガイモ疫病菌(フィトフトラ・インフェスタンス(phytophthora infestans))に対する抵抗性を示すジャガイモ「Innate(登録商標) Hibernate」、「Innate（登録商標） Glaciate」及び「Innate（登録商標） Acclimate」；ジャガイモウイルスY及び/又はジャガイモ葉巻ウイルス(PLRV) に対する抵抗性を示すジャガイモ「Newleaf（商標）」を含む製品がある。
【００６６】
古典的育種技術、又は、ゲノム育種技術により病害耐性を付与された植物として、いもち病（Magnaporthe oryzae）に対する耐性を付与されたイネ；紋枯病（Rhizoctonia solani）に対する耐性を付与されたイネ；赤さび病（Puccinia triticina）に対する耐性を付与されたコムギ；黄さび病（Puccinia striiformis f. sp. tritici）に対する耐性を付与されたコムギ；黒さび病（Puccinia graminis f. sp. tritici）に対する耐性を付与されたコムギ；うどんこ病（Blumeria graminis f. sp. tritici）に対する耐性を付与されたコムギ；葉枯病（Zymoseptoria tritici）に対する耐性を付与されたコムギ；ふ枯病（Stagonospora nodorum）に対する耐性を付与されたコムギ；黄斑病（Pyrenophora tritic-repentis）に対する耐性を付与されたコムギ；うどんこ病（Blumeria graminis f. sp. hordei）に対する耐性を付与されたオオムギ；小さび病（Puccnia hordei）に対する耐性を付与されたオオムギ；網斑病（Pyrenophora teres）に対する耐性を付与されたオオムギ；雲形病（Rhynchosporium commune）に対する耐性を付与されたオオムギ；ラムラリア病（Ramularia collo-cygni）に対する耐性を付与されたオオムギ；炭疽病（Anthracnose stalk rot）に対する耐性を付与されたトウモロコシ；グレイ・リーフ・スポット病（Gray leaf spot）に対する耐性が付与されたトウモロコシ；葉枯細菌病（Goss`s wilt）に対する耐性を付与されたトウモロコシ；フザリウム茎腐病（Fusarium stalk rot）に対する耐性を付与されたトウモロコシ；アジア・ダイズさび病（Asian soybean rust）に耐性を付与されたダイズ；ダイズ茎疫病（phytophthora rot）に対する耐性を付与されたダイズ；ダイズ突然死症候群（Sudden death syndrome）に対する耐性を付与されたダイズ；疫病（Phytophthora）に対する耐性を付与されたペッパー；うどんこ病に耐性を付与されたレタス；青枯れ病（Bacterial wilt）に耐性を付与されたトマト；ジェミニウイルス（Geminivirus）に耐性を付与されたトマト；べと病（Downy mildew）に対する耐性が付与されたレタス；根こぶ病（Clubroot）に対する耐性を付与されたナタネ、キャベツ、芽キャベツ、カリフラワー、カラードグリーン（Borekale）、ブロッコリなどのアブラナ科植物；根朽病（Black leg）に対する耐性を付与されたナタネ、キャベツ、芽キャベツ、カリフラワー、カラードグリーン（Borekale）、ブロッコリなどのアブラナ科植物；Fusarium oxysporum f.sp. melonisが引き起こすメロンつる割病に対する耐性を付与されたメロン（例えば、WO2009000736参照）が挙げられる。
【００６７】
ゲノム編集技術により病害耐性を付与された植物として、ターレンおよびクリスパー・キャスナインを用いて、うどんこ病耐性遺伝子（MILDEW RESISTACE LOCUS O、以後、MLOと略す。）を欠失させることにより、うどんこ病に抵抗性を示すパンコムギ（例えば、Nat.Biotech.,32,947-951 2014年参照）；クリスパー・キャスナインを用いて、MLOの一つであるSlMLO1遺伝子を欠失させることにより、うどんこ病に耐性を示すslmlo1トマト（Tomelo）（例えば、Scientific Reports 7, Article number: 482 2017年参照）；ターレンを用いて、イネ中のOsSWEET14遺伝子の編集により、イネ白葉枯病を引き起こすキサントモナス・オリザエ（Xanthomonas oryzae pv. Oryzae）に耐性を示すイネ（Nat.Biotechnol. 30, 390-392 2012年参照）；クリスパー・キャスナインを用いて、イネ中のOsERF922遺伝子を改変することで、イネいもち病を引き起こすマグナポルテ・オリザエ（Magnaporthe oryzae）に耐性を示すイネ（PLoS ONE 11:e0154027. doi: 10.1371/journal.pone.0154027 2016年参照）；クリスパー・キャスナインを用いて、劣性eIF4E（真核生物翻訳開始因子4E）遺伝子の破壊により、cucumber vein yellow ingvirus(CVYV)、zucchini yellow mosaic virus(ZYMV)、papaya ringspot virus-typeW(PRSV-W)に耐性を示すキュウリ（Mol. PlantPathol. 17, 7 1140-1153 2016年参照）；クリスパー・キャスナインを用いて、RXLR エフェクター遺伝子（Avr4/6）の破壊により、Phytophthora sojaeによって引き起こされるダイズ茎疫病に耐性を示すダイズ（Mol Plant Pathol 17（1）127-39 2016年参照）が挙げられる。
【００６８】
新育種技術により病害耐性を付与された植物として、シスジェネシスを用いて、ベンチュリア・イナエクアリス（Venturia inaequalis）が引き起こすリンゴかび病（Apple scab）に耐性を有するRvi6（以前は、HcrVf2と呼ばれていた）遺伝子を導入したリンゴかび病に耐性を示すリンゴ（例えば、Plant Biotech.J., 12, 2-9, 2014年参照）；接ぎ木を利用した品種改良技術であるJM台木が有する性質を穂木に与える例として、プルヌスえそ輪点ウイルス（Prunus necrotic ringspot virus）の感染耐性を有するトランスジェニック台木から、非トランスジェニック穂木に、その性質を移行したスウィートチェリー（Plant Biotech. J., 12, 1319-1328 2014年参照）が挙げられる。
【００６９】
植物中の含有量の改変がなされた植物の例を以下に挙げるが、これらに限定されるものではない。
【００７０】
植物中の含有量の改変は、対応する野生型植物と比較して、改変された化合物の合成または化学物質の合成量の増減を意味する。例えば、ビタミン、アミノ酸、タンパク質およびデンプン、様々な油の含有量が増加あるいは低下した改変植物、ならびにニコチン含有量が低下した改変植物がある。
【００７１】
遺伝子組換え技術により含有量が改変された植物は、例えば、リグニン生産に関わるアルファルファ由来のS−アデノシル−L−メチオニン：トランス−カフェオイルCoA 3−メチルトランスフェラーゼ（ccomt）遺伝子の二重鎖RNAを生成する遺伝子を導入しRNA干渉作用によってリグニン含量を低下させたアルファルファ；脂肪酸合成に関わるローリエ（Umbellularia californica）由来の12：0 ACPチオエステラーゼ遺伝子を導入することによってラウリン酸を含むトリアシルグリセリド含量が増加したカノーラ「Laurical（商標）Canola」；脂肪酸の不飽和化酵素であるダイズ由来のω−6デサチュラーゼの部分遺伝子（gm-fad2-1）を導入することによって同遺伝子発現を抑制し、オレイン酸含量を強化したダイズ「Plenish（商標）」又は、「Treus（商標）」；ダイズ由来のアシル−アシル キャリア・プロテイン・チオエステラーゼ遺伝子（fatb1-A）の二重鎖RNAを生成する遺伝子と、ダイズ由来のδ−12デサチュラーゼ遺伝子（fad2-1A）の二重鎖RNAを生成する遺伝子を導入することによって飽和脂肪酸含量を低下したダイズ「Vistive Gold（商標）」）；サクラソウ由来のδ−6デサチュラーゼ遺伝子（Pj．D6D）と、アカパンカビ由来のδ−12デサチュラーゼ遺伝子（Nc．Fad3）を導入することによってω3脂肪酸の含量を強化した遺伝子組換えダイズ；デンプン分解に関するサーモコッカス菌（Thermococcales sp.）の耐熱性のアルファ−アミラーゼ遺伝子（amy797E）を導入することによってバイオエタノールの生産を強化したトウモロコシ「Enogen（登録商標）」；アミノ酸であるリジンの生産に関するコリネバクテリウム菌（Corynebacterium glutamicum）由来のジヒドロジピコリネート合成酵素遺伝子（cordapA）を導入することによってリジン生産を強化したトウモロコシ「Mavera（商標）Maize」、「Mavera（商標）YieldGard (商標)Maize」；バレイショ由来のデンプン合成酵素（granule-bound starch synthase enzame, GBSS）のアンチセンス遺伝子gbssを導入することで、デンプン粒中のアミロース含量が低下およびアミロペクチン含量が増加されたバレイショ「Amflora（商標）」、「Starch Potato」；バレイショ由来のデンプン分解を促進する転写因子遺伝子PhL及びR1の二重鎖RNAを生成する遺伝子pPhL及びpR1を導入することでデンプンの分解抑制、アスパラギン生成に関わる遺伝子Asn1の二重鎖RNAを生成する遺伝子asn1を導入することでアスパラギンの合成抑制（加熱による発癌性物質であるアクリルアミドの生成に関わるアスパラギン及び還元糖の蓄積抑制が目的）及びバレイショ由来のポリフェノールオキシダーゼ遺伝子Ppo5の二重鎖RNAを生成する遺伝子ppo5を導入することで黒斑形成が抑制されたバレイショ「Innate（登録商標）Cultivate」、「Innate（登録商標） Generate」、「Innate（登録商標） Accelerate」、「Innate（登録商標） Invigorate」、「Innate（登録商標） Glaciate」、「Innate（登録商標） Acclimate」、「Innate（登録商標） Hibernate」；タバコ（Nicotiana tabacum）由来のキノリン酸フォスホリボシルトランスフェラーゼ遺伝子QpTaseのアンチセンス遺伝子（NtQPT1）を導入することによってニコチン含量を低下させたタバコ；ラッパズイセン（Narcissus pseudonarcissus）由来のフィトエン合成酵素遺伝子（psy）とカロテノイドを合成する土壌細菌（Erwinia uredovora）由来のカロテン・デサチュラーゼ遺伝子（crt1）を導入し胚乳特異的に発現さ��ることで、胚乳組織でβ‐カロテンの生産が生産されビタミンAを含むコメを収穫できるイネであるゴールデンライス（Golden rice）がある。その他に、例えば、アミロペクチン含有量が改変されたジャガイモおよびトウモロコシ(例えば、US6784338、US20070261136、WO199704471を参照)；油含有量が改変されたカノーラ、トウモロコシ、コットン、ブドウ、ガマ（cattail）、ササゲ（catalpa）、イネ、ダイズ、ナタネ、コムギ、ヒマワリ、ニガウリ、ベニバナ（safflower）およびベルノニア属（vernonia）の植物(例えば、US7294759、US7157621、US5850026、US6441278、US5723761、US6380462、US6365802、US6974898、WO2001079499、US20060075515およびUS7294759を参照)；脂肪酸含有量が増加したヒマワリ(例えば、US6084164を参照)；アレルゲン含有量が低下したダイズ(例えば、US6864362を参照)；ニコチン含有量が低下したタバコ(例えば、US20060185684、WO2005000352およびWO2007064636を参照)；リジン含有量が増加したカノーラおよびダイズ(例えば、Bio/Technology 13,1995年, 577-582を参照)；メチオニン、ロイシン、イソロイシンおよびバリンの組成が改変されたトウモロコシおよびダイズ(例えば、US6946589、US6905877を参照)；硫黄アミノ酸含有量が増加したダイズ(例えば、EP0929685、WO1997041239を参照)；遊離アミノ酸(例えばアスパラギン、アスパラギン酸、セリン、トレオニン、アラニン、ヒスチジンおよびグルタミン酸)含有量が増加したトマト(例えば、US6727411を参照)；アミノ酸含有量が増加したトウモロコシ(例えば、WO05077117を参照)；デンプン含有量が改変したジャガイモ、トウモロコシおよびイネ(例えば、WO1997044471およびUS7317146を参照)；フラボノイド含有量が改変したトマト、トウモロコシ、ブドウ、アルファルファ、リンゴ、マメ類およびエンドウマメ(例えば、WO0004175を参照)；フェノール性化合物含有量が改変したトウモロコシ、イネ、ソルガム、コットン、ダイズ(例えば、US20080235829を参照);ビタミンAの含有量が増加したトマト、カノーラ（例えば、US6797498、US7348167を参照）；ビタミンEの含有量が増加したトマト、カノーラ、ダイズ、コムギ、ヒマワリ、イネ、トウモロコシ、オオムギ、ライムギ（例えば、US7348167、WO2004058934を参照）；フラボノイドの含有量が改変したアルファルファ、リンゴ、マメ、トウモロコシ、グレープ、トマト、エンドウマメ（例えば、WO0004175参照）がある。このような植物を作製する方法は当業者に一般的に公知であり、例えば、上記の刊行物中に記載されている。好ましくは、植物は、ダイズ、カノーラ、トマト類、イネおよび禾穀類(例えばコムギ、オオムギ、ライムギおよびカラスムギ)から選択され、最も好ましくは、ダイズ、カノーラ、イネおよびコムギ、オオムギから選択される。
【００７２】
古典的育種技術、又は、ゲノム育種技術により含有量の改変がなされた植物として、不飽和オメガ-9脂肪酸を産生するナタネ「Nexera(登録商標)Canola」；アレルゲン含有量が低下したダイズ「ゆめみのり」；良食味への改変を目的としたイネ、例えばアミロース含有量が低下したイネ「ゆめぴりか」などが市販されている。また、ゲノミックセレクションによる果実の特性（果実の重量、香りの多少、多汁性及び糖度など）を改変したカンキツが知られている（Scientific Reports 7, 4721 2017年参照）。
【００７３】
植物の栄養利用を改変した植物は、例えば、窒素もしくはリンの同化または代謝が増強された植物である。遺伝子組換え技術により増強された窒素同化能および窒素利用能を有する植物は、例えば、カノーラ、トウモロコシ、コムギ、ヒマワリ、イネ、タバコ、ダイズ、コットン、アルファルファ、トマト、コムギ、ジャガイモ、テンサイ、サトウキビおよびナタネから選択される(例えば、WO1995009911、WO1997030163、US6084153、US5955651およびUS6864405を参照)。遺伝子組換え技術によりリンの取り込みが改善した植物は、例えば、アルファルファ、オオムギ、カノーラ、トウモロコシ、コットン、トマト、ナタネ、イネ、ダイズ、テンサイ、サトウキビ、ヒマワリ、コムギおよびジャガイモである(例えば、US7417181、US 20050137386を参照)。このような植物を作製する方法は当業者に一般的に公知であり、例えば、上記の刊行物中に記載されている。好ましくは、植物は、ダイズ、トマトおよび禾穀類(例えばコムギ、オオムギ、ライムギおよびカラスムギ)から選択され、最も好ましくはダイズ、イネ、トウモロコシおよびコムギから選択される。
【００７４】
遺伝子組換え技術により稔性形質等を改変された植物には、植物に雄性不稔と稔性回復形質を付与された植物が挙げられる。例えば、葯のタペータム細胞においてバチルス菌（Bacillus amyloliquefaciens）由来のリボヌクレアーゼ遺伝子（barnase）を発現させることによって雄性不稔形質を付与されたトウモロコシ及びチコリ；大腸菌由来のDNAアデニンメチル化酵素遺伝子（dam）を導入することによって雄性不稔形質を付与されたトウモロコシ;雄性不稔形質を与えるトウモロコシ由来のアルファ−アミラーゼ遺伝子（zm-aa1）と稔性回復形質を与えるトウモロコシ由来のms45蛋白質遺伝子（ms45）を導入することによって稔性形質を制御されたトウモロコシ;葯のタペータム細胞においてバチルス菌由来のリボヌクレアーゼ阻害蛋白質遺伝子（barstar）を発現させることによって稔性回復機能を付与されたカノーラ;雄性不稔形質を与えるバチルス菌由来のリボヌクレアーゼ遺伝子（barnase）と、稔性回復形質を与えるバチルス菌由来のリボヌクレアーゼ阻害蛋白質遺伝子（barstar）を発現させることによって稔性形質を制御されたカノーラがある。その他に遺伝子組換え技術により稔性形質を付与された植物は、トマト、イネ、カラシナ、コムギ、ダイズおよびヒマワリがある(例えば、US6720481、US6281348、US5659124、US6399856、US7345222、US7230168、US6072102、EP1135982、WO2001092544およびWO1996040949を参照)。このような植物を作製する方法は当業者に一般的に公知であり、例えば、上記の刊行物中に記載されている。好ましくは、植物は、トウモロコシ、カノーラ、ダイズ、トマト類および禾穀類(例えばコムギ)から選択され、最も好ましくはトウモロコシ、カノーラ、ダイズ、イネ、コムギから選択される。
【００７５】
非生物的ストレス耐性を付与された植物は、乾燥（drought）、高塩分、高光強度、高UV照射、化学汚染(例えば高重金属濃度)、低温または高温、栄養素(すなわち窒素、リン)の限られた供給および集団ストレスなどの非生物的ストレス状態に対する耐性の増加を示す植物である（例えば、WO 200004173、WO2007131699、CA2521729およびUS20080229448を参照）。
【００７６】
遺伝子組換え技術により非生物的ストレス耐性を付与された植物は、例えば、乾燥に耐性を有するイネ、トウモロコシ、ダイズ、サトウキビ、アルファルファ、コムギ、トマト、ジャガイモ、オオムギ、ナタネ、マメ、カラスムギ、ソルガムおよびコットン(例えば、WO2005048693、WO2008002480およびWO 2007030001を参照)；低温に耐性を有するトウモロコシ、ダイズ、コムギ、コットン、イネ、ナタネおよびアルファルファ(例えば、US4731499およびWO2007112122を参照)；高塩分に耐性を有するイネ、コットン、ジャガイモ、ダイズ、コムギ、オオムギ、ライムギ、ソルガム、アルファルファ、ブドウ、トマト、ヒマワリおよびタバコ(例えば、US7256326、US7034139、WO/2001/030990を参照)が挙げられる。また、バチルス・スブチリス（Bacillus subtilis）のコールドショックプロテイン遺伝子cspBを導入したトウモロコシ「DroughtGard(登録商標)」(Monsanto製品)がある。
【００７７】
古典的育種技術、又は、ゲノム育種技術により非生物的ストレス耐性を付与された植物は、例えば、乾燥耐性（drought tolerance）を有するトウモロコシが「Agrisure Artesian（登録商標）」、「Optimum(登録商標) AQUAmax（登録商標）」の商品名で開発されている。
【００７８】
成熟特性の改変は、例えば、熟成の遅延、軟化の遅延および早期成熟である。遺伝子組換え技術により成熟特性を改変した植物は、植物ホルモンのエチレン生成に関する大腸菌バクテリオファージT3由来のS−アデノシルメチオン・ヒドロラーゼ遺伝子（sam-K）を導入することによって棚持ちを改善したメロンやトマト、植物ホルモンのエチレン生成に関わるトマト由来のACC合成酵素遺伝子の一部を欠損した遺伝子、エチレン前駆体であるACCを分解するシュードモナス菌（Pseudomonas chlororaphis）由来のACCデアミナーゼ遺伝子、細胞壁のペクチンを分解するトマト由来のポリガラクチュロナーゼ遺伝子の二重鎖RNAを生成する遺伝子、又は、エチレンの生成に関わるトマト由来のACC酸化酵素遺伝子を導入することによって棚持ちを改善したトマト、トマト由来のポリガラクチュロナーゼ遺伝子の二重鎖RNAを生成する遺伝子pgを導入することによって棚持ちを改善したトマト「FLAVR SAVR（商標）」がある。その他に遺伝子組換え技術により改変された植物は、例えば、熟成が遅延されたトマト、メロン、ラズベリー、イチゴ、マスクメロン、コショウおよびパパイヤがある(例えば、US 5767376、US7084321、US6107548、US5981831、WO1995035387、US 5952546、US 5512466、WO1997001952、WO1992/008798、Plant Cell. 1989, 53-63。Plant Molecular Biology, 50, 2002を参照)。このような植物を作製する方法は当業者に一般的に公知であり、例えば、上記の刊行物中に記載されている。好ましくは、植物は、果実類(例えば、トマト、つる植物、メロン、パパイヤ、バナナ、コショウ、ラズベリーおよびイチゴ)；核果類(例えば、サクランボ、アンズおよびモモ)；仁果類(例えば、リンゴおよびセイヨウナシ)；ならびに柑橘果実類(例えば、シトロン、ライム、オレンジ、ザボン、グレープフルーツ、およびマンダリン)から選択され、より好ましくはトマト、メロン、パパイヤ、つる植物、リンゴ、バナナ、オレンジおよびイチゴから選択され、最も好ましくはトマト、メロン、パパイヤである。
【００７９】
遺伝子組換え技術により、その他の品質改変が付与された植物は、植物のフィチン酸の分解酵素であるクロカビ（Aspergillus niger）由来の３−フィターゼ遺伝子（phyA）を導入することによって内生フィチン酸の分解を強化したカノーラ「Phytaseed（登録商標）Canola」；青色色素のデルフィニジン及びその誘導体を生産する酵素であるペチュニア（Petunia hybrida）由来のジヒロドフラボノール−４−レダクターゼ遺伝子とペチュニア、パンジー（Viola wittrockiana）、サルビア（Salvia splendens）、又は、カーネーション由来のフラボノイド−３’、５’−ヒドロキシラーゼ遺伝子を導入することによって花色を青色に制御したカーネーション「Moondust（商標）」、「Moonshadow（商標）」、「Moonshade（商標）」、「Moonlite（商標）」、「Moonaqua（商標）」、「Moonvista（商標）」、「Moonique（商標）」、「Moonpearl（商標）」、「Moonberry（商標）」、「Moonvelvet（商標）」；青色色素のデルフィニジン及びその誘導体を生産する酵素であるトレニア（Torenia sp.）由来のアントシアニン−5−アシルトランスフェラーゼ遺伝子とパンジー由来のフラボノイド−3,5’−ヒドロキシラーゼ遺伝子を導入することによって花色を青色に制御したバラ;改変されたスギ花粉の抗原タンパク質遺伝子（7crp）を導入することによって免疫寛容作用で花粉症緩和効果のある遺伝子組換えイネ;クロカビ由来の３−フィターゼ遺伝子（phyA）を導入することによって内生フィチン酸の分解を強化したトウモロコシ; 繊維のマイクロネア、繊維の強度増加、長さの均一性および色などが改善された高品質な繊維を生産するコットン（(例えば、WO 1996/26639、US7329802、US6472588およびWO 2001/17333を参照)がある。
【００８０】
植物の生長や収量に関する形質を改変された植物は、生長能力を強化された植物等が挙げられる。遺伝子組換え技術により改変された植物は、例えば、シロイヌナズナ由来の日周性を制御する転写因子をコードする遺伝子（bbx32）を導入することで植物の生長が強化され、結果として高収量が見込めるダイズ；シロイヌナズナ由来のホメオドメイン−ロイシン14 ジッパー (HD-Zip) ファミリーのクラスII HD-Zip II) に属する転写因子遺伝子（athb17）を導入することで雌穂重が増加し、結果として高収量を見込めるトウモロコシが開発されている。
【００８１】
ゲノム編集技術により品質が改変された植物として、ジンクフィンガーヌクレアーゼを用いて、フィチン酸生合成の酵素であるinositol-1,3,4,5,6-pentakisphosphate 2-kinaseをコードするIPK1遺伝子を欠失させることで、フィチン酸含量を低減させたトウモロコシ「ZFN-12 maize」；クリスパー・キャスナインを用いて、ポリフェノール酸化酵素（polyphenol oxidase、PPOと略される）をコードする遺伝子を欠失させることにより褐変耐性が付与されたマッシュルーム（例えば、Nature.,Vol 532, 21 APRIL 2016年参照）が挙げられる。
【００８２】
新育種技術により品質が改変された植物として、シスジェネシスを用いて、リンゴから単離した低polyphenole oxidase（PPO、褐変を引き起こす酵素）生産遺伝子配列GEN-03を新たなリンゴ品種に導入することで、PPO発現量が低減し、褐変しないリンゴ「Arctic（登録商標）」；接ぎ木を利用した品種改良技術であるJM台木が有する性質を穂木に与える例として、耐塩性を有するトマト台木を用いて非トランスジェニック穂木のトマトに耐塩性を付与した例（Physiol Plantarum, 124,465-475 2005年参照）が挙げられる。
【００８３】
イネでは、多数の病害、害虫及び非生物的ストレスに対する抵抗性を示す遺伝子が知られており、それらを導入した抵抗性品種の作出が盛んである。イネにおける病害、及び非生物的ストレスに対する抵抗性を示す遺伝子として、例えば、BPH1、BPH2、BPH3、BPH4、BPH5、BPH6、BPH7、BPH8、BPH9、BPH10、BPH11、BPH12、BPH13、BPH14、BPH15、BPH17、BPH18、BPH19、BPH20、BPH21、BPH22、BPH23、BPH24、BPH25、BPH26、BPH27、BPH28、BPH29、BPH32、qBPH-12、ｑBPHR-1、ｑBPHR-3、ｑBPHR-8、ｑBPHR-5-1ｑBPHR-5-2ｑBPHR-11-1、ｑBPHR-11-2、等のトビイロウンカ抵抗性遺伝子；WBPH1、WBPH2、WBPH3、WBPH4、WBPH5、WBPH6、OVC、qOVA-5-2、qOVA1-3、qOVA5-1、等のセジロウンカ抵抗性品種；Qsbph2b、Qsbph3、Qsbph3b、Qsbph3c、Qsbph3d、Qsbph4、Qsbph8、Qsbph11、Qsbph11d、Qsbph11e、Qsbph11f、Qsbph11g、Qsbph12a等のヒメトビウンカ抵抗性遺伝子；GLH、GLH1、GLH3、GLH4、GLH5、GLH6、GLH7、GLH8、GLH9、GLH10、GLH11、GLH12、GLH13、GRH1、GRH2、GRH3、GRH4、GRH5、Zlh1、Zlh2、Zlh3、ｑGRH-4、ｑGRH-2、ｑGRH-5、ｑGRH-6、ｑGRH-11、ｑGRH-3、等のヨコバイ抵抗性遺伝子；SB等のニカメイチュウ抵抗性遺伝子；Pii、PI65、PIZT、PI24、PI29、PI25、Pi-jnw1、PB1、PIQ6、PID3、PI67、PITQ5、PITP、PITQ6、PLM2、PISE3、IPI、PISE1、PI157、PIQ4、PI21、PIA、PIB、PIK、PIKUR1、PIKUR2、PI3、PIF、PIZH、PIR4、PIR7、PI30、PI、PIGD2、PIG、PIGD3、PIGD1、PIZ、PI(、PI18、PIM、PI17、PI20、PI1、PI19、PI5、PISH、PI10、PI9、PI21、PI22、PI44、PI22、PI13、PII、PIB1、PIQ1、PIQ2、PIQ3、PIIS1、PII2、PI62、PI12、IPI3、PI14、PI15、PI16、PIT、PI11、PI6、PI23、PI14、PI11、PIIS2、PIB2、PI12、PI39、PI40、PITA、PIR2-3、PIR9-2、PIR12-2、PIRF2-1、qRBR-2、qRBR-3、PI27、PI28、PI26、PIGM、PI47、PI48、PI7、PI56、PI49、PI34、PIKG、PI38、PI32、PI31、PI46、PIX、PIXY、Pita3、PI41、PI42、PI2、PI36、PI37、PIKH、PIKM、PIKP、PI35、PIZ5、PIB2、PI43、PI50、PI51、PID1、PIY1、PIY2、PI55-2、PICO39、PI55-1、PIBH8、PIR7A、PIR7B、PID2、PI33、ｑBFR4-1、ｑBFR4-2、ｑRBR-2、ｑRBR-3、ｑRBR-8、ｑRBR-1-1、ｑRBR-1-3、ｑRBR-7-1、ｑRBR-7-2、ｑRBR-9-1、ｑRBR-9-2、ｑRBR-9-3、ｑRBR-1-2、ｑRBR-1-4、等のいもち病抵抗性遺伝子；STVA、STVB、Stvb-i等の縞葉枯れ病抵抗性遺伝子；XA21D、XA、XA40、XA NM、XA8、XA33、XA34、XA35、XA36、XA37、XA7、XA3、XA25、XA28、XA29、XA30、XA31、XA32、XA38、XA39、XA11、XA16、XA17、XA18、XA19、XA20、XA14、XA2、XA12、XA1、XA K、XA A、XA H、XA10、XA23、XA22、XA24、XA21、SERRT13、XA4、XA5、XA13等の白葉枯病抵抗性遺伝子；qSB-2、qSB-3、qSB-7、qSB-11、qSB-9-1等の紋枯れ病抵抗性遺伝子；CE等のごま葉枯病抵抗性遺伝子；YDV等の黄色萎縮病抵抗性遺伝子；BSV等の黒すじ萎縮病抵抗性遺伝子;Amy1A、Amy1C、Amy3A、Amy3Bなどの高温登塾耐性遺伝子；dul3、qAC9.3、rsr1、Wx、Wx1-1などの低アミロース性遺伝子；AP01、SCM2、Sd1等の耐倒伏性遺伝子；Sdr4等の穂発芽耐性遺伝子；CTB1、CTB2、ｑLTG3-1等の低温耐性遺伝子；Dro1等の乾燥耐性遺伝子；DEP1、Cn1a、GPS,SPIKE、PTB1、TAWAWA1、WFP,IPA1、GS3、GS5、GS6、GL3.1、GW2、GW8、ｑGL3、qSS7、qSW5等の籾数あるいは種子形に関わる遺伝子；Hd1、Ghd8,DTH8等の日長反応性を調節する遺伝子；FLO4、PDIL1等の胚乳粉質性遺伝子；LOX3等のリポキシゲナーゼ欠失（古米臭を低減させる）遺伝子；Alk等のアミロペクチン鎖長に関わる遺伝子などが知られている。これらの遺伝子を１つあるいは複数が同時に組み込まれたイネ品種が、開発および市販されている。
【００８４】
前記した植物には、遺伝子組換え技術、古典的育種技術、ゲノム育種技術、新育種技術又はゲノム編集技術等を用い、先に述べたような非生物的ストレス耐性、病害耐性、除草剤耐性、害虫耐性、生長や収量形質、栄養取り込み、生産物の品質、稔性形質等を２種以上付与された系統、及び同類又は異なる性質を有する植物同士を掛け合わせることにより親系統が有する２種以上の性質が付与された系統も含まれる。
【００８５】
２つ以上の除草剤に耐性を付与された市販の植物は、例えば、グリホサート及びグルホシネートに耐性を有するコットン「GlyTol（商標）LibertyLink（商標）」、「GlyTol(商標) LibertyLink（商標）」；グリホサート耐性及びグルホシネート耐性を有するトウモロコシ「Roundup Ready（商標）LibertyLink（商標）Maize」；グルホシネート耐性及び2,4-D耐性を有するダイズ「Enlist（商標）Soybean」;グリホサート耐性及びジカンバ耐性を有するダイズ「Genuity（登録商標）Roundup Ready（商標）2 Xtend（商標）」；グリホサート耐性及びALS阻害剤耐性を有するトウモロコシ及びダイズ「OptimumGAT（商標）」;グリホサート、グルホシネート及び2,4-Dの３つの除草剤に耐性である遺伝子組換えダイズ「Enlist E3(商標)」及び「Enlist(商標)Roundup Ready 2 Yield（登録商標）;グリホサート、2,4-D及びアリルオキシフェノキシプロピオン酸系（FOPs）除草剤に耐性である遺伝子組換えトウモロコシ「Enlist(商標)Roundup Ready(登録商標)Corn 2」；グリホサート、2,4-D及びアリルオキシフェノキシプロピオン酸系（FOPs）除草剤に耐性である遺伝子組換えトウモロコシ「Enlist(商標)Roundup Ready(登録商標)Corn 2」；ジカンバ、グリホサート及びグルホシネートに耐性である遺伝子組換えコットン「Bollgard II(登録商標)XtendFlex(商標)Cotton」；グリホサート、グルホシネート及び2,4-Dの３つの除草剤に耐性である遺伝子組換えコットン「Enlist(商標)Cotton」がある。その他に、グルホシネートと2,4-D耐性を有するコットン、グルホシネートとジカンバの両方に耐性を有するコットン、グリホサートと2,4-Dの両方に耐性を有するトウモロコシ、グリホサートとHPPD除草剤の両方に耐性を示すダイズ、グリホサート、グルホシネート2,4-D、アリルオキシフェノキシプロピオン酸系（FOPs）除草剤、シクロヘキサジオン系（DIMs）系除草剤に耐性である遺伝子組換えトウモロコシも開発されている。
【００８６】
除草剤耐性および害虫耐性を付与された市販の植物は、例えば、グリホサート耐性とコーンボーラーに対する抵抗性とを有するトウモロコシ「YieldGard Roundup Ready」および「YieldGard Roundup Ready 2」；グルホシネート耐性とコーンボーラー抵抗性とを有するトウモロコシ「Agrisure CB/LL」；グリホサート耐性とコーンルートワーム抵抗性とを有するトウモロコシ「Yield Gard VT Root worm/RR2」；グリホサート耐性とコーンルートワームおよびコーンボーラーに対する抵抗性とを有するトウモロコシ「Yield Gard VT Triple」；グルホシネート耐性とトウモロコシの鱗翅目害虫抵抗性(Cry1F)(例えば、ウエスタンビーンカットワーム、コーンボーラー、ブラックカットワームおよびフォールアーミーワームに対する抵抗性)とを有するトウモロコシ「Herculex I」；グリホサート耐性とコーンルートワーム抵抗性とを有するトウモロコシ「YieldGard Corn Rootworm/Roundup Ready 2」；グルホシネート耐性とトウモロコシの鱗翅目害虫抵抗性(Cry3A)(例えば、ウエスタンコーンルートワーム、ノーザンコーンルートワームおよびメキシカンコーンルートワームに対する抵抗性)とを有するトウモロコシ「Agrisure GT/RW」；グルホシネート耐性とトウモロコシの鱗翅目害虫抵抗性(Cry34/35Ab1)(例えば、ウエスタンコーンルートワーム、ノーザンコーンルートワームおよびメキシカンコーンルートワームに対する抵抗性)とを有するトウモロコシ「Herculex RW」；グリホサート耐性とコーンルートワーム抵抗性とを有するトウモロコシ「Yield Gard VT Root worm/RR2」；ジカンバ耐性、グリホサート耐性、グリホシネート耐性及びコットンの鱗翅目害虫抵抗性（例えば、ボールワーム類及びタバコバッドワーム、アーミーワーム類などに対する抵抗性）を有するコットン「Bollgard 3(登録商標)XtendFlex(登録商標)」がある。
【００８７】
病害耐性と害虫耐性を付与された市販の植物は、例えば、ポテト・ウイルスY（Potato virus Y）耐性と害虫耐性を付与されたバレイショ「Hi-Lite NewLeaf（商標）Y Potato」、「NewLeaf（商標）Y Russet Burbank Potato」、「Shepody NewLeaf（商標）Y Potato」；ポテト・リーフ・ロール・ウイルス（Potato leaf roll virus）耐性と害虫耐性を付与されたバレイショ「NewLeaf（商標）Plus Russet Burbank Potato」がある。
【００８８】
除草剤耐性と改変された生産物品質を付与された市販の植物は、例えば、グルホシネート耐性と稔性形質を付与されたカノーラ「InVigor（商標）Canola」；グルホシネート耐性と稔性形質を付与されたトウモロコシ「InVigor（商標）Maize」；グリホサート耐性と油含有量が改変されたダイズ「Vistive Gold(商標)」がある。
【００８９】
3つ以上の特性（traits）を有する市販の植物の例としては、グリホサート耐性、グルホシネート耐性および鱗翅目抵抗性(Cry1F)(すなわちウエスタンビーンカットワーム、コーンボーラー、ブラックカットワームおよびフォールアーミーワームに対する抵抗性)を有するトウモロコシ「Herculex I/Roundup Ready 2」；グリホサート耐性、コーンルートワーム抵抗性およびコーンボーラー抵抗性を有するトウモロコシ「YieldGard Plus/Roundup Ready 2」；グリホサート耐性、グルホシネート耐性およびコーンボーラー抵抗性を有するトウモロコシ「Agrisure GT/CB/LL」；グルホシネート耐性および鱗翅目抵抗性(Cry1F + Cry34/35Ab1)(すなわちウエスタンコーンルートワーム、ノーザンコーンルートワーム、メキシカンコーンルートワーム、ウエスタンビーンカットワーム、コーンボーラー、ブラックカットワームおよびフォールアーミーワームに対する抵抗性)を有するトウモロコシ「Herculex Xtra」；グルホシネート耐性、コーンボーラー抵抗性(Cry1Ab)および鱗翅目抵抗性(Cry3A)(すなわちウエスタンコーンルートワーム、ノーザンコーンルートワームおよびメキシカンコーンルートワームに対する抵抗性)を有するトウモロコシ「Agrisure CB/LL/RW」；グリホサート耐性+コーンボーラー抵抗性(Cry1Ab)および鱗翅目抵抗性(Cry3A)(すなわちウエスタンコーンルートワーム、ノーザンコーンルートワームおよびメキシカンコーンルートワームに対する抵抗性)を有するトウモロコシ「Agrisure(商標)3000GT」；グリホサート耐性、コーンルートワームおよびヨーロピアンコーンボーラーに対する抵抗性ならびに高リジン形質を有するトウモロコシ「Mavera high-value corn」;ヨーロピアンコーンボーラー、サウスウェスタンコーンボーラー、コーンイヤーワーム、フォールアーミーワーム、ブラックカットワーム、ウェスタンビーンワームなどの地上を加害する害虫に対する抵抗性を有するトウモロコシ「Optimum(登録商標)Leptra（商標）」、ダイズ斑点病（frogeye leaf spot）、ダイズ突然死症候群（Sudden Death Syndrome）、ダイズ茎かいよう病（southern stem canker）、ダイズ茎疫病（Phytophthora root rot）、サツマイモネコブセンチュウ（southern root-knot nematode）、ダイズ白絹病（Sclerotinia white mold）、ダイズ落葉病（brown stem rot）、ダイズシストセンチュウ（soybean cyst nematode）に対する抵抗性の付与、および鉄欠乏クロロシス（iron chlorosis）の改善、およびクロライド感受性（chloride sensitivity）の改変がなされたダイズ「Credenz(登録商標)soybean」；複数の除草剤耐性および害虫耐性を付与されたコットン「Stoneville(登録商標)Cotton」があり、各地域でのフィールドでの雑草および害虫の発生状況に対応するために、ST5517GLTP、ST4848GLT、ST4949GLT、ST5020GLT、ST5115GLT、ST6182GLT、ST4747GLB2、ST4946GLB2、ST6448GLB2の９つの品種がある。
【００９０】
市販あるいは開発されている植物を以下に列挙する(A1〜A550)が、これらに限定されるものではない。なお、括弧内は、[植物名、Event Name、Event code、商標名（Tradename]、また、NAは、「情報がない」または「入手不可能な情報」を意味する。これら植物の多くは、国際アグリバイオ事業団 （INTERNATINAL SERVICE for the ACQUISITION of AGRI−BIOTECH APPLICATIONS, ISAAA）の電子情報サイト中（http://www.isaaa.org/）の登録データベース（GM APPROVAL DATABASE）に収載されている。A1：[アルファルファ、J101、MON-00101-8、 Roundup Ready(商標)Alfalfa]、A2：[アルファルファ、J101 x J163、MON-00101-8 x MON-00163-7、Roundup Ready(商標)Alfalfa]、A3：[アルファルファ、J163、MON-00163-7、Roundup Ready(商標)Alfalfa]、A4：[アルファルファ、KK179、MON-00179-5、HarvXtra(商標)]、A5：[アルファルファ、KK179 x J101、 MON-00179-5 x MON-00101-8 ]、A6：[リンゴ、GD743、OKA-NB001-8、Arctic(商標）"Golden Delicious" Apple]、A7：[リンゴ、GS784、OKA-NB002-9、Arctic(商標）]、A8：[リンゴ、NF872、OKA-NB003-1、Arctic(商標） Fuji Apple]、A9：[アルゼンチン  カノーラ、23-18-17 (Event 18)、CGN-89111-8、Laurical（商標） Canola]、A10：[アルゼンチン  カノーラ、23-198 (Event 23)、CGN-89465-2、Laurical（商標） Canola]、A11：[アルゼンチン  カノーラ、61061、DP-061061-7]、A12：[アルゼンチン  カノーラ、73496、DP-073496-4、Optimum（登録商標） Gly canola]、A13：[アルゼンチン  カノーラ、73496 x RF3、DP-073496-4 x ACS-BN003-6、NA]、A14：[アルゼンチン  カノーラ、GT200 (RT200)、MON-89249-2、Roundup Ready（商標） Canola]、A15：[アルゼンチン  カノーラ、GT73 (RT73)、MON-00073-7、Roundup Ready（商標） Canola]、A16：[アルゼンチン  カノーラ、HCN10 (Topas 19/2)、NA、Liberty Link（商標） Independence（商標）]、A17：[アルゼンチン  カノーラ、HCN28 (T45)、ACS-BN008-2、InVigor（商標） Canola]、A18：[アルゼンチン  カノーラ、HCN28 x MON88302、ACS-BN008-2 x MON-88302-9、InVigor（商標） x TruFlex（商標） Roundup Ready（商標） Canola]、A19：[アルゼンチン  カノーラ、HCN92 (Topas 19/2)、ACS-BN007-1、Liberty Link（商標） Innovator（商標）]、A20：[アルゼンチン  カノーラ、HCN92 x MON88302、ACS-BN007-1 x MON-88302-9、Liberty Link（商標） Innovator（商標） x TruFlex（商標） Roundup Ready（商標） Canola]、A21：[アルゼンチン  カノーラ、MON88302、MON-88302-9、TruFlex（商標） Roundup Ready（商標） Canola]、A22：[アルゼンチン  カノーラ、MON88302 x MS8 x RF3、MON-88302-9 x ACS-BN005-8 x ACS-BN003-6、InVigor（商標） x TruFlex（商標） Roundup Ready（商標） Canola]、A23：[アルゼンチン  カノーラ、MON88302 x RF3、MON-88302-9 x ACS-BN003-6、NA]、A24：[アルゼンチン  カノーラ、MPS961、NA、Phytaseed（商標） Canola]、A25：[アルゼンチン  カノーラ、MPS962、NA、Phytaseed（商標） Canola]、A26：[アルゼンチン  カノーラ、MPS963、NA、Phytaseed（商標） Canola]、A27：[アルゼンチン  カノーラ、MPS964、NA、Phytaseed（商標） Canola]、A28：[アルゼンチン  カノーラ、MPS965、NA、Phytaseed（商標） Canola]、A29：[アルゼンチン  カノーラ、MS1 (B91-4)、ACS-BN004-7、InVigor（商標） Canola]、A30：[アルゼンチン  カノーラ、MS1 x MON88302、ACS-BN004-7 x MON-88302-9、InVigor（商標） x TruFlex（商標） Roundup Ready（商標） Canola]、A31：[アルゼンチン  カノーラ、MS1 x RF1 (PGS1)、ACS-BN004-7 x ACS-BN001-4、InVigor（商標） Canola]、A32：[アルゼンチン  カノーラ、MS1 x RF1 (PGS2)、ACS-BN004-7 x ACS-BN002-5、InVigor（商標） Canola]、A33：[アルゼンチン  カノーラ、MS1 x RF3、ACS-BN004-7 x ACS-BN003-6、InVigor（商標） Canola]、A34：[��ルゼンチン  カノーラ、MS8、ACS-BN005-8、InVigor（商標） Canola]、A35：[アルゼンチン  カノーラ、MS8 x MON88302、ACS-BN005-8 x MON-88302-9、InVigor（商標） x TruFlex（商標） Roundup Ready（商標） Canola]、A36：[アルゼンチン  カノーラ、MS8 x RF3、ACS-BN005-8 x ACS-BN003-6、InVigor（商標） Canola]、A37：[アルゼンチン  カノーラ、MS8 x RF3 x GT73 (RT73)、ACS-BN005-8 x ACS-BN003-6 x MON-00073-7、NA]、A38：[アルゼンチン  カノーラ、OXY-235、ACS-BN011-5、Navigator（商標） Canola]、A39：[アルゼンチン  カノーラ、PHY14、NA、NA]、A40：[アルゼンチン  カノーラ、PHY23、NA、NA]、A41：[アルゼンチン  カノーラ、PHY35、NA、NA]、A42：[アルゼンチン  カノーラ、PHY36、NA、NA]、A43：[アルゼンチン  カノーラ、RF1 (B93-101)、ACS-BN001-4、InVigor（商標） Canola]、A44：[アルゼンチン  カノーラ、RF1 x MON88302、CS-BN001-4 x MON-88302-9、InVigor（商標） x TruFlex（商標） Roundup Ready（商標） Canola]、A45：[アルゼンチン  カノーラ、RF2 (B94-2)、ACS-BN002-5、InVigor（商標） Canola]、A46：[アルゼンチン  カノーラ、RF2 x MON88302、ACS-BN002-5 x MON-88302-9、InVigor（商標） x TruFlex（商標） Roundup Ready（商標） Canola]、A47：[アルゼンチン  カノーラ、RF3、ACS-BN003-6、InVigor（商標） Canola]、A48：[マメ、EMBRAPA5.1、EMB-PV051-1、NA]、A49：[カーネーション、11(7442)、FLO-07442-4、Moondust（商標）]、A50：[カーネーション、11363(1363A)、FLO-11363-1、Moonshadow（商標）]、A51：[カーネーション、1226A(11226)、FLO-11226-8、Moonshade（商標）]、A52：[カーネーション、123.2.2(40619)、FLO-40619-7、Moonshade（商標）]、A53：[カーネーション、123.2.38(40644)、FLO-40644-4、Moonlite（商標）]、A54：[カーネーション、123.8.12、FLO-40689-6、Moonaqua（商標）]、A55：[カーネーション、123.8.8(40685)、FLO-40685-1、Moonvista（商標）]、A56：[カーネーション、1351A(11351)、FLO-11351-7、Moonshade（商標）]、A57：[カーネーション、1400A(11400)、FLO-11400-2、Moonshade（商標）]、A58：[カーネーション、15、FLO-00015-2、Moondust（商標）]、A59：[カーネーション、16、FLO-00016-3、Moondust（商標）]、A60：[カーネーション、19907、IFD-19907-9、Moonique（商標）]、A61：[カーネーション、25947、IFD-25947-1、Moonpearl（商標）]、A62：[カーネーション、25958、IFD-25958-3、Moonberry（商標）]、A63：[カーネーション、26407、IFD-26407-2、Moonvelvet（商標）]、A64：[カーネーション、4、FLO-00004-9、Moondust（商標）]、A65：[カーネーション、66、FLO-00066-8、NA]A66：[カーネーション、959A(11959)、FLO-11959-3、Moonshade（商標）]、A67：[カーネーション、988A(11988)、FLO-11988-7、Moonshade（商標）]、A68：[チコリ、RM3-3、NA、SeedLink(商標）]、A69：[チコリ、RM3-4、NA、SeedLink(商標）]、A70：[チコリ、RM3-6、NA、SeedLink(商標）]、A71：[コットン、19-51a、DD-01951A-7、NA]、A72：[コットン、281-24-236、DAS-24236-5、NA]、A73：[コットン、281-24-236x3006-210-23(MXB-13)、DAS-24236-5xDAS-21023-5、WideStrike(商標）Cotton]、A74：[コットン、281-24-236x3006-210-23xCOT102x81910、DAS-24236-5xDAS-21023-5xSYN-IR102-7xDAS-81910-7、NA]、A75：[コットン、3006-210-23、DAS-21023-5、NA]、A76：[コットン、3006-210-23x281-24-236xMON1445、DAS-21023-5xDAS-24236-5xMON-01445-2、WideStrike(商標）RoundupReady(商標）Cotton]、A77：[コットン、3006-210-23x281-24-236xMON88913、DAS-21023-5NAxNADAS-24236-5NAxNAMON-88913-8、Widestrike(商標）RoundupReadyFlex(商標）Cotton]、A78：[コットン、3006-210-23x281-24-236xMON88913xCOT102、DAS-21023-5NAxNADAS-24236-5NAxNAMON-88913-8NAxNASYN-IR102-7、Widestrike(商標）RoundupReadyFlex(商標）Cotton]、A79：[コットン、31707、NA、BXN(商標）PlusBollgard(商標）Cotton]、A80：[コットン、31803、NA、BXN(商標）PlusBollgard(商標）Cotton]、A81：[コットン、31807x31808、NA、NA]、A82：[コットン、31807、NA、BXN(商標）PlusBollgard(商標）Cotton]、A83：[コットン、31808、NA、BXN(商標）PlusBollgard(商標）Cotton]、A84：[コットン、42317、NA、BXN(商標）PlusBollgard(商標）Cotton]、A85：[コットン、81910、DAS-81910-7、NA]、A86：[コットン、BNLA-601、NA、NA]、A87：[コットン、BXN10211(10211)、BXN-10211-9、NA]、A88：[コットン、BXN10215(10215)、BXN-10215-4NA、BXN(商標）Cotton]、A89：[コットン、BXN102コットン22(10222)、BXN-10222-2、BXN(商標）Cotton]、A90：[コットン、BXN10224(10224)、BXN-10224-4NA、BXN(商標）Cotton]、A91：[コットン、COT102(IR102)、SYN-IR102-7、VIPCOT(商標）Cotton]、A92：[コットン、COT102xCOT67B、SYN-IR102-7NAxNASYN-IR67B-1、VIPCOT(商標）Cotton]、A93：[コットン、COT102xCOT67BxMON88913、SYN-IR102-7NAxNASYN-IR67B-1NAxNAMON-88913-8、VIPCOT(商標）RoundupReadyFlex(商標）Cotton]、A94：[コットン、COT102xMON15985、SYN-IR102-7NAxNAMON-15985-7、Bollgard(登録商標）III]、A95：[コットン、COT102xMON15985xMON88913、SYN-IR102-7NAxNAMON-15985-7NAxNAMON-88913-8、Bollgard(登録商標）IIIxRoundupReady(商標）Flex(商標）]、A96：[コットン、COT102xMON15985xMON88913xMON88701、SYN-IR102-7NAxNAMON-15985-7NAxNAMON-88913-8NAxNAMONNA88701-3、NA]、A97：[コットン、COT67B(IR67B)、SYN-IR67B-1、NA]、A98：[コットン、Event1、NA、JK1]、A99：[コットン、GFMCry1A、GTL-GFM311-7、NA]、A100：[コットン、GHB119、BCS-GH005-8、NA]、A101：[コットン、GHB614、BCS-GH002-5、GlyTol(商標）]、A102：[コットン、GHB614xLLCotton25、BCS-GH002-5NAxNAACS-GH001-3、GlyTol(商標）LibertyLink(商標）]、A103：[コットン、GHB614xLLCotton25xMON15985、BCS-GH002-5NAxNAACS-GH001-3NAxNAMON-15985-7、NA]、A104：[コットン、GHB614xMON15985、BCS-GH002-5NA×NAMON-15985、NA]、A105：[コットン、GHB614xT304-40xGHB119、BCS-GH002-5NAxNABCS-GH004-7NAxNABCS-GH005-8、Glytol(商標）xTwinlink(商標）]、A106：[コットン、GHB614xT304-40xGHB119xCOT102、BCS-GH002-5NAxNABCS-GH004-7NAxNABCS-GH005-8NAxNASYN-IR102-7、Glytol(商標）xTwinlink(商標）xVIPCOT(商標）Cotton]、A107：[コットン、GK12、NA、NA]、A108：[コットン、LLCotton25、ACS-GH001-3NA、Fibermax(商標）LibertyLink(商標）]、A109：[コットン、LLCotton25xMON15985、ACS-GH001-3NAxNAMON-15985-7、Fibermax(商標）LibertyLink(商標）BollgardII(商標）]、A110：[コットン、MLS9124、NA、NA]、A111：[コットン、MON1076、MON-89924-2、Bollgard(商標）Cotton]、A112：[コットン、MON1445、MON-01445-2、RoundupReady(商標）Cotton]、A113：[コットン、MON15985、MON-15985-7、BollgardII(商標）Cotton]、A114：[コットン、MON15985xMON1445、MON-15985-7NAxNAMON-01445-2、RoundupReady(商標）BollgardII(商標）Cotton]、A115：[コットン、MON1698、MON-89383-1、RoundupReady(商標）Cotton]、A116：[コットン、MON531、MON-00531-6、Bollgard(商標）Cotton,Ingard(商標）]、A117：[コットン、MON531xMON1445、MON-0531-6NAxNAMON-01445-2、RoundupReady(商標）Bollgard(商標）Cotton]、A118：[コットン、MON757、MON-00757-7、Bollgard(商標）Cotton]、A119：[コットン、MON88701、MONNA88701-3、NA]、A120：[コットン、MON88701xMON88913、MONNA88701-3NAxNAMON-88913-8、NA]、A121：[コットン、MON88701xMON88913xMON15985、MONNA88701-3NAxNAMON-88913-8NAxNAMON-15985-7、NA]、A122：[コットン、MON88913、MON-88913-8、RoundupReady(商標）Flex(商標）Cotton]、A123：[コットン、MON88913xMON15985、MON-88913-8NAxNAMON-15985-7、RoundupReady(商標）Flex(商標）BollgardII(商標）Cotton]、A124：[コットン、NgweChi6Bt、NA、NgweChi6Bt]、A125：[コットン、SGK321、NA、NA]、A126：[コットン、T303-3、BCS-GH003-6、NA]、A127：[コットン、T304-40、BCS-GH004-7、NA]、A128：[
コットン、T304-40xGHB119、BCS-GH004-7NAxNABCS-GH005-8、TwinLink(商標）Cotton]、A129：[クリーピングベントグラス、ASR368、SMG-36800-2、NA]、A130：[ナス、BtBrinjalEventEE1、BtBrinjalEventEE1、BARIBtBegun-1,-2,-3and-4]、A131：[ユーカリ、H421、H421、GMEucalyptus]、A132：[アマ、FP967(CDCTriffid)、CDC-FL001-2、CDCTriffidFlax]、A133：[レンズマメ、RH44、RH44、Clearfield(商標）lentil]、A134：[トウモロコシ、32138、DP-32138-132138、2138SPTmaintainer]、A135：[トウモロコシ、3272、SYN-E3272-5、Enogen(商標）]、A136：[トウモロコシ、3272xBt11、SYN-E3272-5xSYN-BT011-1、NA]、A137：[トウモロコシ、3272xBt11xGA21、SYN-E3272-5xSYN-BT011-1xMON-00021-9、NA]、A138：[トウモロコシ、3272xBt11xMIR604、SYN-E3272-5xSYN-BT011-1xSYN-IR604-5、NA]、A139：[トウモロコシ、3272xBT11xMIR604xGA21、SYN-E3272-5xSYN-BT011-1xSYN-IR604-5xMON-00021-9、NA]、A140：[トウモロコシ、3272xBt11xMIR604xTC1507x5307xGA21、SYN-E3272-5xSYN-BT011-1xSYN-IR604-5xDAS-01507-1xSYN-05307-1xMON-00021-9、NA]、A141：[トウモロコシ、3272xGA21、SYN-E3272-5xMON-00021-9、NA]、A142：[トウモロコシ、3272xMIR604、SYN-E3272-5xSYN-IR604-5、NA]、A143：[トウモロコシ、3272xMIR604xGA21、SYN-E3272-5xSYN-IR604-5xMON-00021-9、NA]、A144：トウモロコシ、33121、DP-033121-3、NA]、A145：[トウモロコシ、4114、DP-004114-3、NA]、A146：[トウモロコシ、5307、SYN-05307-1、Agrisure(登録商標）Duracade(商標）]、A147：[トウモロコシ、5307xGA21、SYN-05307-1xMON-00021-9、NA]、A148：[トウモロコシ、5307xMIR604xBt11xTC1507xGA21、SYN-05307-1xSYN-IR604-5xSYN-BT011-1xDAS-01507-1xMON-00021-9、Agrisure(登録商標）Duracade(商標）5122]、A149：[トウモロコシ、5307xMIR604xBt11xTC1507xGA21xMIR162、SYN-05307-1xSYN-IR604-5xSYN-BT011-1xDAS-01507-1xMON-00021-9xSYN-IR162-4、Agrisure(登録商標）Duracade(商標）5222]、A150：[トウモロコシ、59122、DAS-59122-7、Herculex(商標）RW]、A151：[トウモロコシ、59122xDAS40278、DAS-59122-7xDAS-40278-9、NA]、A152：[トウモロコシ、59122xGA21、DAS-59122-7xMON-00021-9、NA]、A153：[トウモロコシ、59122xMIR604、DAS-59122-7xSYN-IR604-5、NA]、A154：[トウモロコシ、59122xMIR604xGA21、DAS-59122-7xSYN-IR604-5xMON-00021-9、NA]、A155：[トウモロコシ、59122xMIR604xTC1507、DAS-59122-7xSYN-IR604-5xDAS-01507-1、NA]、A156：[トウモロコシ、59122xMIR604xTC1507xGA21、DAS-59122-7xSYN-IR604-5xDAS-01507-1xMON-00021-9、NA]、A157：[トウモロコシ、59122xMON810、DAS-59122-7xMON-00810-6、NA]、A158：[トウモロコシ、59122xMON810xMIR604、DAS-59122-7xMON-00810-6xSYN-IR604-5、NA]、A159：[トウモロコシ、59122xMON810xNK603、DAS-59122-7xMON-00810-6xMON-00603-6、NA]、A160：[トウモロコシ、59122xMON810xNK603xMIR604、DAS-59122-7xMON-00810-6xMON-00603-6xSYN-IR604-5、NA]、A161：[トウモロコシ、59122xMON88017、DAS-59122-7xMON-88017-3、NA]、A162：[トウモロコシ、59122xMON88017xDAS40278、DAS-59122-7xMON-88017-3xDAS-40278-9、NA]、A163：[トウモロコシ、59122xNK603、DAS-59122-7xMON-00603-6、Herculex(商標）RWRoundupReady(商標）2]、A164：[トウモロコシ、59122xNK603xMIR604、DAS-59122-7xMON-00603-6xSYN-IR604-5、NA]、A165：[トウモロコシ、59122xTC1507xGA21、DAS-59122-7xDAS-01507-1xMON-00021-9、NA]、A166：[トウモロコシ、676、PH-000676-7、NA]、A167：[トウモロコシ、678、PH-000678-9、NA]、A168：[トウモロコシ、680、PH-000680-2、NA]、A169：[トウモロコシ、98140、DP-098140-6、Optimum(商標）GAT(商標）]、A170：[トウモロコシ、98140x59122、DP-098140-6xDAS-59122-7、NA]、A171：[トウモロコシ、98140xTC1507、DP-098140-6xDAS-01507-1、NA]、A172：[トウモロコシ、98140xTC1507x59122、DP-098140-6xDAS-01507-1xDAS-59122-7、NA]、A173：[トウモロコシ、Bt10、NA、Bt10]、A174：[トウモロコシ、Bt11(X4334CBR,X4734CBR)、SYN-BT011-1、Agrisure(商標）CB/LL]、A175：[ト���モロコシ、Bt11x5307、SYN-BT011-1xSYN-05307-1、NA]、A176：[トウモロコシ、Bt11x5307xGA21、SYN-BT011-1xSYN-05307-1xMON-00021-9、NA]、A177：[トウモロコシ、Bt11x59122、SYN-BT011-1xDAS-59122-7、NA]、A178：[トウモロコシ、Bt11x59122xGA21、SYN-BT011-1xDAS-59122-7xMON-00021-9、NA]、A179：[トウモロコシ、Bt11x59122xMIR604、SYN-BT011-1xDAS-59122-7xSYN-IR604-5、NA]、A180：[トウモロコシ、Bt11x59122xMIR604xGA21、SYN-BT011-1xDAS-59122-7xSYN-IR604-5xMON-00021-9、NA]、A181：[トウモロコシ、Bt11x59122xMIR604xTC1507、SYN-BT011-1xDAS-59122-7xSYN-IR604-5xDAS-01507-1、NA]、A182：[トウモロコシ、BT11x59122xMIR604xTC1507xGA21、SYN-BT011-1xDAS-59122-7xSYN-IR604-5xDAS-01507-1xMON-00021-9、Agrisure(登録商標）3122]、A183：[トウモロコシ、Bt11x59122xTC1507、SYN-BT011-1xDAS-59122-7xDAS-01507-1、NA]、A184：[トウモロコシ、Bt11x59122xTC1507xGA21、SYN-BT011-1xDAS-59122-7xDAS-01507-1xMON-00021-9、NA]、A185：[トウモロコシ、Bt11xGA21、SYN-BT011-1xMON-00021-9、Agrisure(商標）GT/CB/LL]、A186：[トウモロコシ、Bt11xMIR162、SYN-BT011-1xSYN-IR162-4、Agrisure(登録商標）Viptera(商標）2100]、A187：[トウモロコシ、Bt11xMIR162x5307、SYN-BT011-1xSYN-IR162-4xSYN-05307-1、NA]、A188：[トウモロコシ、Bt11xMIR162x5307xGA21、SYN-BT011-1xSYN-IR162-4xSYN-05307-1xMON-00021-9、NA]、A189：[トウモロコシ、Bt11xMIR162xGA21、SYN-BT011-1xSYN-IR162-4xMON-00021-9、Agrisure(登録商標）Viptera(商標）3110]、A190：[トウモロコシ、BT11xMIR162xMIR604、SYN-BT011-1xSYN-IR162-4xSYN-IR604-5、Agrisure(登録商標）Viptera(商標）3100]、A191：[トウモロコシ、BT11xMIR162xMIR604x5307、SYN-BT011-1xSYN-IR162-4xSYN-IR604-5xSYN-05307-1、NA]、A192：[トウモロコシ、Bt11xMIR162xMIR604x5307xGA21、SYN-BT011-1xSYN-IR162-4xSYN-IR604-5xSYN-05307-1xMON-00021-9、NA]、A193：[トウモロコシ、Bt11xMIR162xMIR604xGA21、SYN-BT011-1xSYN-IR162-4xSYN-IR604-5xMON-00021-9、Agrisure(登録商標）Viptera(商標）3111,Agrisure(登録商標）Viptera(商標）4]、A194：[トウモロコシ、Bt11xMIR162xMIR604xMON89034x5307xGA21、SYN-BT011-1xSYN-IR162-4xSYN-IR604-5xMON-89034-3xSYN-05307-1xMON-00021-9、NA]、A195：[トウモロコシ、BT11xMIR162xMIR604xTC1507、SYN-BT011-1xSYN-IR162-4xSYN-IR604-5xDAS-01507-1、NA]、A196：[トウモロコシ、BT11xMIR162xMIR604xTC1507x5307、SYN-BT011-1xSYN-IR162-4xSYN-IR604-5xDAS-01507-1xSYN-05307-1、NA]、A197：[トウモロコシ、Bt11xMIR162xMIR604xTC1507xGA21、SYN-BT011-1xSYN-IR162-4xSYN-IR604-5xDAS-01507-1xMON-00021-9、NA]、A198：[トウモロコシ、Bt11xMIR162xMON89034、SYN-BT011-1xSYN-IR162-4xMON-89034-3、NA]、A199：[トウモロコシ、Bt11xMIR162xMON89034xGA21、SYN-BT011-1xSYN-IR162-4xMON-89034-3xMON-00021-9、NA]、A200：[トウモロコシ、Bt11xMIR162xTC1507、SYN-BT011-1xSYN-IR162-4xDAS-01507-1、NA]、A201：[トウモロコシ、Bt11xMIR162xTC1507x5307、SYN-BT011-1xSYN-IR162-4xDAS-01507-1xSYN-05307-1、NA]、A202：[トウモロコシ、Bt11xMIR162xTC1507x5307xGA21、SYN-BT011-1xSYN-IR162-4xDAS-01507-1xSYN-05307-1xMON-00021-9、NA]、A203：[トウモロコシ、Bt11xMIR162xTC1507xGA21、SYN-BT011-1xSYN-IR162-4xDAS-01507-1xMON-00021-9、Agrisure(商標）Viptera3220]、A204：[トウモロコシ、Bt11xMIR604、SYN-BT011-1xSYN-IR604-5、Agrisure(商標）CB/LL/RW]、A205：[トウモロコシ、Bt11xMIR604x5307、SYN-BT011-1xSYN-IR604-5xSYN-05307-1、NA]、A206：[トウモロコシ、Bt11xMIR604x5307xGA21、SYN-BT011-1xSYN-IR604-5xSYN-05307-1xMON-00021-9、NA]、A207：[トウモロコシ、BT11xMIR604xGA21、SYN-BT011-1xSYN-IR604-5xMON-00021-9、Agrisure(商標）3000GT]、A208：[トウモロコシ、Bt11xMIR604xTC1507、SYN-BT011-1xSYN-IR604-5xDAS-01507-1、NA]、A209：[トウモロコシ、Bt11xMIR604xTC1507x5307、SYN-BT011-1xSYN-IR604-5xDAS-01507-1xSYN-05307-1、NA]、A210：[トウモロコシ、Bt11xMIR604xTC1507xGA21、SYN-BT011-1xSYN-IR604-5xDAS-01507-1xMON-00021-9、NA]、A211：[トウモロコシ、Bt11xMON89034、SYN-BT011-1xMON-89034-3、NA]、A212：[トウモロコシ、Bt11xMON89034xGA21、SYN-BT011-1xMON-89034-3xMON-00021-9、NA]、A213：[トウモロコシ、Bt11xTC1507、SYN-BT011-1xDAS-01507-1、NA]、A214：[トウモロコシ、Bt11xTC1507x5307、SYN-BT011-1xDAS-01507-1xSYN-05307-1、NA]、A215：[トウモロコシ、Bt11xTC1507x5307xGA21、SYN-BT011-1xDAS-01507-1xSYN-05307-1xMON-00021-9、NA]、A216：[トウモロコシ、Bt11xTC1507xGA21、SYN-BT011-1xDAS-01507-1xMON-00021-9、NA]、A217：[トウモロコシ、Bt176(176)、SYN-EV176-9、NaturGardKnockOut(商標）,Maximizer(商標）]、A218：[トウモロコシ、BVLA430101、NA、NA]、A219：[トウモロコシ、CBH-351、ACS-ZM004-3、Starlink(商標）Maize]、A220：[トウモロコシ、DAS40278、DAS-40278-9、Enlist(商標）Maize]、A221：[トウモロコシ、DAS40278xNK603、DAS-40278-9xMON-00603-6、NA]、A222：[トウモロコシ、DBT418、DKB-89614-9、BtXtra(商標）Maize]、A223：[トウモロコシ、DLL25(B16)、DKB-89790-5、NA]、A224：[トウモロコシ、GA21、MON-00021-9、RoundupReady(商標）Maize,Agrisure(商標）GT]、A225：[トウモロコシ、GA21xMON810、MON-00021-9xMON-00810-6、RoundupReady(商標）YieldGard(商標）maize]、A226：[トウモロコシ、GA21xT25、MON-00021-9xACS-ZM003-2、NA]、A227：[トウモロコシ、HCEM485、HCEM485、NA]、A228：[トウモロコシ、LY038、REN-00038-3、Mavera(商標）Maize]、A229：[トウモロコシ、LY038xMON810、REN-00038-3xMON-00810-6、Mavera(商標）YieldGard(商標）Maize]、A230：[トウモロコシ、MIR162、SYN-IR162-4、Agrisure(商標）Viptera]、A231：[トウモロコシ、MIR162x5307、SYN-IR162-4xSYN-05307-1、NA]、A232：[トウモロコシ、MIR162x5307xGA21、SYN-IR162-4xSYN-05307-1xMON-00021-9、NA]、A233：[トウモロコシ、MIR162xGA21、SYN-IR162-4xMON-00021-9、NA]、A234：[トウモロコシ、MIR162xMIR604、SYN-IR162-4xSYN-IR604-5、NA]、A235：[トウモロコシ、MIR162xMIR604x5307、SYN-IR162-4xSYN-IR604-5xSYN-05307-1、NA]、A236：[トウモロコシ、MIR162xMIR604x5307xGA21、SYN-IR162-4xSYN-IR604-5xSYN-05307-1xMON-00021-9、NA]、A237：[トウモロコシ、MIR162xMIR604xGA21、SYN-IR162-4xSYN-IR604-5xMON-00021-9、NA]、A238：[トウモロコシ、MIR162xMIR604xTC1507x5307、SYN-IR162-4xSYN-IR604-5xDAS-01507-1xSYN-05307-1、NA]、A239：[トウモロコシ、MIR162xMIR604xTC1507x5307xGA21、SYN-IR162-4xSYN-IR604-5xDAS-01507-1xSYN-05307-1xMON-00021-9、NA]、A240：[トウモロコシ、MIR162xMIR604xTC1507xGA21、SYN-IR162-4xSYN-IR604-5xDAS-01507-1xMON-00021-9、NA]、A241：[トウモロコシ、MIR162xMON89034、SYN-IR162-4xMON-89034-3、NA]、A242：[トウモロコシ、MIR162xMON89034xGA21、SYN-IR162-4xMON-89034-3xMON-00021-9、NA]、A243：[トウモロコシ、MIR162xNK603、SYN-IR162-4xMON-00603-6、NA]、A244：[トウモロコシ、MIR162xTC1507、SYN-IR162-4xDAS-01507-1、NA]、A245：[トウモロコシ、MIR162xTC1507x5307、SYN-IR162-4xDAS-01507-1xSYN-05307-1、NA]、A246：[トウモロコシ、MIR162xTC1507x5307xGA21、SYN-IR162-4xDAS-01507-1xSYN-05307-1xMON-00021-9、NA]、A247：[トウモロコシ、MIR162xTC1507xGA21、SYN-IR162-4xDAS-01507-1xMON-00021-9、NA]、A248：[トウモロコシ、MIR604、SYN-IR604-5、Agrisure(商標）RW]、A249：[トウモロコシ、MIR604x5307、SYN-IR604-5xSYN-05307-1、NA]、A250：[トウモロコシ、MIR604x5307xGA21、SYN-IR604-5xSYN-05307-1xMON-00021-9、NA]、A251：[トウモロコシ、MIR604xGA21、SYN-IR604-5xMON-00021-9、
Agrisure(商標）GT/RW]、A252：[トウモロコシ、MIR604xNK603、SYN-IR604-5xMON-00603-6、NA]、A253：[トウモロコシ、MIR604xTC1507、SYN-IR604-5xDAS-01507-1、Optimum(登録商標)TRIsect(商標)]、A254：[トウモロコシ、MIR604xTC1507x5307、SYN-IR604-5xDAS-01507-1xSYN-05307-1、NA]、A255：[トウモロコシ、MIR604xTC1507x5307xGA21、SYN-IR604-5xTC1507xSYN-05307-1xMON-00021-9、NA]、A256：[トウモロコシ、MIR604xTC1507xGA21、SYN-IR604-5xTC1507xMON-00021-9、NA]、A257：[トウモロコシ、MON801(MON80100)、MON801、NA]、A258：[トウモロコシ、MON802、MON-80200-7、NA]、A259：[トウモロコシ、MON809、PH-MON-809-2、NA]、A260：[トウモロコシ、MON810、MON-00810-6、YieldGard(商標）,MaizeGard(商標）]、A261：[トウモロコシ、MON810xMIR162、MON-00810-6xSYN-IR162-4、NA]、A262：[トウモロコシ、MON810xMIR162xNK603、MON-00810-6xSYN-IR162-4xMON-00603-6、NA]、A263：[トウモロコシ、MON810xMIR604、MON-00810-6xSYN-IR604-5、NA]、A264：[トウモロコシ、MON810xMON88017、MON-00810-6xMON-88017-3、YieldGard(商標）VTTriple]、A265：[トウモロコシ、MON810xNK603xMIR604、MON-00810-6xMON-00603-6xSYN-IR604-5、NA]、A266：[トウモロコシ、MON832、NA、RoundupReady(商標）Maize]、A267：[トウモロコシ、MON863、MON-00863-5、YieldGard(商標）RootwormRW,MaxGard(商標）]、A268：[トウモロコシ、MON863xMON810、MON-00863-5xMON-00810-6、YieldGard(商標）Plus]、A269：[トウモロコシ、MON863xMON810xNK603、MON-00603-6xMON-00810-6xMON-00863-5、YieldGard(商標）PluswithRR]、A270：[トウモロコシ、MON863xNK603、MON-00863-5xMON-00603-6、YieldGard(商標）RW+RR]、A271：[トウモロコシ、MON87403、MON87403-1、NA]、A272：[トウモロコシ、MON87411、MON-87411-9、NA]、A273：[トウモロコシ、MON87419、MON87419-8、NA]、A274：[トウモロコシ、MON87427、MON-87427-7、RoundupReady(商標）Maize]、A275：[トウモロコシ、MON87427x59122、MON-87427-7xDAS-59122-7、NA]、A276：[トウモロコシ、MON87427xMON88017、MON-87427-7xMON-88017-3、NA]、A277：[トウモロコシ、MON87427xMON88017x59122、MON-87427-7xMON-88017-3xDAS-59122-7、NA]、A278：[トウモロコシ、MON87427xMON89034、MON-87427-7xMON-89034-3、NA]、A279：[トウモロコシ、MON87427xMON89034x59122、MON-87427-7xMON-89034-3xDAS-59122-7、NA]、A280：[トウモロコシ、MON87427xMON89034xMON88017、MON-87427-7xMON-89034-3xMON-88017-3、NA]、A281：[トウモロコシ、MON87427xMON89034xMON88017x59122、MON-87427-7xMON-89034-3xMON-88017-3x59122、NA]、A282：[トウモロコシ、MON87427xMON89034xNK603、MON-87427-7xMON-89034-3xMON-00603-6、NA]、A283：[トウモロコシ、MON87427xMON89034xTC1507、MON-87427-7xMON-89034-3xDAS-01507-1、NA]、A284：[トウモロコシ、MON87427xMON89034xTC1507x59122、MON-87427-7xMON-89034-3xDAS-01507-1xDAS-59122-7、NA]、A285：[トウモロコシ、MON87427xMON89034xTC1507xMON87411x59122、MON-87427-7xMON-89034-3xDAS-01507-1xMON-87411-9xDAS-59122-7、NA]、A286：[トウモロコシ、MON87427xMON89034xTC1507xMON88017、MON-87427-7xMON-89034-3xDAS-01507-1xMON-88017-3、NA]、A287：[トウモロコシ、MON87427xMON89034xMIR162xNK603、MON-87427-7xMON-89034-3xSYN-IR162-4xMON-00603-6、NA]、A288：[トウモロコシ、MON87427xMON89034xTC1507xMON88017x59122、MON-87427-7xMON-89034-3xDAS-01507-1xMON-88017-3xDAS-59122-7、NA]、A289：[トウモロコシ、MON87427xNK603、MON-87427-7xMON-00603-6、NA]、A290：[トウモロコシ、MON87427xTC1507、MON-87427-7xDAS-01507-1、NA]、A291：[トウモロコシ、MON87427xTC1507x59122、MON-87427-7xDAS-01507-1xDAS-59122-7、NA]、A292：[トウモロコシ、MON87427xTC1507xMON88017、MON-87427-7xDAS-01507-1xMON-88017-3、NA]、A293：[トウモロコシ、MON87427xTC1507xMON88017x59122、MON-87427-7xDAS-01507-1xMON-88017-3xDAS-59122-7、NA]、A294：[トウモロコシ、MON87460、MON-87460-4、Genuity(登録商標）DroughtGard(商標）]、A295：[トウモロコシ、MON87460xMON88017、MON-87460-4xMON-88017-3、NA]、A296：[トウモロコシ、MON87460xMON89034xMON88017、MON-87460-4xMON-89034-3xMON-88017-3、NA]、A297：[トウモロコシ、MON87460xMON89034xNK603、MON-87460-4xMON-89034-3xMON-00603-6、NA]、A298：[トウモロコシ、MON87460xNK603、MON-87460-4xMON-00603-6、NA]、A299：[トウモロコシ、MON88017、MON-88017-3、YieldGard(商標）VT(商標）Rootworm(商標）RR2]、A300：[トウモロコシ、MON88017xDAS40278、MON-88017-3xDAS-40278-9、NA]、A301：[トウモロコシ、MON89034、MON-89034-3、YieldGard(商標）VTPro(商標）]、A302：[トウモロコシ、MON89034x59122、MON-89034-3xDAS-59122-7、NA]、A303：[トウモロコシ、MON89034x59122xDAS40278、MON-89034-3xDAS-59122-7xDAS-40278-9、NA]、A304：[トウモロコシ、MON89034x59122xMON88017、MON-89034-3xDAS-59122-7xMON-88017-3、NA]、A305：[トウモロコシ、MON89034x59122xMON88017xDAS40278、MON-89034-3xDAS-59122-7xMON-88017-3xDAS-40278-9、NA]、A306：[トウモロコシ、MON89034xDAS40278、MON-89034-3xDAS-40278-9、NA]、A307：[トウモロコシ、MON89034xMON87460、MON-89034-3xMON-87460-4、NA]、A308：[トウモロコシ、MON89034xMON88017、MON-89034-3xMON-88017-3、Genuity(登録商標）VTTriplePro(商標）]、A309：[トウモロコシ、MON89034xMON88017xDAS40278、MON-89034-3xMON-88017-3xDAS-40278-9、NA]、A310：[トウモロコシ、MON89034xNK603、MON-89034-3xMON-00603-6、Genuity(登録商標）VTDoublePro(商標）]、A311：[トウモロコシ、MON89034xNK603xDAS40278、MON-89034-3xMON-00603-6xDAS-40278-9、NA]、A312：[トウモロコシ、MON89034xTC1507、MON-89034-3xDAS-01507-1、NA]、A313：[トウモロコシ、MON89034xTC1507x59122、MON-89034-3xDAS-01507-1xDAS-59122-7、NA]、A314：[トウモロコシ、MON89034xTC1507x59122xDAS40278、MON-89034-3xDAS-01507-1xDAS-59122-7xDAS-40278-9、NA]、A315：[トウモロコシ、MON89034xTC1507xDAS40278、MON-89034-3xDAS-01507-1xDAS-40278-9、NA]、A316：[トウモロコシ、MON89034xTC1507xMON88017、MON-89034-3xDAS-01507-1xMON-88017-3、NA]、A317：[トウモロコシ、MON89034xTC1507xMON88017x59122、MON-89034-3xDAS-01507-1xMON-88017-3xDAS-59122-7、Genuity(登録商標）SmartStax(商標）]、A318：[トウモロコシ、MON89034xTC1507xMON88017x59122xDAS40278、MON-89034-3xDAS-01507-1xMON-88017-3xDAS-59122-7xDAS-40278-9、NA]、A319：[トウモロコシ、MON89034xTC1507xMON88017xDAS40278、MON-89034-3xDAS-01507-1xMON-88017-3xDAS-59122-7xDAS-40278-9、NA]、A320：[トウモロコシ、MON89034xTC1507xNK603、MON-89034-3xDAS-01507-1xMON-00603-6、PowerCore(商標）]、A321：[トウモロコシ、MON89034xTC1507xNK603xDAS40278、MON-89034-3xDAS-01507-1xMON-00603-6xDAS-40278-9、NA]、A322：[トウモロコシ、MON89034xTC1507xNK603xMIR162、MON-89034-3xDAS-01507-1xMON-00603-6xSYN-IR162-4、NA]、A323：[トウモロコシ、MON89034xTC1507xNK603xMIR162xDAS40278、MON-89034-3xDAS-01507-1xMON-00603-6xSYN-IR162-4xDAS-40278-9、NA]、A324：[トウモロコシ、MON89034xGA21、MON-89034-3xMON-00021-9、NA]、A325：[トウモロコシ、MS3、ACS-ZM001-9、InVigor(商標）Maize]、A326：[トウモロコシ、MS6、ACS-ZM005-4、InVigor(商標）Maize]、A327：[トウモロコシ、MZHG0JG、SYN-000JG-2、NA]、A328：[トウモロコシ、MZIR098、SYN-00098-3、NA]、A329：[トウモロコシ、NK603、MON-00603-6、RoundupReady(商標）2Maize]、A330：[トウモロコシ、NK603xMON810x4114xMIR604、MON-00603-6xMON-00810-6xDP004114-3xSYN-IR604-4、NA]、A331：[トウモロコシ、NK603xMON810、MON-00603-6xMON-00810-6、YieldGard(商標）CB+RR]、A332：[トウモロコシ、NK603xT25、MON-00603-6xACS-ZM003-2、RoundupReady(商標）LibertyLink(商標）Maize]、A333：[トウモロコシ、T14、ACS-ZM002-1、LibertyLink(商標）Maize]、A334：[トウモロコシ、T25、ACS-ZM003-2、LibertyLink(商標）Maize]、A335：[トウモロコシ、T25xMON810、ACS-ZM003-2xMON-00810-6、LibertyLink(商標）Yieldgard(商標）Maize]、A336：[トウモロコシ、TC1507、DAS-01507-1、Herculex(商標）I,Herculex(商標）CB]、A337：[トウモロコシ、TC1507×59122×MON810×MIR604xNK603、DAS-01507-1×DAS-59122-7×MON-00810-6×SYN-IR604-5xMON-00603-6、Optimum(商標）IntrasectXtreme]、A338：[トウモロコシ、TC1507×MON810×MIR604×NK603、DAS-01507-1×MON-00810-6×SYN-IR604-5×MON-00603-6、NA]、A339：[トウモロコシ、TC1507x5307、DAS-01507-1xSYN-05307-1、NA]、A340：[トウモロコシ、TC1507x5307xGA21、DAS-01507-1xSYN-05307-1xMON-00021-9、NA]、A341：[トウモロコシ、TC1507x59122、DAS-01507-1xDAS-59122-7、HerculexXTRA(商標）]、A342：[トウモロコシ、TC1507x59122xDAS40278、DAS-01507-1xDAS-59122-7xDAS-40278-9、NA]、A343：[トウモロコシ、TC1507x59122xMON810、DAS-01507-1xDAS-59122-7xMON-00810-6、Optimum(登録商標)AcreMax(登録商標)Xtra]、A344：[トウモロコシ、TC1507x59122xMON810xMIR604、DAS-01507-1xDAS-59122-7xMON-00810-6xSYN-IR604-5、Optimum(登録商標) AcreMax(登録商標) XTreme]、A345：[トウモロコシ、TC1507x59122xMON810xNK603、DAS-01507-1xDAS-59122-7xMON-00810-6xMON-00603-6、Optimum(商標）IntrasectXTRA]、A346：[トウモロコシ、TC1507x59122xMON88017、DAS-01507-1xDAS-59122-7xMON-88017-3、NA]、A347：[トウモロコシ、TC1507x59122xMON88017xDAS40278、DAS-01507-1xDAS-59122-7xMON-88017-3xDAS-40278-9、NA]、A348：[トウモロコシ、TC1507x59122xNK603、DAS-01507-1xDAS-59122-7xMON-00603-6、HerculexXTRA(商標）RR]、A349：[トウモロコシ、TC1507x59122xNK603xMIR604、DAS-01507-1xDAS-59122-7xMON-00603-6xSYN-IR604-5、NA]、A350：[トウモロコシ、TC1507xDAS40278、DAS-01507-1xDAS-40278-9、NA]、A351：[トウモロコシ、TC1507xGA21、DAS-01507-1xMON-00021-9、NA]、A352：[トウモロコシ、TC1507xMIR162xNK603、DAS-01507-1xSYN-IR162-4xMON-00603-6、Optimum(登録商標)Leptra(商標)]、A353：[トウモロコシ、TC1507xMIR604xNK603、DAS-01507-1xSYN-IR604-5xMON-00603-6、Optimum(商標）TRIsect]、A354：[トウモロコシ、TC1507xMON810、DAS-01507-1xMON-00、NA]、A355：[トウモロコシ、TC1507xMON810xMIR162、DAS-01507-1xMON-00810-6xSYN-IR162-4、NA]、A356：[トウモロコシ、TC1507xMON810xMIR162xNK603、DAS-01507-1xMON-00810-6xSYN-IR162-4xMON-00603-6、NA]、A357：[トウモロコシ、TC1507xMON810xMIR604、DAS-01507-1xMON-00810-6xSYN-IR604-5、NA]、A358：[トウモロコシ、TC1507xMON810xNK603、DAS-01507-1xMON-00810-6xMON-00603-6、Optimum(商標）Intrasect]、A359：[トウモロコシ、TC1507xMON810xNK603xMIR604、DAS-01507-1xMON-00810-6xMON-00603-6xSYN-IR604-5、NA]、A360：[トウモロコシ、TC1507xMON88017、DAS-01507-1xMON-88017-3、NA]、A361：[トウモロコシ、TC1507xMON88017xDAS40278、DAS-01507-1xMON-88017-3xDAS-40278-9、NA]、A362：[トウモロコシ、TC1507xNK603、DAS-01507-1xMON-00603-6、Herculex(商標）IRR]、A363：[トウモロコシ、TC1507xNK603xDAS40278、DAS-01507-1xMON-00603-6xDAS-40278-9、NA]、A364：[トウモロコシ、TC6275、DAS-06275-8、NA]、A365：[トウモロコシ、VCO-01981-5、VCO-01981-5、NA]、A366：[トウモロコシ、DK404SR、DK404SR、NA]、A367：[トウモロコシ、EXP1910IT、EXP1910IT、NA]、A368：[メロン、MelonA、NA、NA]、A369：[メロン、MelonB、NA、NA]、A370：[パパイヤ、55-1、CUH-CP551-8、Rainbow,SunUp]、A371：[パパイヤ、63-1、CUH-CP631-7、NA]、A372：[パパイヤ、HuanongNo.1、NA、HuanongNo.1]、A373：[パパイヤ、X17-2、UFL-X17CP-6、NA]、A374：[ペチュニア、Petunia-CHS、NA、NA]、A375：[プラム、C-5、A
RS-PLMC5-6、NA]、A376：[ポリッシュカノーラ、HCR-1、NA、NA]、A377：[ポリッシュカノーラ、ZSR500、NA、Hysyn101RRRoundup-Ready(商標）]、A378：[ポリッシュカノーラ、ZSR502、NA、Hysyn101RRRoundup-Ready(商標）]、A379：[ポリッシュカノーラ、ZSR503、NA、Hysyn101RRRoundup-Ready(商標）]、A380：[ポプラ、Btpoplar,poplar12(Populusnigra)、NA、NA]、A381：[ポプラ、Hybridpoplarclone741、NA、NA]、A382：[ジャガイモ、1210amk、NA、Lugovskoiplus]、A383：[ジャガイモ、2904/1kgs、NA、Elizavetaplus]、A384：[ジャガイモ、AM04-1020、BPS-A1020-5、StarchPotato]、A385：[ジャガイモ、ATBT04-27、NMK-89367-8、AtlanticNewLeaf(商標）potato]、A386：[ジャガイモ、ATBT04-30、NMK-89613-2、AtlanticNewLeaf(商標）potato]、A387：[ジャガイモ、ATBT04-31、NMK-89170-9、AtlanticNewLeaf(商標）potato]、A388：[ジャガイモ、ATBT04-36、NMK-89279-1、AtlanticNewLeaf(商標）potato]、A389：[ジャガイモ、ATBT04-6、NMK-89761-6、AtlanticNewLeaf(商標）potato]、A390：[ジャガイモ、BT06、NMK-89812-3、NewLeaf(商標）RussetBurbankpotato]、A391：[ジャガイモ、BT10、NMK-89175-5、NewLeaf(商標）RussetBurbankpotato]、A392：[ジャガイモ、BT12、NMK-89601-8、NewLeaf(商標）RussetBurbankpotato]、A393：[ジャガイモ、BT16、NMK-89167-6、NewLeaf(商標）RussetBurbankpotato]、A394：[ジャガイモ、BT17、NMK-89593-9、NewLeaf(商標）RussetBurbankpotato]、A395：[ジャガイモ、BT18、NMK-89906-7、NewLeaf(商標）RussetBurbankpotato]、A396：[ジャガイモ、BT23、NMK-89675-1、NewLeaf(商標）RussetBurbankpotato]、A397：[ジャガイモ、E12、SPS-00E12-8、Innate(登録商標）Cultivate]、A398：[ジャガイモ、E24、SPS-00E24-2、NA]、A399：[ジャガイモ、EH92-527-1、BPS-25271EH92-527-1-9、Amflora(商標）]、A400：[ジャガイモ、F10、SPS-00F10-7、Innate(登録商標）Generate]、A401：[ジャガイモ、F37、SPS-00F37-7、NA]、A402：[ジャガイモ、G11、SPS-00G11-9、NA]、A403：[ジャガイモ、H37、SPS-00H37-9、NA]、A404：[ジャガイモ、H50、SPS-00H50-4、NA]、A405：[ジャガイモ、HLMT15-15、NA、Hi-LiteNewLeaf(商標）Ypotato]、A406：[ジャガイモ、HLMT15-3、NA、Hi-LiteNewLeaf(商標）Ypotato]、A407：[ジャガイモ、HLMT15-46、NA、Hi-LiteNewLeaf(商標）Ypotato]、A408：[ジャガイモ、J3、SPS-000J3-4、Innate(登録商標）Accelerate]、A409：[ジャガイモ、J55、SPS-00J55-2、NA]、A410：[ジャガイモ、J78、SPS-00J78-7、NA]、A411：[ジャガイモ、RBMT15-101、NMK-89653-6、NewLeaf(商標）YRussetBurbankpotato]、A412：[ジャガイモ、RBMT21-129、NMK-89684-1、NewLeaf(商標）PlusRussetBurbankpotato]、A413：[ジャガイモ、RBMT21-152、NA、NewLeaf(商標）PlusRussetBurbankpotato]、A414：[ジャガイモ、RBMT21-350、NMK-89185-6、NewLeaf(商標）PlusRussetBurbankpotato]、A415：[ジャガイモ、RBMT22-082、NMK-89896-6、NewLeaf(商標）PlusRussetBurbankpotato]、A416：[ジャガイモ、RBMT22-186、NA、NewLeaf(商標）PlusRussetBurbankpotato]、A417：[ジャガイモ、RBMT22-238、NA、NewLeaf(商標）PlusRussetBurbankpotato]、A418：[ジャガイモ、RBMT22-262、NA、NewLeaf(商標）PlusRussetBurbankpotato]、A419：[ジャガイモ、SEMT15-02、NMK-89935-9、ShepodyNewLeaf(商標）Ypotato]、A420：[ジャガイモ、SEMT15-07、NA、ShepodyNewLeaf(商標）Ypotato]、A421：[ジャガイモ、SEMT15-15、NMK-89930-4、ShepodyNewLeaf(商標）Ypotato]、A422：[ジャガイモ、SPBT02-5、NMK-89576-1、SuperiorNewLeaf(商標）potato]、A423：[ジャガイモ、SPBT02-7、NMK-89724-5、SuperiorNewLeaf(商標）potato]、A424：[ジャガイモ、TIC-AR233-5、TIC-AR233-5、NA]、A425：[ジャガイモ、V11、SPS-00V11-6、Innate(登録商標）Invigorate]、A426：[ジャガイモ、W8、SPS-000W8-4、Innate(登録商標）Glaciate]、A427：[ジャガイモ、X17、SPS-00X17-5、Innate(登録商標）Acclimate]、A428：[ジャガ���モ、Y9、SPS-000Y9-7、Innate(登録商標）Hibernate]、A429：[イネ、7Crp#10、NA、NA]、A430：[イネ、GMShanyou63、NA、BTShanyou63]、A431：[イネ、Huahui-1/TT51-1、NA、Huahui-1]、A432：[イネ、LLRICE06、ACS-OS001-4、LibertyLink(商標）rice]、A433：[イネ、LLRICE601、BCS-OS003-7、LibertyLink(商標）rice]、A434：[イネ、LLRICE62、ACS-OS002-5、LibertyLink(商標）rice]、A435：[イネ、Tarommolaii+cry1Ab、NA、NA]、A436：[イネ、CL121xCL141xCFX51、CL121xCL141xCFX51、Clearfield(商標）Rice]、A437：[イネ、IMINTA-1xIMINTA-4、IMINTA-1xIMINTA-4、Clearfield(商標）Rice]、A438：[イネ、PWC16、PWC16、NA]、A439：[ローズ、WKS82/130-4-1、IFD-52401-4、NA]、A440：[ローズ、WKS92/130-9-1、IFD-52901-9、NA]、A441：[ダイズ、260-05(G94-1,G94-19,G168)、DD-026005-3、NA]、A442：[ダイズ、A2704-12、ACS-GM005-3、LibertyLink(商標）soybean]、A443：[ダイズ、A2704-21、ACS-GM004-2、LibertyLink(商標）soybean]、A444：[ダイズ、A5547-127、ACS-GM006-4、LibertyLink(商標）soybean]、A445：[ダイズ、A5547-35、ACS-GM008-6、LibertyLink(商標）soybean]、A446：[ダイズ、CV127、BPS-CV127-9、Cultivance]、A447：[ダイズ、DAS44406-6、DAS-44406-6、NA]、A448：[ダイズ、DAS68416-4、DAS-68416-4、Enlist(商標）Soybean]、A449：[ダイズ、DAS68416-4xMON89788、DAS-68416-4xMON-89788-1、NA]、A450：[ダイズ、DAS81419、DAS-81419-2、NA]、A451：[ダイズ、DAS81419xDAS44406-6、DAS-81419-2xDAS-44406-6、NA]、A452：[ダイズ、DP305423、DP-305423-1、Treus(商標）又は、Plenish(商標）]、A453：[ダイズ、DP305423xGTS40-3-2、DP-305423-1xMON-04032-6、NA]、A454：[ダイズ、DP356043、DP-356043-5、OptimumGAT(商標）]、A455：[ダイズ、FG72(FG072-2,FG072-3)、MST-FG072-3、NA]、A456：[ダイズ、FG72xA5547-127、MST-FG072-3xACS-GM006-4、NA]、A457：[ダイズ、GTS40-3-2(40-3-2)、MON-04032-6、RoundupReady(商標）soybean]、A458：[ダイズ、GU262、ACS-GM003-1、LibertyLink(商標）soybean]、A459：[ダイズ、IND-00410-5、IND-00410-5、erdecaHB4Soybean]、A460：[ダイズ、MON87701、MON-87701-2、NA]、A461：[ダイズ、MON87701xMON89788、MON-87701-2xMON-89788-1、Intacta(商標）RoundupReady(商標）2Pro]、A462：[ダイズ、MON87705、MON-87705-6、VistiveGold(商標）]、A463：[ダイズ、MON87705xMON87708、MON-87705-6xMON-87708-9、NA]、A464：[ダイズ、MON87705xMON87708xMON89788、MON-87705-6xMON-87708-9xMON-89788-1、NA]、A465：ダイズ、MON87705xMON89788、MON-87705-6xMON-89788-1、NA]、A466：[ダイズ、MON87708、MON-87708-9、Genuity(登録商標）RoundupReady(商標）2 Xtend(商標）]、A467：[ダイズ、MON87708xMON89788、MON-87708-9xMON-89788-1、NA]、A468：[ダイズ、MON87712、MON-87712-4、NA]、A469：[ダイズ、MON87751、MON-87751-7、NA]、A470：[ダイズ、MON87751xMON87701xMON87708xMON89788、MON-87751-7xMON-87701-2xMON87708xMON89788、NA]、A471：[ダイズ、MON87769、MON87769-7、NA]、A472：[ダイズ、MON87769xMON89788、MON-87769-7xMON-89788-1、NA]、A473：[ダイズ、MON89788、MON-89788-1、Genuity(登録商標）Roundup Ready 2 Yield(商標）]、A474：[ダイズ、SYHT0H2、SYN-000H2-5、Herbicide-tolerantSoybeanline]、A475：[ダイズ、W62、ACS-GM002-9、LibertyLink(商標）soybean]、A476：[ダイズ、W98、ACS-GM001-8、LibertyLink(商標）soybean]、A477：[ダイズ、OT96-15、OT96-15、NA]、A478：[ペポカボチャ（Cucurbitapepo)、CZW3、SEM-0CZW3-2、NA]、A479：[ペポカボチャ（Cucurbita pepo)、ZW20、SEM-0ZW20-7、NA]、A480：[テンサイ、GTSB77(T9100152)、SY-GTSB77-8、InVigor(商標）sugarbeet]、A481：[テンサイ、H7-1、KM-000H71-4、Roundup Ready(商標）sugarbeet]、A482：[テンサイ、T120-7、ACS-BV001-3、LibertyLink(商標）sugarbeet]、A483：[サトウキビ、CTB141175/01-A、CTB141175/01-A、NA]、A484：[サトウキビ、NXI-1T、NXI-1T、NA]、A485：[サトウキビ、NXI-4T、NXI-4T、NA]、A486：[サトウキビ、NXI-6T、NXI-6T、NA]、A487：[ヒマワリ、X81359、X81359、Clearfield(商標）Sunflower]、A488：[スウィートペッパー、PK-SP01、X81359、NA]、A489：[タバコ、C/F/93/08-02、NA、NA]、A490：[タバコ、Vector21-41、NA、NA]、A491：[トマト、1345-4、NA、NA]、A492：[トマト、35-1-N、NA、NA]、A493：[トマト、5345、NA、NA]、A494：[トマト、8338、CGN-89322-3、NA]、A495：[トマト、B、SYN-0000B-6、NA]、A496：[トマト、Da、SYN-000DA-9、NA]、A497：[トマト、DaDongNo9、NA、NA]、A498：[トマト、F(1401F,h38F,11013F,7913F)、SYN-0000F-1、FLAVRSAVR(商標）]、A499：[トマト、FLAVRSAVR(商標）、CGN-89564-2、FLAVRSAVR(商標）]、A500：[トマト、HuafanNo1、NA、NA]、A501：[トマト、PK-TM8805R(8805R)、NA、NA]、A502：[コムギ、MON71800、MON-71800-3、RoundupReady(商標）wheat]、A503：[コムギ、AP205CL、AP205CL、Clearfield(商標）Wheat]、A504：[コムギ、AP602CL、AP602CL、Clearfield(商標）Wheat]、A505：[コムギ、BW255-2xBW238-3、BW255-2xBW238-3、Clearfield(商標）Wheat]、A506：[コムギ、BW7、BW7、Clearfield(商標）Wheat]、A507：[コムギ、Teal11A、Teal11A、Clearfield(商標）Wheat]、A508：[コムギ、SWP965001、SWP965001、NA]、A509：[トウモロコシ、NA、NA、Agrisure Artesian(商標)]、A510:[トウモロコシ、NA、NA、Optimum(登録商標) AQUAmax（登録商標）]、A511：[カノーラ、NA、NA、SU canola（登録商標）]、A512：[カノーラ、NA、NA、Nexera(登録商標)Canola]、A513：[ダイズ、NA、NA、STS soybean」、A514：「トウモロコシ、NA、NA、SR corn」、A514：「ヒマワリ、NA、NA、ExpressSun(登録商標)」、A515：[イネ、NA、NA、Golden rice]、A516：[トウモロコシ、NA、NA、Poast Protected(登録商標) corn]、A517：[ヒマワリ、NA、NA、ExpressSun(登録商標)]、A518：[イネ、NA、NA、Rrovisia（商標）Rice」、A519:[カノーラ、NA、NA、Triazinon Tolerant Canola]、A520：[トウモロコシ、NA、NA、SmartStax(登録商標) Pro]、A521：[ダイズ、NA、NA、Credenz(登録商標)soybean]、A522：[トウモロコシ、TC1507x59122、DAS-01507-1×DAS-59122-7、Optimum(登録商標)AcreMax(登録商標)1]、A523：[トウモロコシ、4114xMON810xMIR604、DP-004114-3×MON-00810-6×SYN-IR604-5、Qrome(商標)]、A524：[コットン、NA、NA、Stoneville(登録商標)Cotton ST5517GLTP]、A525：[コットン、NA、NA、Stoneville(登録商標)Cotton ST4848GLT]、A526：[コットン、NA、NA、Stoneville(登録商標)Cotton ST4949GLT]、A527：[コットン、NA、NA、Stoneville(登録商標)Cotton ST5020GLT]、A528：[コットン、NA、NA、Stoneville(登録商標)Cotton ST5115GLT]、A529：[コットン、NA、NA、Stoneville(登録商標)Cotton ST6182GLT]、A530：[コットン、NA、NA、Stoneville(登録商標)Cotton ST4747GLB2]、A531：[コットン、NA、NA、Stoneville(登録商標)Cotton ST4946GLB2]、A532：[コットン、NA、NA、Stoneville(登録商標)Cotton ST6448GLB2]、A533：[ダイズ、NA、NA、Enlist E3(商標)]、A534：[ダイズ、NA、NA、Enlist(商標)Roundup Ready 2 Yield（登録商標）]、A535：[トウモロコシ、NA、NA、Enlist(商標)Roundup Ready(登録商標)Corn 2]、A536：[トウモロコシ、NA、NA、Smartstax(登録商標)Enlist(商標)]、A537：[トウモロコシ、NA、NA、Powercore(登録商標)Enlist(商標)]、A538：[コットン、NA、NA、Enlist(商標)Cotton]、A539：[コットン、NA、NA、Bollgard II(登録商標)XtendFlex(商標)Cotton]、A540：[コットン、NA、NA、Bollgard 3(登録商標)XtendFlex(登録商標)]、A541:[トウモロコシ、NA、NA、SmartStax(登録商標)RIB Complete(登録商標)Corn]、A542:[トウモロコシ、NA、NA、VT Double PRO(登録商標)RIB Complete(登録商標)Corn]、A543:[トウモロコシ、NA、NA、VT Double PRO(登録商標) Corn]、A544:[トウモロコシ、NA、NA、Genuity(登録商標)VT Tri
ple PRO(登録商標) RIB Complete Corn]、A545:[トウモロコシ、NA、NA、Trecepta(商標) Corn]、A546:[ダイズ、NA、NA、フクノミノリ]、A547:[ダイズ、NA、NA、ゆめみのり]、A548:[トウモロコシ、NA、NA、ZFN-12 maize]、A549:[イネ、NA、NA、ゆめぴりか]、A550:[イネNA、NA、関東BPH1号]
【００９１】
本発明において、本化合物（１）（例えば、本化合物（２））は、上記の改変された植物品種A1〜A550又はその栽培地に施用することが出来る。本化合物（１）（例えば、本化合物（２））を上記の植物品種に施用する場合、その種子または球根に施用することがより好ましい。
【００９２】
以下に、上記植物品種A1〜A550と本化合物（１）（例えば、本化合物（２））の組合せの例を記載する。例えば、A1＋本化合物（１）は、A1：[アルファルファ、J101、MON-00101-8、 Roundup Ready(商標)Alfalfa]と本化合物（１）との組合せを意味し、A1と本化合物（１）の組合せとは、本化合物（１）をA1で示した植物品種またはその栽培地に施用できることを意味する。ここで、以下の組合せの例において、本化合物（１）は、本化合物（２）のみで、または本化合物（２）と本化合物（３）との組合せで置き換えることができる。
【００９３】
上記植物品種と本化合物（１）の組合せ：A1＋本化合物（１）、A2＋本化合物（１）、A3＋本化合物（１）、A4＋本化合物（１）、A5＋本化合物（１）、A6＋本化合物（１）、A7＋本化合物（１）、A8＋本化合物（１）、A9＋本化合物（１）、A10＋本化合物（１）、A11＋本化合物（１）、A12＋本化合物（１）、A13＋本化合物（１）、A14＋本化合物（１）、A15＋本化合物（１）、A16＋本化合物（１）、A17＋本化合物（１）、A18＋本化合物（１）、A19＋本化合物（１）、A20＋本化合物（１）、A21＋本化合物（１）、A22＋本化合物（１）、A23＋本化合物（１）、A24＋本化合物（１）、A25＋本化合物（１）、A26＋本化合物（１）、A27＋本化合物（１）、A28＋本化合物（１）、A29＋本化合物（１）、A30＋本化合物（１）、A31＋本化合物（１）、A32＋本化合物（１）、A33＋本化合物（１）、A34＋本化合物（１）、A35＋本化合物（１）、A36＋本化合物（１）、A37＋本化合物（１）、A38＋本化合物（１）、A39＋本化合物（１）、A40＋本化合物（１）、A41＋本化合物（１）、A42＋本化合物（１）、A43＋本化合物（１）、A44＋本化合物（１）、A45＋本化合物（１）、A46＋本化合物（１）、A47＋本化合物（１）、A48＋本化合物（１）、A49＋本化合物（１）、A50＋本化合物（１）、A51＋本化合物（１）、A52＋本化合物（１）、A53＋本化合物（１）、A54＋本化合物（１）、A55＋本化合物（１）、A56＋本化合物（１）、A57＋本化合物（１）、A58＋本化合物（１）、A59＋本化合物（１）、A60＋本化合物（１）、A61＋本化合物（１）、A62＋本化合物（１）、A63＋本化合物（１）、A64＋本化合物（１）、A65＋本化合物（１）、A66＋本化合物（１）、A67＋本化合物（１）、A68＋本化合物（１）、A69＋本化合物（１）、A70＋本化合物（１）、A71＋本化合物（１）、A72＋本化合物（１）、A73＋本化合物（１）、A74＋本化合物（１）、A75＋本化合物（１）、A76＋本化合物（１）、A77＋本化合物（１）、A78＋本化合物（１）、A79＋本化合物（１）、A80＋本化合物（１）、A81＋本化合物（１）、A82＋本化合物（１）、A83＋本化合物（１）、A84＋本化合物（１）、A85＋本化合物（１）、A86＋本化合物（１）、A87＋本化合物（１）、A88＋本化合物（１）、A89＋本化合物（１）、A90＋本化合物（１）、A91＋本化合物（１）、A92＋本化合物（１）、A93＋本化合物（１）、A94＋本化合物（１）、A95＋本化合物（１）、A96＋本化合物（１）、A97＋本化合物（１）、A98＋本化合物（１）、A99＋本化合物（１）、A100＋本化合物（１）、A101＋本化合物（１）、A102＋本化合物（１）、A103＋本化合物（１）、A104＋本化合物（１）、A105＋本化合物（１）、A106＋本化合物（１）、A107＋本化合物（１）、A108＋本化合物（１）、A109＋本化合物（１）、A110＋本化合物（１）、A111＋本化合物（１）、A112＋本化合物（１）、A113＋本化合物（１）、A114＋本化合物（１）、A115＋本化合物（１）、A116＋本化合物（１）、A117＋本化合物（１）、A118＋本化合物（１）、A119＋本化合物（１）、A120＋本化合物（１）、A121＋本化合物（１）、A122＋本化合物（１）、A123＋本化合物（１）、A124＋本化合物（１）、A125＋本化合物（１）、A126＋本化合物（１）、A127＋本化合物（１）、A128＋本化合物（１）、A129＋本化合物（１）、A130＋本化合物（１）、A131＋本化合物（１）、A132＋本化合物（１）、A133＋本化合物（１）、A134＋本化合物（���）、A135＋本化合物（１）、A136＋本化合物（１）、A137＋本化合物（１）、A138＋本化合物（１）、A139＋本化合物（１）、A140＋本化合物（１）、A141＋本化合物（１）、A142＋本化合物（１）、A143＋本化合物（１）、A144＋本化合物（１）、A145＋本化合物（１）、A146＋本化合物（１）、A147＋本化合物（１）、A148＋本化合物（１）、A149＋本化合物（１）、A150＋本化合物（１）、A151＋本化合物（１）、A152＋本化合物（１）、A153＋本化合物（１）、A154＋本化合物（１）、A155＋本化合物（１）、A156＋本化合物（１）、A157＋本化合物（１）、A158＋本化合物（１）、A159＋本化合物（１）、A160＋本化合物（１）、A161＋本化合物（１）、A162＋本化合物（１）、A163＋本化合物（１）、A164＋本化合物（１）、A165＋本化合物（１）、A166＋本化合物（１）、A167＋本化合物（１）、A168＋本化合物（１）、A169＋本化合物（１）、A170＋本化合物（１）、A171＋本化合物（１）、A172＋本化合物（１）、A173＋本化合物（１）、A174＋本化合物（１）、A175＋本化合物（１）、A176＋本化合物（１）、A177＋本化合物（１）、A178＋本化合物（１）、A179＋本化合物（１）、A180＋本化合物（１）、A181＋本化合物（１）、A182＋本化合物（１）、A183＋本化合物（１）、A184＋本化合物（１）、A185＋本化合物（１）、A186＋本化合物（１）、A187＋本化合物（１）、A188＋本化合物（１）、A189＋本化合物（１）、A190＋本化合物（１）、A191＋本化合物（１）、A192＋本化合物（１）、A193＋本化合物（１）、A194＋本化合物（１）、A195＋本化合物（１）、A196＋本化合物（１）、A197＋本化合物（１）、A198＋本化合物（１）、A199＋本化合物（１）、A200＋本化合物（１）、A201＋本化合物（１）、A202＋本化合物（１）、A203＋本化合物（１）、A204＋本化合物（１）、A205＋本化合物（１）、A206＋本化合物（１）、A207＋本化合物（１）、A208＋本化合物（１）、A209＋本化合物（１）、A210＋本化合物（１）、A211＋本化合物（１）、A212＋本化合物（１）、A213＋本化合物（１）、A214＋本化合物（１）、A215＋本化合物（１）、A216＋本化合物（１）、A217＋本化合物（１）、A218＋本化合物（１）、A219＋本化合物（１）、A220＋本化合物（１）、A221＋本化合物（１）、A222＋本化合物（１）、A223＋本化合物（１）、A224＋本化合物（１）、A225＋本化合物（１）、A226＋本化合物（１）、A227＋本化合物（１）、A228＋本化合物（１）、A229＋本化合物（１）、A230＋本化合物（１）、A231＋本化合物（１）、A232＋本化合物（１）、A233＋本化合物（１）、A234＋本化合物（１）、A235＋本化合物（１）、A236＋本化合物（１）、A237＋本化合物（１）、A238＋本化合物（１）、A239＋本化合物（１）、A240＋本化合物（１）、A241＋本化合物（１）、A242＋本化合物（１）、A243＋本化合物（１）、A244＋本化合物（１）、A245＋本化合物（１）、A246＋本化合物（１）、A247＋本化合物（１）、A248＋本化合物（１）、A249＋本化合物（１）、A250＋本化合物（１）、A251＋本化合物（１）、A252＋本化合物（１）、A253＋本化合物（１）、A254＋本化合物（１）、A255＋本化合物（１）、A256＋本化合物（１）、A257＋本化合物（１）、A258＋本化合物（１）、A259＋本化合物（１）、A260＋本化合物（１）、A261＋本化合物（１）、A262＋本化合物（１）、A263＋本化合物（１）、A264＋本化合物（１）、A265＋本化合物（１）、A266＋本化合物（１���、A267＋本化合物（１）、A268＋本化合物（１）、A269＋本化合物（１）、A270＋本化合物（１）、A271＋本化合物（１）、A272＋本化合物（１）、A273＋本化合物（１）、A274＋本化合物（１）、A275＋本化合物（１）、A276＋本化合物（１）、A277＋本化合物（１）、A278＋本化合物（１）、A279＋本化合物（１）、A280＋本化合物（１）、A281＋本化合物（１）、A282＋本化合物（１）、A283＋本化合物（１）、A284＋本化合物（１）、A285＋本化合物（１）、A286＋本化合物（１）、A287＋本化合物（１）、A288＋本化合物（１）、A289＋本化合物（１）、A290＋本化合物（１）、A291＋本化合物（１）、A292＋本化合物（１）、A293＋本化合物（１）、A294＋本化合物（１）、A295＋本化合物（１）、A296＋本化合物（１）、A297＋本化合物（１）、A298＋本化合物（１）、A299＋本化合物（１）、A300＋本化合物（１）、A301＋本化合物（１）、A302＋本化合物（１）、A303＋本化合物（１）、A304＋本化合物（１）、A305＋本化合物（１）、A306＋本化合物（１）、A307＋本化合物（１）、A308＋本化合物（１）、A309＋本化合物（１）、A310＋本化合物（１）、A311＋本化合物（１）、A312＋本化合物（１）、A313＋本化合物（１）、A314＋本化合物（１）、A315＋本化合物（１）、A316＋本化合物（１）、A317＋本化合物（１）、A318＋本化合物（１）、A319＋本化合物（１）、A320＋本化合物（１）、A321＋本化合物（１）、A322＋本化合物（１）、A323＋本化合物（１）、A324＋本化合物（１）、A325＋本化合物（１）、A326＋本化合物（１）、A327＋本化合物（１）、A328＋本化合物（１）、A329＋本化合物（１）、A330＋本化合物（１）、A331＋本化合物（１）、A332＋本化合物（１）、A333＋本化合物（１）、A334＋本化合物（１）、A335＋本化合物（１）、A336＋本化合物（１）、A337＋本化合物（１）、A338＋本化合物（１）、A339＋本化合物（１）、A340＋本化合物（１）、A341＋本化合物（１）、A342＋本化合物（１）、A343＋本化合物（１）、A344＋本化合物（１）、A345＋本化合物（１）、A346＋本化合物（１）、A347＋本化合物（１）、A348＋本化合物（１）、A349＋本化合物（１）、A350＋本化合物（１）、A351＋本化合物（１）、A352＋本化合物（１）、A353＋本化合物（１）、A354＋本化合物（１）、A355＋本化合物（１）、A356＋本化合物（１）、A357＋本化合物（１）、A358＋本化合物（１）、A359＋本化合物（１）、A360＋本化合物（１）、A361＋本化合物（１）、A362＋本化合物（１）、A363＋本化合物（１）、A364＋本化合物（１）、A365＋本化合物（１）、A366＋本化合物（１）、A367＋本化合物（１）、A368＋本化合物（１）、A369＋本化合物（１）、A370＋本化合物（１）、A371＋本化合物（１）、A372＋本化合物（１）、A373＋本化合物（１）、A374＋本化合物（１）、A375＋本化合物（１）、A376＋本化合物（１）、A377＋本化合物（１）、A378＋本化合物（１）、A379＋本化合物（１）、A380＋本化合物（１）、A381＋本化合物（１）、A382＋本化合物（１）、A383＋本化合物（１）、A384＋本化合物（１）、A385＋本化合物（１）、A386＋本化合物（１）、A387＋本化合物（１）、A388＋本化合物（１）、A389＋本化合物（１）、A390＋本化合物（１）、A391＋本化合物（１）、A392＋本化合物（１）、A393＋本化合物（１）、A394＋本化合物（１）、A395＋本化合物（１）、A396＋本化合物（１）、A397＋本化合物（１）、A398＋本化合物（１）���A399＋本化合物（１）、A400＋本化合物（１）、A401＋本化合物（１）、A402＋本化合物（１）、A403＋本化合物（１）、A404＋本化合物（１）、A405＋本化合物（１）、A406＋本化合物（１）、A407＋本化合物（１）、A408＋本化合物（１）、A409＋本化合物（１）、A410＋本化合物（１）、A411＋本化合物（１）、A412＋本化合物（１）、A413＋本化合物（１）、A414＋本化合物（１）、A415＋本化合物（１）、A416＋本化合物（１）、A417＋本化合物（１）、A418＋本化合物（１）、A419＋本化合物（１）、A420＋本化合物（１）、A421＋本化合物（１）、A422＋本化合物（１）、A423＋本化合物（１）、A424＋本化合物（１）、A425＋本化合物（１）、A426＋本化合物（１）、A427＋本化合物（１）、A428＋本化合物（１）、A429＋本化合物（１）、A430＋本化合物（１）、A431＋本化合物（１）、A432＋本化合物（１）、A433＋本化合物（１）、A434＋本化合物（１）、A435＋本化合物（１）、A436＋本化合物（１）、A437＋本化合物（１）、A438＋本化合物（１）、A439＋本化合物（１）、A440＋本化合物（１）、A441＋本化合物（１）、A442＋本化合物（１）、A443＋本化合物（１）、A444＋本化合物（１）、A445＋本化合物（１）、A446＋本化合物（１）、A447＋本化合物（１）、A448＋本化合物（１）、A449＋本化合物（１）、A450＋本化合物（１）、A451＋本化合物（１）、A452＋本化合物（１）、A453＋本化合物（１）、A454＋本化合物（１）、A455＋本化合物（１）、A456＋本化合物（１）、A457＋本化合物（１）、A458＋本化合物（１）、A459＋本化合物（１）、A460＋本化合物（１）、A461＋本化合物（１）、A462＋本化合物（１）、A463＋本化合物（１）、A464＋本化合物（１）、A465＋本化合物（１）、A466＋本化合物（１）、A467＋本化合物（１）、A468＋本化合物（１）、A469＋本化合物
（１）、A470＋本化合物（１）、A471＋本化合物（１）、A472＋本化合物（１）、A473＋本化合物（１）、A474＋本化合物（１）、A475＋本化合物（１）、A476＋本化合物（１）、A477＋本化合物（１）、A478＋本化合物（１）、A479＋本化合物（１）、A480＋本化合物（１）、A481＋本化合物（１）、A482＋本化合物（１）、A483＋本化合物（１）、A484＋本化合物（１）、A485＋本化合物（１）、A486＋本化合物（１）、A487＋本化合物（１）、A488＋本化合物（１）、A489＋本化合物（１）、A490＋本化合物（１）、A491＋本化合物（１）、A492＋本化合物（１）、A493＋本化合物（１）、A494＋本化合物（１）、A495＋本化合物（１）、A496＋本化合物（１）、A497＋本化合物（１）、A498＋本化合物（１）、A499＋本化合物（１）、A500＋本化合物（１）、A501＋本化合物（１）、A502＋本化合物（１）、A503＋本化合物（１）、A504＋本化合物（１）、A505＋本化合物（１）、A506＋本化合物（１）、A507＋本化合物（１）、A508＋本化合物（１）、A509＋本化合物（１）、A510＋本化合物（１）、A511＋本化合物（１）、A512＋本化合物（１）、A513＋本化合物（１）、A514＋本化合物（１）、A515＋本化合物（１）、A516＋本化合物（１）、A517＋本化合物（１）、A518＋本化合物（１）、A519＋本化合物（１）、A520＋本化合物（１）、A521＋本化合物（１）、A522＋本化合物（１）、A523＋本化合物（１）、A524＋本化合物（１）、A525＋本化合物（１）、A526＋本化合物（１）、A527＋本化合物（１）、A528＋本化合物（１）、A529＋本化合物（１）、A530＋本化合物（１）、A531＋本化合物（１）、A532＋本化合物（１）、A533＋本化合物（１）、A534＋本化合物（１）、A535＋本化合物（１）、A536＋本化合物（１）、A537＋本化合物（１）、A538＋本化合物（１）、A539＋本化合物（１）、A540＋本化合物（１）、A541＋本化合物（１）、A542＋本化合物（１）、A543＋本化合物（１）、A544＋本化合物（１）、A545＋本化合物（１）、A546＋本化合物（１）、A547＋本化合物（１）、A548＋本化合物（１）、A549＋本化合物（１）、A550＋本化合物（１）。
【００９４】
また、本発明において、本化合物（１）（例えば、本化合物（２））は、他の活性化合物、例えば、その他の殺菌剤、殺虫剤、殺ダニ剤、殺線虫剤、殺軟体動物剤、植物生長調節剤、薬害軽減剤、除草剤、微生物資材、共力剤、忌避剤および肥料と組み合わせて使用することが出来る。
【００９５】
また、本発明方法では、本化合物（１）（例えば、本化合物（２））の処理される植物が、非生物的ストレスに暴露された又は暴露されるであろう植物であっても、当該処理された植物に優れた成長促進をもたらすことが可能である。ここで、「非生物的ストレス」とは、植物がストレス要因に暴露された場合に、その細胞の生理機能が低下を来たし、当該植物の生理状態が悪化して生育が阻害されるようなストレス、と定義される。そして、下記式で表される「ストレスの強さ」によって定量化することができ、その値としては、１０５〜２００、好ましくは１１０〜１８０、より好ましくは１２０〜１６０を挙げることができる。
【００９６】
「ストレスの強さ」＝１００×「非生物的ストレス要因に暴露されていない植物におけるいずれか一つの植物表現型」／「非生物的ストレス要因に暴露された植物における当該いずれか一つの植物表現型」
【００９７】
非生物的ストレスとしては、高温ストレス又は低温ストレスである温度ストレス、塩ストレス、乾燥ストレス又は過湿ストレスである水分ストレス等の非生物的ストレスを挙げることができる。高温ストレスとは、植物の生育適温又は発芽適温よりも高い温度に暴露された場合に受けるストレスをいい、具体的には、植物が栽培されている環境における平均栽培温度が２５℃以上、より厳しくは３０℃以上、更に厳しくは３５℃以上である条件を挙げることができる。低温ストレスとは、植物の生育適温又は発芽適温よりも低い温度に暴露された場合に受けるストレスをいい、具体的には、植物が栽培されている環境における平均栽培温度が１５℃以下、より厳しくは１０℃以下、更により厳しくは５℃以下である条件を挙げることができる。また、乾燥ストレスとは、植物は降雨量や灌水量の減少により土壌中の水分含量が減少し、吸水が阻害され植物の生育が阻害されるような水分環境に暴露された場合に受けるストレスをいい、具体的には、土壌の種類により値は異なることがあるが、植物が栽培されている土壌含水率が３０重量％以下、より厳しくは１０重量％以下、更に厳しくは、５重量％以下が水分ストレスのある条件、または、植物が栽培されている土壌のpＦ値が、２．３以上、厳しくは２．７以上、更に厳しくは３．０以上の条件を挙げることができる。過湿ストレスとは土壌中の水分含量が過剰になり植物の生育が阻害されるような水分環境に暴露された場合に受けるストレスをいい、具体的には、土壌の種類により値は異なることがあるが、植物が栽培されている土壌含水率が３０重量％以上、厳しくは４０重量％以上、更に厳しくは５０重量％以上の、または、植物が栽培されている土壌のｐＦ値が１．７以下、厳しくは１．０以下、更に厳しくは０．３以下である。なお、土壌のｐＦ値は、「土壌・植物栄養・環境事典」（大洋社、１９９４年、松坂ら）の６１〜６２頁の「ｐＦ値測定法」に記述されている原理に従い、測定することができる。また、塩ストレスとは、植物が栽培されている土壌あるいは水耕液中の塩類の蓄積により浸透圧が上昇し植物の吸水が阻害される結果、生育が阻害されるような環境に暴露された場合に受けるストレスをいい、具体的には、土壌あるいは水耕液中の塩による浸透圧ポテンシャルが０．２Ｍｐａ（ＮａＣｌ濃度では２，４００ｐｐｍ）以上、厳しくは０．２５ＭＰａ以上、さらに厳しくは０．３０ＭＰａである条件である。土壌における浸透圧は、土壌を水で希釈して上澄み液の塩濃度を分析することによって、以下のラウールの式に基づいて求めることができる。
【００９８】
ラウールの式    π（ａｔｍ）＝ｃＲＴ
Ｒ＝０．０８２（Ｌ・ａｔｍ／ｍｏｌ・Ｋ）
Ｔ＝絶対温度（Ｋ）
ｃ＝イオンモル濃度（ｍｏｌ／Ｌ）
１ａｔｍ＝０．１ＭＰａ
【実施例】
【００９９】
以下、本発明を製剤例、種子処理例、及び試験例にてさらに詳しく説明するが、本発明は以下の例のみに限定されるものではない。なお、以下の例において、部は特にことわりの無い限り重量部を示し、％は重量％を示す。
【０１００】
次に本発明組成物の製剤例を示す。
【０１０１】
製剤例１
本化合物（１）、本化合物（２）または本化合物（３）のいずれか１つを３．７５部、ポリオキシエチレンスチリルフェニルエ−テル１４部、ドデシルベンゼンスルホン酸カルシウム６部、及びキシレン７６．２５部をよく混合することにより、乳剤を得る。
【０１０２】
製剤例２
本化合物（１）、本化合物（２）または本化合物（３）のいずれか１つを７５部、プロピレングリコールを１５部（ナカライテスク製）、Ｓｏｐｒｏｐｈｏｒ ＦＬＫを１５部（ローディア日華製）、アンチフォームＣエマルションを０．６部（ダウコーニング社製）、及びイオン交換水を１２０部の割合で混合後、当該スラリーを湿式粉砕し、湿式粉砕スラリーを得る。別途、ケルザンＳ（ケルコ社製）０．３部、Veegum granules (R.T. Vanderbilt社製)０．６部、プロキセルＧＸＬ（アーチケミカルズ製）０．６部をイオン交換水７２．９部に添加混合し、増粘剤水溶液を得る。得られた湿式粉砕スラリー７５．２部と増粘剤水溶液２４．８部を混合し、フロアブル製剤を得る。
【０１０３】
製剤例３
本化合物（１）、本化合物（２）または本化合物（３）のいずれか１つを１５部、ソルビタントリオレエ−ト１．５部、及びポリビニルアルコ−ル２部を含む水溶液２８．５部を混合し、湿式粉砕法で微粉砕した後、この中にキサンタンガム０．０５部及びアルミニウムマグネシウムシリケ−ト０．１部を含む水溶液４５部を加え、さらにプロピレングリコ−ル１０部を加えて攪拌混合し、フロアブル製剤を得る。
【０１０４】
製剤例４
本化合物（１）、本化合物（２）または本化合物（３）のいずれか１つを４５部、プロピレングリコールを５部（ナカライテスク製）、Ｓｏｐｒｏｐｈｏｒ ＦＬＫを５部（ローディア日華製）、アンチフォームＣエマルションを０．２部（ダウコーニング社製）、プロキセルＧＸＬを０．３部（アーチケミカル製）、及びイオン交換水を４９．５部の割合で混合し、原体スラリーを調製する。該スラリー１００部に１５０部のガラスビーズ（Φ＝１ｍｍ）を投入し、冷却水で冷却しながら、２時間粉砕する。粉砕後、ガラスビーズをろ過により除き、フロアブル製剤を得る。
【０１０５】
製剤例５
本化合物（１）、本化合物（２）または本化合物（３）のいずれか１つを５０．５部、ＮＮカオリンクレーを３８．５部（竹原化学工業製）、Ｍｏｒｗｅｔ Ｄ４２５を１０部、Ｍｏｒｗｅｒ ＥＦＷを１．５部（アクゾノーベル社製）の割合で混合し、ＡＩプレミックスを得る。当プレミックスをジェットミルで粉砕し、粉剤を得る。
【０１０６】
製剤例６
本化合物（１）、本化合物（２）または本化合物（３）のいずれか１つを５部、合成含水酸化珪素１部、リグニンスルホン酸カルシウム２部、ベントナイト３０部、及びカオリンクレー６２部をよく粉砕混合し、水を加えてよく練り合せた後、造粒乾燥することにより、粒剤を得る。
【０１０７】
製剤例７
本化合物（１）、本化合物（２）または本化合物（３）のいずれか１つを３部、カオリンクレー８７部、及びタルク１０部をよく粉砕混合することにより各粉剤を得る。
【０１０８】
種子処理例１
製剤例１に準じて作製した乳剤を、ソルガム乾燥種子１０ｋｇに対し、回転式種子処理機（シードドレッサー、Ｈａｎｓ−Ｕｌｒｉｃｈ Ｈｅｇｅ ＧｍｂＨ製）を用いて１００ｍｌ塗沫処理することにより、処理種子を得る。
【０１０９】
種子処理例２
製剤例２に準じて作製したフロアブル製剤を、セイヨウアブラナ乾燥種子１０ｋｇに対し、回転式種子処理機（シードドレッサー、Ｈａｎｓ−Ｕｌｒｉｃｈ Ｈｅｇｅ ＧｍｂＨ製）を用いて５ｍｌ塗沫処理することにより、処理種子を得る。
【０１１０】
種子処理例３
製剤例３に準じて作製したフロアブル製剤を、トウモロコシ乾燥種子１０ｋｇに対し、回転式種子処理機（シードドレッサー、Ｈａｎｓ−Ｕｌｒｉｃｈ Ｈｅｇｅ ＧｍｂＨ製）を用いて２０ｍｌ塗沫処理することにより、処理種子を得る。
【０１１１】
種子処理例４
製剤例４に準じて作製したフロアブル製剤を５部、ピグメントＢＰＤ６１３５（Ｓｕｎ Ｃｈｅｍｉｃａｌ製）を５部、及び水を３５部混和し、混和物を調製する。該混和物を、ワタ乾燥種子１０ｋｇに対し、回転式種子処理機（シードドレッサー、Ｈａｎｓ−Ｕｌｒｉｃｈ Ｈｅｇｅ ＧｍｂＨ製）を用いて６０ｍｌ塗沫処理することにより、処理種子を得る。
【０１１２】
種子処理例５
製剤例５に準じて作製した粉剤を、トウモロコシ乾燥種子１０ｋｇに対し、５ｇ粉衣処理することにより、処理種子を得る。
【０１１３】
種子処理例６
製剤例７に準じて作製した紛剤を、イネ乾燥種子１００ｋｇに対し、４００ｇ粉衣処理することにより、処理種子を得る。
【０１１４】
種子処理例７
製剤例２に準じて作製したフロアブル製剤を、ダイズ乾燥種子１０ｋｇに対し、回転式種子処理機（シードドレッサー、Ｈａｎｓ−Ｕｌｒｉｃｈ Ｈｅｇｅ ＧｍｂＨ製）を用いて５ｍｌ塗沫処理することにより、処理種子を得る。
【０１１５】
種子処理例８
製剤例３に準じて作製したフロアブル製剤を、コムギ乾燥種子１０ｋｇに対し、回転式種子処理機（シードドレッサー、Ｈａｎｓ−Ｕｌｒｉｃｈ Ｈｅｇｅ ＧｍｂＨ製）を用いて２０ｍｌ塗沫処理することにより、処理種子を得る。
【０１１６】
種子処理例９
製剤例４に準じて作製したフロアブル製剤を５部、ピグメントＢＰＤ６１３５（Ｓｕｎ Ｃｈｅｍｉｃａｌ製）を５部、水を３５部混和し、ジャガイモ塊茎片１０ｋｇに対し、回転式種子処理機（シードドレッサー、Ｈａｎｓ−Ｕｌｒｉｃｈ Ｈｅｇｅ ＧｍｂＨ製）を用いて７０ｍｌ塗沫処理することにより、処理種子を得る。
【０１１７】
種子処理例１０
製剤例５に準じて作製した粉剤を、テンサイ乾燥種子１０ｋｇに対し、４ｇ粉衣処理することにより、処理種子を得る。
【０１１８】
次に、本化合物または本発明組成物が植物の生長促進に有用であることを試験例で示す。
【０１１９】
試験例１
トウモロコシ種子（品種：パイオニア３１Ｎ２７）を培土入りのポットに播種し、２８℃/２１℃（昼/夜）、湿度：５０％、照度：１００００Ｌｕｘ、日長１２時間の条件下で、５日間栽培した。本化合物（２）および本化合物（３）を９９．６８％および０．３２％含む混合物１２ｍｇを、DMSO溶液４００ｕＬに溶解させた後、水にて希釈し、３０ｐｐｍの希釈液を調製した。次に、本化合物（２）および本化合物（３）を９９．６８％および０．３２％含む混合物４ｍｇを、DMSO溶液４００ｕＬに溶解させた後、水にて希釈し、１０ｐｐｍの希釈液を調製した。さらに、本化合物（２）および本化合物（３）を９９．６８％および０．３２％含む混合物１.２ｍｇを、DMSO溶液４００ｕＬに溶解させた後、水にて希釈し、３ｐｐｍの希釈液を調製した。当該希釈液１５ｍＬを播種後５日目の株元に土壌潅注した後、２７℃、湿度：４５−５０％、照度：１００００Ｌｕｘ、日長１６時間の条件下で、土壌含水率３５%（ポット中の培土が含むことのできる最大の水分量を１００%とした）を維持して９日間栽培した後に、植物体の生重量を測定した。
【０１２０】
【表１】
2019062760.tif 000005
【０１２１】
その結果、本化合物（２）および本化合物（３）を９９．６８％および０．３２％含む混合物の処理区（３ｐｐｍから３０ｐｐｍの処理量の範囲）では、対照区と比較して地上部新鮮重量が増加した。
【０１２２】
試験例２
コムギ種子（品種：UP301）を、培土入りのポットに播種し、１８℃/１５℃（昼/夜）、湿度：５０％、照度：１００００Ｌｕｘ、日長１３時間の条件下で栽培した。本化合物（２）および本化合物（３）を９９．６８％および０．３２％含む混合物６．５ｍｇまたは１３ｍｇを界面活性剤入りのシクロヘキサノンを用いて溶解させた後、水にて希釈し、１３５または２７０ｐｐｍの希釈液を調製した。当該希釈液を、止葉伸長期（BBCH４１、播種後約９週間）および開花直前期（BBCH57-59、播種後約１２週間）に、コムギの葉面に充分付着するように茎葉散布した。また、対照として、本化合物（２）および本化合物（３）を含まない界面活性剤入りのシクロヘキサノンを散布処理して無処理区とした。これらの植物体を成熟させ、収穫しコムギ種子を得た。本試験期間中、本化合物処理区及び無処理区では収量に影響を与える病害は発生しなかった。
【０１２３】
【表２】
2019062760.tif 000006
【０１２４】
その結果、本化合物（２）および本化合物（３）を９９．６８％および０．３２％含む混合物の処理区（１３５ｐｐｍから２７０ｐｐｍの処理量の範囲）では、対照区と比較して収量が増加した。
【０１２５】
試験例３
トウモロコシ種子（品種：NS118）に、種子１ｋｇあたり本化合物（２）および本化合物（３）を９０％および１０％含む混合物０．０５ｇまたは０．２ｇを塗布した後、土壌（愛菜と川砂を体積比２:１で混合した土壌）入りポットに播種した。播種後２２日間、温室で栽培（ポットあたり３００ｍＬを３日に１回灌水）した。その後、灌水を停止し８日間栽培した。再び灌水を開始して１０日後に植物体の地上部新鮮重を測定した。なお、無処理区は、本化合物（２）および本化合物（３）を塗布しないこと以外は、同様に栽培した。
【０１２６】
【表３】
2019062760.tif 000007
【０１２７】
その結果、本化合物（２）および本化合物（３）を９０％および１０％含む混合物の処理区では、無処理区と比較して地上部新鮮重量が増加した。
【０１２８】
試験例４
トウモロコシ種子（品種：NS118）に、種子１ｋｇあたり本化合物（２）および本化合物（３）を９０％および１０％含む混合物５０ｍｇを塗布した後、土壌入りポットに播種し、温度２７℃、照度５,０００ルクス、日長１６時間の条件下で１０日間栽培させる。その後、「温度２．５±１℃、日長１６時間、照度５,０００ルクス」の条件で、４日間栽培する。次に、温度２７℃、照度５,０００ルクス、日長１６時間で、４日間栽培後、当該植物の各個体の地上部新鮮重量を秤量し、１個体あたりの平均重量を求める。なお、無処理区は、本化合物（２）および本化合物（３）を塗布しないこと以外は、同様に栽培する。
【０１２９】
その結果、本化合物（２）および本化合物（３）を９０％および１０％含む混合物の処理区では、無処理区と比べて地上部新鮮重量が大きくなることが期待される。
【産業上の利用可能性】
【０１３０】
本発明方法および本発明組成物を用いることによって、効果的に植物の生長を促進することが可能となる。